(57)【要約】  本開示は、ｓＰＵＣＣＨ伝送方法、端末および基地局を提供する。当該方法は、ダウンリンク伝送を受信し、受信した前記ダウンリンク伝送に対応するダウンリンク制御チャネルに運ばれている指示情報に基づいて、ｓＰＵＣＣＨ伝送の循環シフト値を取得することと、前記循環シフト値に基づいてｓＰＵＣＣＨ伝送を行い、前記ｓＰＵＣＣＨに前記ダウンリンク伝送のＡＣＫ／ＮＡＣＫフィードバック情報を運ぶこととを含む。【選択図】  図１
2019528609.tif 000002
【特許請求の範囲】
【請求項１】
ｓＰＵＣＣＨ（ｓｈｏｒｔｅｎｅｄ  Ｐｈｙｓｉｃａｌ  Ｕｐｌｉｎｋ  Ｃｏｎｔｒｏｌ  Ｃｈａｎｎｅｌ）伝送方法において、
ダウンリンク伝送を受信し、受信した前記ダウンリンク伝送に対応するダウンリンク制御チャネルに運ばれている指示情報に基づいて、ｓＰＵＣＣＨ伝送の循環シフト値を取得することと、
前記循環シフト値に基づいてｓＰＵＣＣＨ伝送を行い、前記ｓＰＵＣＣＨに前記ダウンリンク伝送のＡＣＫ（Ａｃｋｎｏｗｌｅｄｇｅｍｅｎｔ）／ＮＡＣＫ（Ｎｅｇａｔｉｖｅ  ＡＣＫ）フィードバック情報を運ぶこととを含むｓＰＵＣＣＨ伝送方法。
【請求項２】
ダウンリンク伝送を受信し、受信した前記ダウンリンク伝送に対応するダウンリンク制御チャネルに運ばれている指示情報に基づいて、ｓＰＵＣＣＨ伝送の循環シフト値を取得することは、具体的に、
対応するダウンリンク制御チャネルが存在するｓＰＤＳＣＨ（ｓｈｏｒｔｅｎｅｄ  Ｐｈｙｓｉｃａｌ  Ｄｏｗｎｌｉｎｋ  Ｓｈａｒｅｄ  Ｃｈａｎｎｅｌ）、または、短縮ダウンリンクＳＰＳ（Ｓｅｍｉ−Ｐｅｒｓｉｓｔｅｎｔ  Ｓｃｈｅｄｕｌｉｎｇ）のリソース解放を指示するダウンリンク制御チャネルを受信し、前記ダウンリンク制御チャネルに運ばれている指示情報に基づいて、ｓＰＵＣＣＨ伝送の循環シフト値を取得し、または、
対応するダウンリンク制御チャネルが存在しないｓＰＤＳＣＨを受信し、短縮ダウンリンクＳＰＳのリソース活性化を指示するダウンリンク制御チャネルに運ばれている指示情報に基づいて、ｓＰＵＣＣＨ伝送の循環シフト値を取得することを含む請求項１に記載の方法。
【請求項３】
前記循環シフト値に基づいてｓＰＵＣＣＨ伝送を行い、前記ｓＰＵＣＣＨに前記ダウンリンク伝送のＡＣＫ／ＮＡＣＫフィードバック情報を運ぶことは、具体的に、
ベースシーケンスを生成し、前記循環シフト値に基づいて前記ベースシーケンスの循環シフトを行うことと、
前記ＡＣＫ／ＮＡＣＫフィードバック情報を変調して変調シンボルを得ることと、
前記変調シンボルおよび循環シフト済みベースシーケンスに基づいて変調シンボルシーケンスを取得し、前記変調シンボルシーケンスをｓＰＵＣＣＨの時間領域と周波数領域リソースにマッピングして伝送することとを含む請求項１に記載の方法。
【請求項４】
ダウンリンク伝送を受信し、受信した前記ダウンリンク伝送に対応するダウンリンク制御チャネルに運ばれている指示情報に基づいて、ｓＰＵＣＣＨ伝送の循環シフト値を取得することに用いられる受信モジュールと、
前記循環シフト値に基づいてｓＰＵＣＣＨ伝送を行い、前記ｓＰＵＣＣＨに前記ダウンリンク伝送のＡＣＫ／ＮＡＣＫフィードバック情報を運ぶことに用いられる伝送モジュールとを含む端末。
【請求項５】
前記受信モジュールは、具体的に、
対応するダウンリンク制御チャネルが存在するｓＰＤＳＣＨ、または、短縮ダウンリンクＳＰＳのリソース解放を指示するダウンリンク制御チャネルを受信し、前記ダウンリンク制御チャネルに運ばれている指示情報に基づいて、ｓＰＵＣＣＨ伝送の循環シフト値を取得することに用いられる第１受信サブモジュール、または、
対応するダウンリンク制御チャネルが存在しないｓＰＤＳＣＨを受信し、短縮ダウンリンクＳＰＳのリソース活性化を指示するダウンリンク制御チャネルに運ばれている指示情報に基づいて、ｓＰＵＣＣＨ伝送の循環シフト値を取得することに用いられる第２受信サブモジュールを含む請求項４に記載の端末。
【請求項６】
前記伝送モジュールは、具体的に、
ベースシーケンスを生成し、前記循環シフト値に基づいて前記ベースシーケンスの循環シフトを行うことに用いられる循環シフトサブモジュールと、
前記ＡＣＫ／ＮＡＣＫフィードバック情報を変調して変調シンボルを得ることに用いられる変調サブモジュールと、
前記変調シンボルおよび循環シフト済みベースシーケンスに基づいて変調シンボルシーケンスを取得し、前記変調シンボルシーケンスをｓＰＵＣＣＨの時間領域と周波数領域リソースにマッピングして伝送することに用いられる伝送サブモジュールとを含む請求項４に記載の端末。
【請求項７】
前記ｓＰＵＣＣＨが複数のＳＣ−ＦＤＭＡ（Ｓｉｎｇｌｅ  Ｃａｒｒｉｅｒ−Ｆｒｅｑｕｅｎｃｙ  Ｄｉｖｉｓｉｏｎ  Ｍｕｌｔｉｐｌｅ  Ａｃｃｅｓｓ）シンボルを占用して前記ＡＣＫ／ＮＡＣＫフィードバック情報を伝送する場合、
前記循環シフトサブモジュールは、
各ＳＣ−ＦＤＭＡシンボルに同一の循環シフト値を使用すること、または、
各ＳＣ−ＦＤＭＡシンボルに異なる循環シフト値を使用し、取得した前記循環シフト値に基づいて、各ＳＣ−ＦＤＭＡシンボルに対応する循環シフト値を特定し、または、取得した前記循環シフト値に含まれる複数の値のうちの１つを、各ＳＣ−ＦＤＭＡシンボルに対応する循環シフト値として特定することに用いられる請求項６に記載の端末。
【請求項８】
前記伝送サブモジュールは、
各ＳＣ−ＦＤＭＡシンボルに同一のＡＣＫ／ＮＡＣＫフィードバック情報を運ぶこと、または、
各ＳＣ−ＦＤＭＡシンボルに異なるＡＣＫ／ＮＡＣＫフィードバック情報を運ぶことに用いられる請求項７に記載の端末。
【請求項９】
各ＳＣ−ＦＤＭＡシンボルに同一の循環シフト値が使用されかつ各ＳＣ−ＦＤＭＡシンボルに同一のＡＣＫ／ＮＡＣＫフィードバック情報が運ばれる場合、
前記循環シフトサブモジュールは、
ベースシーケンスを生成し、前記循環シフト値に基づいて、前記ベースシーケンスの循環シフトを行って、各ＳＣ−ＦＤＭＡシンボルに対応する循環シフト済みベースシーケンスとすることに用いられる第１循環シフトユニットを含み、
前記伝送サブモジュールは、
前記変調シンボルと循環シフト済みベースシーケンスとを乗算し、１つのＳＣ−ＦＤＭＡシンボルに運ばれる変調シンボルシーケンスを得ることと、前記１つのＳＣ−ＦＤＭＡシンボルで伝送される変調シンボルシーケンスを複数複製し、それぞれ前記複数のＳＣ−ＦＤＭＡシンボルの各ＳＣ−ＦＤＭＡシンボルにマッピングして伝送することに用いられる第１伝送ユニットを含み、
各ＳＣ−ＦＤＭＡシンボルに同一の循環シフト値が使用されかつ各ＳＣ−ＦＤＭＡシンボルに異なるＡＣＫ／ＮＡＣＫフィードバック情報が運ばれる場合、
前記循環シフトサブモジュールは、
ベースシーケンスを生成し、前記循環シフト値に基づいて、前記ベースシーケンスの循環シフトを行って、各ＳＣ−ＦＤＭＡシンボルに対応する循環シフト済みベースシーケンスとすることに用いられる第２循環シフトユニットを含み、
前記伝送サブモジュールは、
前記変調シンボルのうち、前記複数のＳＣ−ＦＤＭＡシンボルの第ｉ（ｉ＝０，１，…Ａ−１；Ａ：前記複数のＳＣ−ＦＤＭＡシンボルの数）個のＳＣ−ＦＤＭＡシンボルに運ばれている変調シンボルと、循環シフト済みベースシーケンスとを乗算し、前記第ｉ個のＳＣ−ＦＤＭＡシンボルに対応する変調シンボルシーケンスを得ることと、前記第ｉ個のＳＣ−ＦＤＭＡシンボルに対応する変調シンボルシーケンスを、前記第ｉ個のＳＣ−ＦＤＭＡシンボルにマッピングして伝送することに用いられる第２伝送ユニットを含み、
各ＳＣ−ＦＤＭＡシンボルに異なる循環シフト値が使用されかつ各ＳＣ−ＦＤＭＡシンボルに同一のＡＣＫ／ＮＡＣＫフィードバック情報が運ばれる場合、
前記循環シフトサブモジュールは、
ベースシーケンスを生成し、前記各ＳＣ−ＦＤＭＡシンボルに対応する循環シフト値に基づいて、前記ベースシーケンスの循環シフトを行って、対応するＳＣ−ＦＤＭＡシンボルに対応する循環シフト済みベースシーケンスとすることに用いられる第３循環シフトユニットを含み、
前記伝送サブモジュールは、
前記変調シンボルを前記各ＳＣ−ＦＤＭＡシンボルに対応する循環シフト済みベースシーケンスとそれぞれ乗算し、各ＳＣ−ＦＤＭＡシンボルに対応する変調シンボルシーケンスを得ることと、前記各ＳＣ−ＦＤＭＡシンボルに対応する変調シンボルシーケンスを、それぞれ前記複数のＳＣ−ＦＤＭＡシンボルのうち、対応するＳＣ−ＦＤＭＡシンボルにマッピングして伝送することに用いられる第３伝送ユニットを含み、
各ＳＣ−ＦＤＭＡシンボルに異なる循環シフト値が使用されかつ各ＳＣ−ＦＤＭＡシンボルに異なるＡＣＫ／ＮＡＣＫフィードバック情報が運ばれる場合、
前記循環シフトサブモジュールは、
ベースシーケンスを生成し、前記各ＳＣ−ＦＤＭＡシンボルに対応する循環シフト値に基づいて、前記ベースシーケンスの循環シフトを行って、対応するＳＣ−ＦＤＭＡシンボルに対応する循環シフト済みベースシーケンスとすることに用いられる第４循環シフトユニットを含み、
前記伝送サブモジュールは、
前記変調シンボルのうち、前記複数のＳＣ−ＦＤＭＡシンボルの第ｉ（ｉ＝０，１，…Ａ−１；Ａ：前記複数のＳＣ−ＦＤＭＡシンボルの数）個のＳＣ−ＦＤＭＡシンボルに運ばれている変調シンボルと、前記第ｉ個のＳＣ−ＦＤＭＡシンボルに対応する循環シフト済みベースシーケンスとを乗算し、前記第ｉ個のＳＣ−ＦＤＭＡシンボルに対応する変調シンボルシーケンスを得ることと、前記第ｉ個のＳＣ−ＦＤＭＡシンボルに対応する変調シンボルシーケンスを、前記第ｉ個のＳＣ−ＦＤＭＡシンボルにマッピングして伝送することに用いられる第４伝送ユニットを含む請求項８に記載の端末。
【請求項１０】
前記伝送サブモジュールは、
前記変調シンボル、循環シフト済みベースシーケンスおよび時間領域直交スペクトル拡散シーケンスに基づいて、変調シンボルシーケンスを取得し、前記変調シンボルシーケンスをｓＰＵＣＣＨの時間領域および周波数領域リソースにマッピングして伝送することに用いられる請求項７に記載の端末。
【請求項１１】
各ＳＣ−ＦＤＭＡシンボルに同一の循環シフト値が使用される場合、
前記循環シフトサブモジュールは、
ベースシーケンスを生成し、前記循環シフト値に基づいて、前記ベースシーケンスの循環シフトを行って、各ＳＣ−ＦＤＭＡシンボルに対応する循環シフト済みベースシーケンスとすることに用いられる第５循環シフトユニットを含み、
前記伝送サブモジュールは、
前記変調シンボルと循環シフト済みベースシーケンスとを乗算し、変調シンボルシーケンスを得ることと、前記変調シンボルシーケンスと、長さが前記ｓＰＵＣＣＨに占用されるＳＣ−ＦＤＭＡシンボルの数とは同一であり、予め得られた時間領域直交スペクトル拡散シーケンスとを乗算して複数の直交スペクトル拡散済み変調シンボルシーケンスを得ることと、前記複数の直交スペクトル拡散済み変調シンボルシーケンスを、それぞれ前記ＳＣ−ＦＤＭＡシンボルにマッピングして伝送することに用いられる第５伝送ユニットを含み、
各ＳＣ−ＦＤＭＡシンボルに異なる循環シフト値が使用される場合、
前記循環シフトサブモジュールは、
ベースシーケンスを生成し、前記各ＳＣ−ＦＤＭＡシンボルに対応する循環シフト値に基づいて、前記ベースシーケンスの循環シフトを行って、対応するＳＣ−ＦＤＭＡシンボルに対応する循環シフト済みベースシーケンスとすることに用いられる第６循環シフトユニットを含み、
前記伝送サブモジュールは、
前記変調シンボルと、前記複数のＳＣ−ＦＤＭＡシンボルの第ｉ（ｉ＝０，１，…Ａ−１；Ａ：前記複数のＳＣ−ＦＤＭＡシンボルの数）個のＳＣ−ＦＤＭＡシンボルに対応する循環シフト済みベースシーケンスとを乗算し、前記第ｉ個のＳＣ−ＦＤＭＡシンボルに対応する直交シーケンスのうちの第ｉ個の直交因子と乗算し、前記第ｉ個のＳＣ−ＦＤＭＡシンボルに対応する変調シンボルシーケンスを得ることと、各ＳＣ−ＦＤＭＡシンボルに対応する変調シンボルシーケンスを、対応するＳＣ−ＦＤＭＡシンボルにマッピングして伝送することに用いられる第６伝送ユニットを含む請求項１０に記載の端末。
【請求項１２】
前記ｓＰＵＣＣＨが複数の周波数領域スケジューリングリソースユニットを占用する場合、
前記循環シフトサブモジュールは、
１つの周波数領域スケジューリングリソースユニットのサイズに基づいてベースシーケンスを生成し、前記循環シフト値に基づいて前記ベースシーケンスの循環シフトを行うことに用いられる第７循環シフトユニットを含む請求項６に記載の端末。
【請求項１３】
前記伝送サブモジュールは、
各周波数領域スケジューリングリソースユニットに同一のＡＣＫ／ＮＡＣＫフィードバック情報を運ぶこと、または、
各周波数領域スケジューリングリソースユニットに異なるＡＣＫ／ＮＡＣＫフィードバック情報を運ぶことに用いられる請求項１２に記載の端末。
【請求項１４】
各周波数領域スケジューリングリソースユニットに同一のＡＣＫ／ＮＡＣＫフィードバック情報が運ばれる場合、
前記伝送サブモジュールは、
前記変調シンボルと、循環シフト済みベースシーケンスとを乗算し、１つの周波数領域スケジューリングリソースユニットに対応する変調シンボルシーケンスを得ることと、前記１つの周波数領域スケジューリングリソースユニットに対応する変調シンボルシーケンスを複数複製し、それぞれ前記ｓＰＵＣＣＨに占用される各周波数領域スケジューリングリソースユニットにマッピングして伝送することに用いられる第７伝送ユニットを含み、
各周波数領域スケジューリングリソースユニットに異なるＡＣＫ／ＮＡＣＫフィードバック情報が運ばれる場合、
前記伝送サブモジュールは、
前記変調シンボルのうち、それぞれ各周波数領域スケジューリングリソースユニットに運ばれる変調シンボルと、循環シフト済みベースシーケンスとを乗算し、対応する周波数領域スケジューリングリソースユニットに対応する変調シンボルシーケンスを得ることと、各周波数領域スケジューリングリソースユニットに対応する変調シンボルシーケンスを、それぞれ対応する周波数領域スケジューリングリソースユニットにマッピングして伝送することに用いられる第８伝送ユニットを含む請求項１３に記載の端末。
【請求項１５】
前記ｓＰＵＣＣＨが複数の周波数領域スケジューリングリソースユニットを占用する場合、
前記循環シフトサブモジュールは、
前記複数の周波数領域スケジューリングリソースユニットのサイズの合計に基づいてベースシーケンスを生成し、前記循環シフト値に基づいて前記ベースシーケンスの循環シフトを行うことに用いられる第８循環シフトユニットを含み、
前記伝送サブモジュールは、
前記変調シンボルと、循環シフト済みベースシーケンスとを乗算して変調シンボルシーケンスを得ることと、前記変調シンボルシーケンスを、前記ｓＰＵＣＣＨに占用される複数の周波数領域スケジューリングリソースユニットにマッピングして伝送することに用いられる第９伝送ユニットを含む請求項６に記載の端末。
【請求項１６】
前記ベースシーケンスは、ＣＡＺＡＣ（Ｃｏｎｓｔ  Ａｍｐｌｉｔｕｄｅ  Ｚｅｒｏ  Ａｕｔｏ−Ｃｏｒｅｌａｔｉｏｎ）シーケンスである請求項６に記載の端末。
【請求項１７】
ダウンリンク伝送を送信し、端末がｓＰＵＣＣＨ伝送の循環シフト値を取得することに用いられる指示情報を、前記ダウンリンク伝送に対応するダウンリンク制御チャネルに運ぶことと、
前記端末が前記循環シフト値に基づいて行うｓＰＵＣＣＨ伝送を受信し、前記ｓＰＵＣＣＨ伝送から前記ダウンリンク伝送のＡＣＫ／ＮＡＣＫフィードバック情報を取得することとを含むｓＰＵＣＣＨ伝送方法。
【請求項１８】
ダウンリンク伝送を送信し、端末がｓＰＵＣＣＨ伝送の循環シフト値を取得することに用いられる指示情報を、前記ダウンリンク伝送に対応するダウンリンク制御チャネルに運ぶことは、具体的に、
対応するダウンリンク制御チャネルが存在するｓＰＤＳＣＨ、または、短縮ダウンリンクＳＰＳのリソース解放を指示するダウンリンク制御チャネルを送信し、前記指示情報を前記ダウンリンク制御チャネルに運ぶこと、または、
対応するダウンリンク制御チャネルが存在しないｓＰＤＳＣＨを送信し、短縮ダウンリンクＳＰＳのリソース活性化を指示するダウンリンク制御チャネルに前記指示情報を運ぶことを含む請求項１７に記載の方法。
【請求項１９】
ｓＰＵＣＣＨ伝送を受信し、前記ｓＰＵＣＣＨ伝送から前記ダウンリンク伝送のＡＣＫ／ＮＡＣＫフィードバック情報を取得することは、
ベースシーケンスを生成し、前記循環シフト値に基づいて前記ベースシーケンスの循環シフトを行うステップと、
前記ＡＣＫ／ＮＡＣＫフィードバック情報を変調して変調シンボルを得るステップと、
前記変調シンボルおよび循環シフト済みベースシーケンスに基づいて変調シンボルシーケンスを取得し、前記変調シンボルシーケンスをｓＰＵＣＣＨの時間領域と周波数領域リソースにマッピングして伝送するステップとのステップで、前記端末が前記ｓＰＵＣＣＨを送信すると特定することを含む請求項１７に記載の方法。
【請求項２０】
前記ｓＰＵＣＣＨが複数のＳＣ−ＦＤＭＡシンボルを占用して前記ＡＣＫ／ＮＡＣＫフィードバック情報を伝送する場合、
ベースシーケンスを生成し、前記循環シフト値に基づいて前記ベースシーケンスの循環シフトを行うステップは、
各ＳＣ−ＦＤＭＡシンボルに同一の循環シフト値を使用すること、または、
各ＳＣ−ＦＤＭＡシンボルに異なる循環シフト値を使用し、前記循環シフト値に基づいて、各ＳＣ−ＦＤＭＡシンボルに対応する循環シフト値を特定し、または、前記循環シフト値に含まれる複数の値のうちの１つを、各ＳＣ−ＦＤＭＡシンボルに対応する循環シフト値として特定することを含む請求項３または１９に記載の方法。
【請求項２１】
前記変調シンボルおよび循環シフト済みベースシーケンスに基づいて変調シンボルシーケンスを取得し、前記変調シンボルシーケンスをｓＰＵＣＣＨの時間領域と周波数領域リソースにマッピングして伝送するステップは、
各ＳＣ−ＦＤＭＡシンボルに同一のＡＣＫ／ＮＡＣＫフィードバック情報を運ぶこと、または、
各ＳＣ−ＦＤＭＡシンボルに異なるＡＣＫ／ＮＡＣＫフィードバック情報を運ぶことを含む請求項２０に記載の方法。
【請求項２２】
各ＳＣ−ＦＤＭＡシンボルに同一の循環シフト値が使用されかつ各ＳＣ−ＦＤＭＡシンボルに同一のＡＣＫ／ＮＡＣＫフィードバック情報が運ばれる場合、
ベースシーケンスを生成し、前記循環シフト値に基づいて前記ベースシーケンスの循環シフトを行うステップは、
ベースシーケンスを生成し、前記循環シフト値に基づいて、前記ベースシーケンスの循環シフトを行って、各ＳＣ−ＦＤＭＡシンボルに対応する循環シフト済みベースシーケンスとすることを含み、
前記変調シンボルおよび循環シフト済みベースシーケンスに基づいて変調シンボルシーケンスを取得し、前記変調シンボルシーケンスをｓＰＵＣＣＨの時間領域と周波数領域リソースにマッピングして伝送するステップは、
前記変調シンボルと循環シフト済みベースシーケンスとを乗算し、１つのＳＣ−ＦＤＭＡシンボルに運ばれる変調シンボルシーケンスを得ることと、
前記１つのＳＣ−ＦＤＭＡシンボルで伝送される変調シンボルシーケンスを複数複製し、それぞれ前記複数のＳＣ−ＦＤＭＡシンボルの各ＳＣ−ＦＤＭＡシンボルにマッピングして伝送することとを含み、
各ＳＣ−ＦＤＭＡシンボルに同一の循環シフト値が使用されかつ各ＳＣ−ＦＤＭＡシンボルに異なるＡＣＫ／ＮＡＣＫフィードバック情報が運ばれる場合、
ベースシーケンスを生成し、前記循環シフト値に基づいて前記ベースシーケンスの循環シフトを行うステップは、
ベースシーケンスを生成し、前記循環シフト値に基づいて、前記ベースシーケンスの循環シフトを行って、各ＳＣ−ＦＤＭＡシンボルに対応する循環シフト済みベースシーケンスとすることを含み、
前記変調シンボルおよび循環シフト済みベースシーケンスに基づいて変調シンボルシーケンスを取得し、前記変調シンボルシーケンスをｓＰＵＣＣＨの時間領域と周波数領域リソースにマッピングして伝送するステップは、
前記変調シンボルのうち、前記複数のＳＣ−ＦＤＭＡシンボルの第ｉ（ｉ＝０，１，…Ａ−１；Ａ：前記複数のＳＣ−ＦＤＭＡシンボルの数）個のＳＣ−ＦＤＭＡシンボルに運ばれている変調シンボルと、循環シフト済みベースシーケンスとを乗算し、前記第ｉ個のＳＣ−ＦＤＭＡシンボルに対応する変調シンボルシーケンスを得ることと、
前記第ｉ個のＳＣ−ＦＤＭＡシンボルに対応する変調シンボルシーケンスを、前記第ｉ個のＳＣ−ＦＤＭＡシンボルにマッピングして伝送することとを含み、
各ＳＣ−ＦＤＭＡシンボルに異なる循環シフト値が使用されかつ各ＳＣ−ＦＤＭＡシンボルに同一のＡＣＫ／ＮＡＣＫフィードバック情報が運ばれる場合、
ベースシーケンスを生成し、前記循環シフト値に基づいて前記ベースシーケンスの循環シフトを行うステップは、
ベースシーケンスを生成し、前記各ＳＣ−ＦＤＭＡシンボルに対応する循環シフト値に基づいて、前記ベースシーケンスの循環シフトを行って、対応するＳＣ−ＦＤＭＡシンボルに対応する循環シフト済みベースシーケンスとすることを含み、
前記変調シンボルおよび循環シフト済みベースシーケンスに基づいて変調シンボルシーケンスを取得し、前記変調シンボルシーケンスをｓＰＵＣＣＨの時間領域と周波数領域リソースにマッピングして伝送するステップは、
前記変調シンボルを、前記各ＳＣ−ＦＤＭＡシンボルに対応する循環シフト値に基づいて循環シフトを行ったベースシーケンスとそれぞれ乗算して、各ＳＣ−ＦＤＭＡシンボルに対応する変調シンボルシーケンスを得ることと、
前記各ＳＣ−ＦＤＭＡシンボルに対応する変調シンボルシーケンスを、それぞれ前記複数のＳＣ−ＦＤＭＡシンボルのうち、対応するＳＣ−ＦＤＭＡシンボルにマッピングして伝送することとを含み、
各ＳＣ−ＦＤＭＡシンボルに異なる循環シフト値が使用されかつ各ＳＣ−ＦＤＭＡシンボルに異なるＡＣＫ／ＮＡＣＫフィードバック情報が運ばれる場合、
ベースシーケンスを生成し、前記循環シフト値に基づいて前記ベースシーケンスの循環シフトを行うステップは、
ベースシーケンスを生成し、前記各ＳＣ−ＦＤＭＡシンボルに対応する循環シフト値に基づいて、前記ベースシーケンスの循環シフトを行って、対応するＳＣ−ＦＤＭＡシンボルに対応する循環シフト済みベースシーケンスとすることを含み、
前記変調シンボルおよび循環シフト済みベースシーケンスに基づいて変調シンボルシーケンスを取得し、前記変調シンボルシーケンスをｓＰＵＣＣＨの時間領域と周波数領域リソースにマッピングして伝送するステップは、
前記変調シンボルのうち、前記複数のＳＣ−ＦＤＭＡシンボルの第ｉ（ｉ＝０，１，…Ａ−１；Ａ：前記複数のＳＣ−ＦＤＭＡシンボルの数）個のＳＣ−ＦＤＭＡシンボルに運ばれている変調シンボルと、前記第ｉ個のＳＣ−ＦＤＭＡシンボルに対応する循環シフト済みベースシーケンスとを乗算し、前記第ｉ個のＳＣ−ＦＤＭＡシンボルに対応する変調シンボルシーケンスを得ることと、
前記第ｉ個のＳＣ−ＦＤＭＡシンボルに対応する変調シンボルシーケンスを、前記第ｉ個のＳＣ−ＦＤＭＡシンボルにマッピングして伝送することとを含む請求項２１に記載の方法。
【請求項２３】
前記変調シンボルおよび循環シフト済みベースシーケンスに基づいて変調シンボルシーケンスを取得し、前記変調シンボルシーケンスをｓＰＵＣＣＨの時間領域と周波数領域リソースにマッピングして伝送するステップは、
前記変調シンボル、循環シフト済みベースシーケンスおよび時間領域直交スペクトル拡散シーケンスに基づいて、変調シンボルシーケンスを取得し、前記変調シンボルシーケンスをｓＰＵＣＣＨの時間領域および周波数領域リソースにマッピングして伝送することを含む請求項２０に記載の方法。
【請求項２４】
各ＳＣ−ＦＤＭＡシンボルに同一の循環シフト値が使用される場合、
ベースシーケンスを生成し、前記循環シフト値に基づいて前記ベースシーケンスの循環シフトを行うステップは、
ベースシーケンスを生成し、前記循環シフト値に基づいて、前記ベースシーケンスの循環シフトを行って、各ＳＣ−ＦＤＭＡシンボルに対応する循環シフト済みベースシーケンスとすることを含み、
前記変調シンボルおよび循環シフト済みベースシーケンスに基づいて変調シンボルシーケンスを取得し、前記変調シンボルシーケンスをｓＰＵＣＣＨの時間領域と周波数領域リソースにマッピングして伝送するステップは、
前記変調シンボルと循環シフト済みベースシーケンスとを乗算し、変調シンボルシーケンスを得ることと、
前記変調シンボルシーケンスと、長さが前記ｓＰＵＣＣＨに占用されるＳＣ−ＦＤＭＡシンボルの数とは同一であり、予め得られた時間領域直交スペクトル拡散シーケンスとを乗算して複数の直交スペクトル拡散済み変調シンボルシーケンスを得ることと、
前記複数の直交スペクトル拡散済み変調シンボルシーケンスを、それぞれ前記ＳＣ−ＦＤＭＡシンボルにマッピングして伝送することとを含み、
各ＳＣ−ＦＤＭＡシンボルに異なる循環シフト値が使用される場合、
ベースシーケンスを生成し、前記循環シフト値に基づいて前記ベースシーケンスの循環シフトを行うステップは、
ベースシーケンスを生成し、前記各ＳＣ−ＦＤＭＡシンボルに対応する循環シフト値に基づいて、前記ベースシーケンスの循環シフトを行って、対応するＳＣ−ＦＤＭＡシンボルに対応する循環シフト済みベースシーケンスとすることを含み、
前記変調シンボルおよび循環シフト済みベースシーケンスに基づいて変調シンボルシーケンスを取得し、前記変調シンボルシーケンスをｓＰＵＣＣＨの時間領域と周波数領域リソースにマッピングして伝送するステップは、
前記変調シンボルと、前記複数のＳＣ−ＦＤＭＡシンボルの第ｉ（ｉ＝０，１，…Ａ−１；Ａ：前記複数のＳＣ−ＦＤＭＡシンボルの数）個のＳＣ−ＦＤＭＡシンボルに対応する循環シフト済みベースシーケンスとを乗算し、前記第ｉ個のＳＣ−ＦＤＭＡシンボルに対応する直交シーケンスのうちの第ｉ個の直交因子と乗算し、前記第ｉ個のＳＣ−ＦＤＭＡシンボルに対応する変調シンボルシーケンスを得ることと、
各ＳＣ−ＦＤＭＡシンボルに対応する変調シンボルシーケンスを、対応するＳＣ−ＦＤＭＡシンボルにマッピングして伝送することとを含む請求項２３に記載の方法。
【請求項２５】
前記ｓＰＵＣＣＨが複数の周波数領域スケジューリングリソースユニットを占用する場合、
ベースシーケンスを生成し、前記循環シフト値に基づいて前記ベースシーケンスの循環シフトを行うステップは、
１つの周波数領域スケジューリングリソースユニットのサイズに基づいてベースシーケンスを生成し、前記循環シフト値に基づいて前記ベースシーケンスの循環シフトを行うことを含む請求項３または１９に記載の方法。
【請求項２６】
前記変調シンボルおよび循環シフト済みベースシーケンスに基づいて変調シンボルシーケンスを取得し、前記変調シンボルシーケンスをｓＰＵＣＣＨの時間領域と周波数領域リソースにマッピングして伝送するステップは、
各周波数領域スケジューリングリソースユニットに同一のＡＣＫ／ＮＡＣＫフィードバック情報を運ぶこと、または、
各周波数領域スケジューリングリソースユニットに異なるＡＣＫ／ＮＡＣＫフィードバック情報を運ぶことを含む請求項２５に記載の方法。
【請求項２７】
各周波数領域スケジューリングリソースユニットに同一のＡＣＫ／ＮＡＣＫフィードバック情報が運ばれる場合、
前記変調シンボルおよび循環シフト済みベースシーケンスに基づいて変調シンボルシーケンスを取得し、前記変調シンボルシーケンスをｓＰＵＣＣＨの時間領域と周波数領域リソースにマッピングして伝送するステップは、
前記変調シンボルと、循環シフト済みベースシーケンスとを乗算し、１つの周波数領域スケジューリングリソースユニットに対応する変調シンボルシーケンスを得ることと、
前記１つの周波数領域スケジューリングリソースユニットに対応する変調シンボルシーケンスを複数複製し、それぞれ前記ｓＰＵＣＣＨに占用される各周波数領域スケジューリングリソースユニットにマッピングして伝送することとを含み、
各周波数領域スケジューリングリソースユニットに異なるＡＣＫ／ＮＡＣＫフィードバック情報が運ばれる場合、
前記変調シンボルおよび循環シフト済みベースシーケンスに基づいて変調シンボルシーケンスを取得し、前記変調シンボルシーケンスをｓＰＵＣＣＨの時間領域と周波数領域リソースにマッピングして伝送するステップは、
前記変調シンボルのうち、それぞれ各周波数領域スケジューリングリソースユニットで運ばれる変調シンボルと、循環シフト済みベースシーケンスとを乗算し、対応する周波数領域スケジューリングリソースユニットに対応する変調シンボルシーケンスを得ることと、
各周波数領域スケジューリングリソースユニットに対応する変調シンボルシーケンスを、それぞれ対応する周波数領域スケジューリングリソースユニットにマッピングして伝送することとを含む請求項２６に記載の方法。
【請求項２８】
前記ｓＰＵＣＣＨが複数の周波数領域スケジューリングリソースユニットを占用する場合、
ベースシーケンスを生成し、前記循環シフト値に基づいて前記ベースシーケンスの循環シフトを行うステップは、
前記複数の周波数領域スケジューリングリソースユニットのサイズの合計に基づいてベースシーケンスを生成し、前記循環シフト値に基づいて前記ベースシーケンスの循環シフトを行うことを含み、
前記変調シンボルおよび循環シフト済みベースシーケンスに基づいて変調シンボルシーケンスを取得し、前記変調シンボルシーケンスをｓＰＵＣＣＨの時間領域と周波数領域リソースにマッピングして伝送するステップは、
前記変調シンボルと、循環シフト済みベースシーケンスとを乗算して変調シンボルシーケンスを得ることと、
前記変調シンボルシーケンスを、前記ｓＰＵＣＣＨに占用される複数の周波数領域スケジューリングリソースユニットにマッピングして伝送することとを含む請求項３または１９に記載の方法。
【請求項２９】
前記ベースシーケンスは、ＣＡＺＡＣシーケンスである請求項３または１９に記載の方法。
【請求項３０】
ダウンリンク伝送を送信し、端末がｓＰＵＣＣＨ伝送の循環シフト値を取得することに用いられる指示情報を、前記ダウンリンク伝送に対応するダウンリンク制御チャネルに運ぶことに用いられる送信モジュールと、
前記端末が前記循環シフト値に基づいて行うｓＰＵＣＣＨ伝送を受信し、前記ｓＰＵＣＣＨ伝送から前記ダウンリンク伝送のＡＣＫ／ＮＡＣＫフィードバック情報を取得することに用いられる取得モジュールとを含む基地局。
【請求項３１】
前記送信モジュールは、具体的に、
対応するダウンリンク制御チャネルが存在するｓＰＤＳＣＨ、または、短縮ダウンリンクＳＰＳのリソース解放を指示するダウンリンク制御チャネルを送信し、前記指示情報を前記ダウンリンク制御チャネルに運ぶことに用いられる第１送信サブモジュール、または、
対応するダウンリンク制御チャネルが存在しないｓＰＤＳＣＨを送信し、短縮ダウンリンクＳＰＳのリソース活性化を指示するダウンリンク制御チャネルに前記指示情報を運ぶことに用いられる第２送信サブモジュールを含む請求項３０に記載の基地局。
【請求項３２】
前記取得モジュールは、
ベースシーケンスを生成し、前記循環シフト値に基づいて前記ベースシーケンスの循環シフトを行うステップと、
前記ＡＣＫ／ＮＡＣＫフィードバック情報を変調して変調シンボルを得るステップと、
前記変調シンボルおよび循環シフト済みベースシーケンスに基づいて変調シンボルシーケンスを取得し、前記変調シンボルシーケンスをｓＰＵＣＣＨの時間領域と周波数領域リソースにマッピングして伝送するステップとのステップで、前記端末が前記ｓＰＵＣＣＨを送信すると特定することに用いられる特定サブモジュールを含む請求項３０に記載の基地局。
【請求項３３】
前記ｓＰＵＣＣＨが複数のＳＣ−ＦＤＭＡシンボルを占用して前記ＡＣＫ／ＮＡＣＫフィードバック情報を伝送する場合、
前記特定サブモジュールによって、前記端末がベースシーケンスを生成し、前記循環シフト値に基づいて前記ベースシーケンスの循環シフトを行うと特定するステップは、
各ＳＣ−ＦＤＭＡシンボルに同一の循環シフト値を使用すること、または、
各ＳＣ−ＦＤＭＡシンボルに異なる循環シフト値を使用し、前記循環シフト値に基づいて、各ＳＣ−ＦＤＭＡシンボルに対応する循環シフト値を特定し、または、前記循環シフト値に含まれる複数の値のうちの１つを、各ＳＣ−ＦＤＭＡシンボルに対応する循環シフト値として特定することを含む請求項３２に記載の基地局。
【請求項３４】
前記特定サブモジュールによって、前記端末が前記変調シンボルおよび循環シフト済みベースシーケンスに基づいて変調シンボルシーケンスを取得し、前記変調シンボルシーケンスをｓＰＵＣＣＨの時間領域と周波数領域リソースにマッピングして伝送すると特定するステップは、
各ＳＣ−ＦＤＭＡシンボルに同一のＡＣＫ／ＮＡＣＫフィードバック情報を運ぶこと、または、
各ＳＣ−ＦＤＭＡシンボルに異なるＡＣＫ／ＮＡＣＫフィードバック情報を運ぶことを含む請求項３３に記載の基地局。
【請求項３５】
各ＳＣ−ＦＤＭＡシンボルに同一の循環シフト値が使用されかつ各ＳＣ−ＦＤＭＡシンボルに同一のＡＣＫ／ＮＡＣＫフィードバック情報が運ばれる場合、
前記特定サブモジュールによって、前記端末がベースシーケンスを生成し、前記循環シフト値に基づいて前記ベースシーケンスの循環シフトを行うと特定するステップは、
ベースシーケンスを生成し、前記循環シフト値に基づいて、前記ベースシーケンスの循環シフトを行って、各ＳＣ−ＦＤＭＡシンボルに対応する循環シフト済みベースシーケンスとすることを含み、
前記特定サブモジュールによって、前記端末が前記変調シンボルおよび循環シフト済みベースシーケンスに基づいて変調シンボルシーケンスを取得し、前記変調シンボルシーケンスをｓＰＵＣＣＨの時間領域と周波数領域リソースにマッピングして伝送すると特定するステップは、
前記変調シンボルと循環シフト済みベースシーケンスとを乗算し、１つのＳＣ−ＦＤＭＡシンボルで運ばれる変調シンボルシーケンスを得ることと、前記１つのＳＣ−ＦＤＭＡシンボルで伝送される変調シンボルシーケンスを複数複製し、それぞれ前記複数のＳＣ−ＦＤＭＡシンボルの各ＳＣ−ＦＤＭＡシンボルにマッピングして伝送することを含み、
各ＳＣ−ＦＤＭＡシンボルに同一の循環シフト値が使用されかつ各ＳＣ−ＦＤＭＡシンボルに異なるＡＣＫ／ＮＡＣＫフィードバック情報が運ばれる場合、
前記特定サブモジュールによって、前記端末がベースシーケンスを生成し、前記循環シフト値に基づいて前記ベースシーケンスの循環シフトを行うと特定するステップは、
ベースシーケンスを生成し、前記循環シフト値に基づいて、前記ベースシーケンスの循環シフトを行って、各ＳＣ−ＦＤＭＡシンボルに対応する循環シフト済みベースシーケンスとすることを含み、
前記特定サブモジュールによって、前記端末が前記変調シンボルおよび循環シフト済みベースシーケンスに基づいて変調シンボルシーケンスを取得し、前記変調シンボルシーケンスをｓＰＵＣＣＨの時間領域と周波数領域リソースにマッピングして伝送すると特定するステップは、
前記変調シンボルのうち、前記複数のＳＣ−ＦＤＭＡシンボルの第ｉ（ｉ＝０，１，…Ａ−１；Ａ：前記複数のＳＣ−ＦＤＭＡシンボルの数）個のＳＣ−ＦＤＭＡシンボルに運ばれている変調シンボルと、循環シフト済みベースシーケンスとを乗算し、前記第ｉ個のＳＣ−ＦＤＭＡシンボルに対応する変調シンボルシーケンスを得ることと、前記第ｉ個のＳＣ−ＦＤＭＡシンボルに対応する変調シンボルシーケンスを、前記第ｉ個のＳＣ−ＦＤＭＡシンボルにマッピングして伝送することを含み、
各ＳＣ−ＦＤＭＡシンボルに異なる循環シフト値が使用されかつ各ＳＣ−ＦＤＭＡシンボルに同一のＡＣＫ／ＮＡＣＫフィードバック情報が運ばれる場合、
前記特定サブモジュールによって、前記端末がベースシーケンスを生成し、前記循環シフト値に基づいて前記ベースシーケンスの循環シフトを行うと特定するステップは、
ベースシーケンスを生成し、前記各ＳＣ−ＦＤＭＡシンボルに対応する循環シフト値に基づいて、前記ベースシーケンスの循環シフトを行って、対応するＳＣ−ＦＤＭＡシンボルに対応する循環シフト済みベースシーケンスとすることを含み、
前記特定サブモジュールによって、前記端末が前記変調シンボルおよび循環シフト済みベースシーケンスに基づいて変調シンボルシーケンスを取得し、前記変調シンボルシーケンスをｓＰＵＣＣＨの時間領域と周波数領域リソースにマッピングして伝送すると特定するステップは、
前記変調シンボルを、前記各ＳＣ−ＦＤＭＡシンボルに対応する循環シフト値に基づいて循環シフトを行って得たベースシーケンスとそれぞれ乗算し、各ＳＣ−ＦＤＭＡシンボルに対応する変調シンボルシーケンスを得ることと、前記各ＳＣ−ＦＤＭＡシンボルに対応する変調シンボルシーケンスを、それぞれ前記複数のＳＣ−ＦＤＭＡシンボルのうち、対応するＳＣ−ＦＤＭＡシンボルにマッピングして伝送することとを含み、
各ＳＣ−ＦＤＭＡシンボルに異なる循環シフト値が使用されかつ各ＳＣ−ＦＤＭＡシンボルに異なるＡＣＫ／ＮＡＣＫフィードバック情報が運ばれる場合、
前記特定サブモジュールによって、前記端末がベースシーケンスを生成し、前記循環シフト値に基づいて前記ベースシーケンスの循環シフトを行うと特定するステップは、
ベースシーケンスを生成し、前記各ＳＣ−ＦＤＭＡシンボルに対応する循環シフト値に基づいて、前記ベースシーケンスの循環シフトを行って、対応するＳＣ−ＦＤＭＡシンボルに対応する循環シフト済みベースシーケンスとすることを含み、
前記特定サブモジュールによって、前記端末が前記変調シンボルおよび循環シフト済みベースシーケンスに基づいて変調シンボルシーケンスを取得し、前記変調シンボルシーケンスをｓＰＵＣＣＨの時間領域と周波数領域リソースにマッピングして伝送すると特定するステップは、
前記変調シンボルのうち、前記複数のＳＣ−ＦＤＭＡシンボルの第ｉ（ｉ＝０，１，…Ａ−１；Ａ：前記複数のＳＣ−ＦＤＭＡシンボルの数）個のＳＣ−ＦＤＭＡシンボルに運ばれている変調シンボルと、前記第ｉ個のＳＣ−ＦＤＭＡシンボルに対応する循環シフト済みベースシーケンスとを乗算し、前記第ｉ個のＳＣ−ＦＤＭＡシンボルに対応する変調シンボルシーケンスを得ることと、前記第ｉ個のＳＣ−ＦＤＭＡシンボルに対応する変調シンボルシーケンスを、前記第ｉ個のＳＣ−ＦＤＭＡシンボルにマッピングして伝送することとを含む請求項３４に記載の基地局。
【請求項３６】
前記特定サブモジュールによって、前記端末が前記変調シンボルおよび循環シフト済みベースシーケンスに基づいて変調シンボルシーケンスを取得し、前記変調シンボルシーケンスをｓＰＵＣＣＨの時間領域と周波数領域リソースにマッピングして伝送すると特定するステップは、
前記変調シンボル、循環シフト済みベースシーケンスおよび時間領域直交スペクトル拡散シーケンスに基づいて、変調シンボルシーケンスを取得し、前記変調シンボルシーケンスをｓＰＵＣＣＨの時間領域および周波数領域リソースにマッピングして伝送することを含む請求項３３に記載の基地局。
【請求項３７】
各ＳＣ−ＦＤＭＡシンボルに同一の循環シフト値が使用される場合、
前記特定サブモジュールによって、前記端末がベースシーケンスを生成し、前記循環シフト値に基づいて前記ベースシーケンスの循環シフトを行うと特定するステップは、
ベースシーケンスを生成し、前記循環シフト値に基づいて、前記ベースシーケンスの循環シフトを行って、各ＳＣ−ＦＤＭＡシンボルに対応する循環シフト済みベースシーケンスとすることを含み、
前記特定サブモジュールによって、前記端末が前記変調シンボルおよび循環シフト済みベースシーケンスに基づいて変調シンボルシーケンスを取得し、前記変調シンボルシーケンスをｓＰＵＣＣＨの時間領域と周波数領域リソースにマッピングして伝送すると特定するステップは、
前記変調シンボルと循環シフト済みベースシーケンスとを乗算し、変調シンボルシーケンスを得ることと、前記変調シンボルシーケンスと、長さが前記ｓＰＵＣＣＨに占用されるＳＣ−ＦＤＭＡシンボルの数とは同一であり、予め得られた時間領域直交スペクトル拡散シーケンスとを乗算して複数の直交スペクトル拡散済み変調シンボルシーケンスを得ることと、前記複数の直交スペクトル拡散済み変調シンボルシーケンスを、それぞれ前記ＳＣ−ＦＤＭＡシンボルにマッピングして伝送することを含み、
各ＳＣ−ＦＤＭＡシンボルに異なる循環シフト値が使用される場合、
前記特定サブモジュールによって、前記端末がベースシーケンスを生成し、前記循環シフト値に基づいて前記ベースシーケンスの循環シフトを行うと特定するステップは、
ベースシーケンスを生成し、前記各ＳＣ−ＦＤＭＡシンボルに対応する循環シフト値に基づいて、前記ベースシーケンスの循環シフトを行って、対応するＳＣ−ＦＤＭＡシンボルに対応する循環シフト済みベースシーケンスとすることを含み、
前記特定サブモジュールによって、前記端末が前記変調シンボルおよび循環シフト済みベースシーケンスに基づいて変調シンボルシーケンスを取得し、前記変調シンボルシーケンスをｓＰＵＣＣＨの時間領域と周波数領域リソースにマッピングして伝送すると特定するステップは、
前記変調シンボルと、前記複数のＳＣ−ＦＤＭＡシンボルの第ｉ（ｉ＝０，１，…Ａ−１；Ａ：前記複数のＳＣ−ＦＤＭＡシンボルの数）個のＳＣ−ＦＤＭＡシンボルに対応する循環シフト済みベースシーケンスとを乗算し、前記第ｉ個のＳＣ−ＦＤＭＡシンボルに対応する直交シーケンスのうちの第ｉ個の直交因子と乗算し、前記第ｉ個のＳＣ−ＦＤＭＡシンボルに対応する変調シンボルシーケンスを得ることと、各ＳＣ−ＦＤＭＡシンボルに対応する変調シンボルシーケンスを、対応するＳＣ−ＦＤＭＡシンボルにマッピングして伝送することとを含む請求項３６に記載の基地局。
【請求項３８】
前記ｓＰＵＣＣＨが複数の周波数領域スケジューリングリソースユニットを占用する場合、
前記特定サブモジュールによって、前記端末がベースシーケンスを生成し、前記循環シフト値に基づいて前記ベースシーケンスの循環シフトを行うと特定するステップは、
１つの周波数領域スケジューリングリソースユニットのサイズに基づいてベースシーケンスを生成し、前記循環シフト値に基づいて前記ベースシーケンスの循環シフトを行うことを含む請求項３２に記載の基地局。
【請求項３９】
前記特定サブモジュールによって、前記端末が前記変調シンボルおよび循環シフト済みベースシーケンスに基づいて変調シンボルシーケンスを取得し、前記変調シンボルシーケンスをｓＰＵＣＣＨの時間領域と周波数領域リソースにマッピングして伝送すると特定するステップは、
各周波数領域スケジューリングリソースユニットに同一のＡＣＫ／ＮＡＣＫフィードバック情報を運ぶこと、または、
各周波数領域スケジューリングリソースユニットに異なるＡＣＫ／ＮＡＣＫフィードバック情報を運ぶことを含む請求項３８に記載の基地局。
【請求項４０】
各周波数領域スケジューリングリソースユニットに同一のＡＣＫ／ＮＡＣＫフィードバック情報が運ばれる場合、
前記特定サブモジュールによって、前記端末が前記変調シンボルおよび循環シフト済みベースシーケンスに基づいて変調シンボルシーケンスを取得し、前記変調シンボルシーケンスをｓＰＵＣＣＨの時間領域と周波数領域リソースにマッピングして伝送すると特定するステップは、
前記変調シンボルと、循環シフト済みベースシーケンスとを乗算し、１つの周波数領域スケジューリングリソースユニットに対応する変調シンボルシーケンスを得ることと、前記１つの周波数領域スケジューリングリソースユニットに対応する変調シンボルシーケンスを複数複製し、それぞれ前記ｓＰＵＣＣＨに占用される各周波数領域スケジューリングリソースユニットにマッピングして伝送することとを含み、
各周波数領域スケジューリングリソースユニットに異なるＡＣＫ／ＮＡＣＫフィードバック情報が運ばれる場合、
前記特定サブモジュールによって、前記端末が前記変調シンボルおよび循環シフト済みベースシーケンスに基づいて変調シンボルシーケンスを取得し、前記変調シンボルシーケンスをｓＰＵＣＣＨの時間領域と周波数領域リソースにマッピングして伝送すると特定するステップは、
前記変調シンボルのうち、各周波数領域スケジューリングリソースユニットで運ばれる変調シンボルと、循環シフト済みベースシーケンスとを乗算し、対応する周波数領域スケジューリングリソースユニットに対応する変調シンボルシーケンスを得ることと、各周波数領域スケジューリングリソースユニットに対応する変調シンボルシーケンスを、それぞれ対応する周波数領域スケジューリングリソースユニットにマッピングして伝送することとを含む請求項３９に記載の基地局。
【請求項４１】
前記ｓＰＵＣＣＨが複数の周波数領域スケジューリングリソースユニットを占用する場合、
前記特定サブモジュールによって、前記端末がベースシーケンスを生成し、前記循環シフト値に基づいて前記ベースシーケンスの循環シフトを行うと特定するステップは、
前記複数の周波数領域スケジューリングリソースユニットのサイズの合計に基づいてベースシーケンスを生成し、前記循環シフト値に基づいて前記ベースシーケンスの循環シフトを行うことを含み、
前記特定サブモジュールによって、前記端末が前記変調シンボルおよび循環シフト済みベースシーケンスに基づいて変調シンボルシーケンスを取得し、前記変調シンボルシーケンスをｓＰＵＣＣＨの時間領域と周波数領域リソースにマッピングして伝送すると特定するステップは、
前記変調シンボルと、循環シフト済みベースシーケンスとを乗算して変調シンボルシーケンスを得ることと、前記変調シンボルシーケンスを、前記ｓＰＵＣＣＨに占用される複数の周波数領域スケジューリングリソースユニットにマッピングして伝送することとを含む請求項３２に記載の基地局。
【請求項４２】
前記ベースシーケンスは、ＣＡＺＡＣシーケンスである請求項３２に記載の基地局。
【請求項４３】
プロセッサと、
プロセッサによる操作実行に用いられるデータを記憶することができるメモリと、
データを送受信することに用いられるトランシーバとを含む端末において、
前記プロセッサは、メモリからプログラムを読み取ることによって、
前記トランシーバによってダウンリンク伝送を受信し、受信した前記ダウンリンク伝送に対応するダウンリンク制御チャネルに運ばれている指示情報に基づいて、ｓＰＵＣＣＨ伝送の循環シフト値を取得するプロセスと、
前記循環シフト値に基づいて前記トランシーバによってｓＰＵＣＣＨ伝送を行い、前記ｓＰＵＣＣＨに前記ダウンリンク伝送のＡＣＫ／ＮＡＣＫフィードバック情報を運ぶプロセスとを実行することに用いられる端末。
【請求項４４】
プロセッサと、
プロセッサによる操作実行に用いられるデータを記憶することができるメモリと、
データを送受信することに用いられるトランシーバとを含む基地局において、
前記プロセッサは、メモリからプログラムを読み取ることによって、
前記トランシーバによってダウンリンク伝送を送信し、端末がｓＰＵＣＣＨ伝送の循環シフト値を取得することに用いられる指示情報を、前記ダウンリンク伝送に対応するダウンリンク制御チャネルに運ぶプロセスと、
前記端末が前記循環シフト値に基づいて行うｓＰＵＣＣＨ伝送を前記トランシーバによって受信し、前記ｓＰＵＣＣＨ伝送から前記ダウンリンク伝送のＡＣＫ／ＮＡＣＫフィードバック情報を取得するプロセスを実行することに用いられる基地局。
【発明の詳細な説明】
【技術分野】
【０００１】
本願は、２０１６年８月１０日に中国特許庁に提出された中国特許出願２０１６１０６５４０８８．８の優先権を主張し、その全ての内容が援用によりここに取り込まれる。
本開示は、通信技術分野に係り、特にｓＰＵＣＣＨ伝送方法、端末および基地局に係る。
【背景技術】
【０００２】
移動通信サービスのニーズの発展と変化に伴い、国際電気通信連合ＩＴＵ（Ｉｎｔｅｒｎａｔｉｏｎａｌ  Ｔｅｌｅｃｏｍｍｕｎｉｃａｔｉｏｎｓ  Ｕｎｉｏｎ）など、複数の組織から将来の移動通信システムに対し、より高いユーザプレーンの遅延性能要求を定義している。ユーザの遅延性能を短縮させる主要方法の１つは、伝送時間間隔ＴＴＩ（Ｔｒａｎｓｍｉｓｓｉｏｎ  Ｔｉｍｅ  Ｉｎｔｅｒｖａｌ）の長さを小さくすることである。したがって、ｓＰＵＣＣＨ（ｓｈｏｒｔｅｎｅｄ  Ｐｈｙｓｉｃａｌ  Ｕｐｌｉｎｋ  Ｃｏｎｔｒｏｌ  ＣＨａｎｎｅｌ）のサポートが必要である。
【０００３】
関連技術のＬＴＥ（Ｌｏｎｇ  Ｔｅｒｍ  Ｅｖｏｌｕｔｉｏｎ）  ＦＤＤ（Ｆｒｅｑｕｅｎｃｙ  Ｄｉｖｉｓｉｏｎ  Ｄｕｐｌｅｘ）システムにおいて、図１５に示すフレーム構造ＦＳ１（ｆｒａｍｅ  ｓｔｒｕｃｔｕｒｅ  ｔｙｐｅ  １）が用いられる。ＦＤＤシステムのアップリンク伝送とダウンリンク伝送とは、異なる搬送波周波数が用いられ、同一のフレーム構造が用いられる。各搬送波において、１つの１０ｍｓの無線フレームは、１０つの１ｍｓのサブフレームを含み、各サブフレームは、２つの０．５ｍｓのスロットに分けられる。アップリンク／ダウンリンクのデータ送信のＴＴＩの長さは、１ｍｓである。
【０００４】
関連技術のＬＴＥ  ＴＤＤ（Ｔｉｍｅ  Ｄｉｖｉｓｉｏｎ  Ｄｕｐｌｅｘ）システムにおいて、図１６に示すフレーム構造ＦＳ２（ｆｒａｍｅ  ｓｔｒｕｃｔｕｒｅ  ｔｙｐｅ  ２）が用いられる。ＴＤＤシステムのアップリンク伝送とダウンリンク伝送とは、同一周波数の異なるサブフレームまたは異なるスロットが用いられる。ＦＳ２において、１０ｍｓの各無線フレームは、２つの５ｍｓのハーフフレームから構成され、各ハーフフレームに５つの１ｍｓのサブフレームが含まれる。ＦＳ２のサブフレームは、ダウンリンクサブフレーム、アップリンクサブフレームおよびスペシャルサブフレームの３種類に分けられ、各スペシャルサブフレームがＤｗＰＴＳ（Ｄｏｗｎｌｉｎｋ  Ｐｉｌｏｔ  Ｔｉｍｅ  Ｓｌｏｔ）、ＧＰ（Ｇｕａｒｄ  Ｐｅｒｉｏｄ）およびＵｐＰＴＳ（Ｕｐｌｉｎｋ  Ｐｉｌｏｔ  Ｔｉｍｅ  Ｓｌｏｔ）の３部分からなる。各ハーフフレームには、少なくとも１つのダウンリンクサブフレーム、少なくとも１つのアップリンクサブフレームおよび最多で１つのスペシャルサブフレームが含まれる。
【０００５】
関連技術のＬＴＥシステムにおいて、チャネル伝送は、サブフレームを単位として定義される。したがって、ｓＰＵＣＣＨをどのように伝送するかは、まだ明確に提案されていない。
【発明の概要】
【発明が解決しようとする課題】
【０００６】
本開示は、関連技術のＬＴＥシステムにおいてチャネル伝送がサブフレーム単位に定義され、ｓＰＵＣＣＨ伝送が明確に提案されていないという問題を解決するために、ｓＰＵＣＣＨ伝送方法、端末および基地局を提供する。
課題を解決するための手段
【０００７】
上記技術課題を解決するために、本開示の実施例のｓＰＵＣＣＨ伝送方法において、ダウンリンク伝送を受信し、受信した前記ダウンリンク伝送に対応するダウンリンク制御チャネルに運ばれている指示情報に基づいて、ｓＰＵＣＣＨ伝送の循環シフト値を取得することと、前記循環シフト値に基づいてｓＰＵＣＣＨ伝送を行い、前記ｓＰＵＣＣＨに前記ダウンリンク伝送のＡＣＫ（Ａｃｋｎｏｗｌｅｄｇｅｍｅｎｔ）／ＮＡＣＫ（Ｎｅｇａｔｉｖｅ  ＡＣＫ）フィードバック情報を運ぶこととを含む。
【０００８】
さらに、ダウンリンク伝送を受信し、受信した前記ダウンリンク伝送に対応するダウンリンク制御チャネルに運ばれている指示情報に基づいて、ｓＰＵＣＣＨ伝送の循環シフト値を取得することは、具体的に、対応するダウンリンク制御チャネルが存在するｓＰＤＳＣＨ（ｓｈｏｒｔｅｎｅｄ  Ｐｈｙｓｉｃａｌ  Ｄｏｗｎｌｉｎｋ  Ｓｈａｒｅｄ  Ｃｈａｎｎｅｌ）、または、短縮ダウンリンクＳＰＳ（Ｓｅｍｉ−Ｐｅｒｓｉｓｔｅｎｔ  Ｓｃｈｅｄｕｌｉｎｇ）のリソース解放を指示するダウンリンク制御チャネルを受信し、前記ダウンリンク制御チャネルに運ばれている指示情報に基づいて、ｓＰＵＣＣＨ伝送の循環シフト値を取得し、または、対応するダウンリンク制御チャネルが存在しないｓＰＤＳＣＨを受信し、短縮ダウンリンクＳＰＳのリソース活性化を指示するダウンリンク制御チャネルに運ばれている指示情報に基づいて、ｓＰＵＣＣＨ伝送の循環シフト値を取得することを含む。
【０００９】
さらに、前記循環シフト値に基づいてｓＰＵＣＣＨ伝送を行い、前記ｓＰＵＣＣＨに前記ダウンリンク伝送のＡＣＫ／ＮＡＣＫフィードバック情報を運ぶことは、具体的に、ベースシーケンスを生成し、前記循環シフト値に基づいて前記ベースシーケンスの循環シフトを行うステップと、前記ＡＣＫ／ＮＡＣＫフィードバック情報を変調して変調シンボルを得るステップと、前記変調シンボルおよび循環シフト済みベースシーケンスに基づいて変調シンボルシーケンスを取得し、前記変調シンボルシーケンスをｓＰＵＣＣＨの時間領域と周波数領域リソースにマッピングして伝送するステップとを含む。
【００１０】
さらに、前記ｓＰＵＣＣＨが複数のＳＣ−ＦＤＭＡ（Ｓｉｎｇｌｅ  Ｃａｒｒｉｅｒ−Ｆｒｅｑｕｅｎｃｙ  Ｄｉｖｉｓｉｏｎ  Ｍｕｌｔｉｐｌｅ  Ａｃｃｅｓｓ）シンボルを占用して前記ＡＣＫ／ＮＡＣＫフィードバック情報を伝送する場合、ベースシーケンスを生成し、前記循環シフト値に基づいて前記ベースシーケンスの循環シフトを行うステップは、各ＳＣ−ＦＤＭＡシンボルに同一の循環シフト値を使用すること、または、各ＳＣ−ＦＤＭＡシンボルに異なる循環シフト値を使用し、取得した前記循環シフト値に基づいて、各ＳＣ−ＦＤＭＡシンボルに対応する循環シフト値を特定し、または、取得した前記循環シフト値に含まれる複数の値のうちの１つを、各ＳＣ−ＦＤＭＡシンボルに対応する循環シフト値として特定することを含む。
【００１１】
さらに、前記変調シンボルおよび循環シフト済みベースシーケンスに基づいて変調シンボルシーケンスを取得し、前記変調シンボルシーケンスをｓＰＵＣＣＨの時間領域と周波数領域リソースにマッピングして伝送するステップは、各ＳＣ−ＦＤＭＡシンボルに同一のＡＣＫ／ＮＡＣＫフィードバック情報を運ぶこと、または、各ＳＣ−ＦＤＭＡシンボルに異なるＡＣＫ／ＮＡＣＫフィードバック情報を運ぶことを含む。
【００１２】
さらに、各ＳＣ−ＦＤＭＡシンボルに同一の循環シフト値が使用されかつ各ＳＣ−ＦＤＭＡシンボルに同一のＡＣＫ／ＮＡＣＫフィードバック情報が運ばれる場合、ベースシーケンスを生成し、前記循環シフト値に基づいて前記ベースシーケンスの循環シフトを行うことは、具体的に、ベースシーケンスを生成し、前記循環シフト値に基づいて、前記ベースシーケンスの循環シフトを行って、各ＳＣ−ＦＤＭＡシンボルに対応する循環シフト済みベースシーケンスとすることを含む。前記変調シンボルおよび循環シフト済みベースシーケンスに基づいて変調シンボルシーケンスを取得し、前記変調シンボルシーケンスをｓＰＵＣＣＨの時間領域と周波数領域リソースにマッピングして伝送することは、具体的に、前記変調シンボルと循環シフト済みベースシーケンスとを乗算し、１つのＳＣ−ＦＤＭＡシンボルに運ばれる変調シンボルシーケンスを得ることと、前記１つのＳＣ−ＦＤＭＡシンボルで伝送される変調シンボルシーケンスを複数複製し、それぞれ前記複数のＳＣ−ＦＤＭＡシンボルの各ＳＣ−ＦＤＭＡシンボルにマップングして伝送することとを含む。各ＳＣ−ＦＤＭＡシンボルに同一の循環シフト値が使用されかつ各ＳＣ−ＦＤＭＡシンボルに異なるＡＣＫ／ＮＡＣＫフィードバック情報が運ばれる場合、ベースシーケンスを生成し、前記循環シフト値に基づいて前記ベースシーケンスの循環シフトを行うことは、具体的に、ベースシーケンスを生成し、前記循環シフト値に基づいて、前記ベースシーケンスの循環シフトを行って、各ＳＣ−ＦＤＭＡシンボルに対応する循環シフト済みベースシーケンスとすることを含む。前記変調シンボルおよび循環シフト済みベースシーケンスに基づいて変調シンボルシーケンスを取得し、前記変調シンボルシーケンスをｓＰＵＣＣＨの時間領域と周波数領域リソースにマッピングして伝送することは、具体的に、前記変調シンボルのうち、前記複数のＳＣ−ＦＤＭＡシンボルの第ｉ（ｉ＝０，１，…Ａ−１；Ａ：前記複数のＳＣ−ＦＤＭＡシンボルの数）個のＳＣ−ＦＤＭＡシンボルに運ばれている変調シンボルと、循環シフト済みベースシーケンスとを乗算し、前記第ｉ個のＳＣ−ＦＤＭＡシンボルに対応する変調シンボルシーケンスを得ることと、前記第ｉ個のＳＣ−ＦＤＭＡシンボルに対応する変調シンボルシーケンスを、前記第ｉ個のＳＣ−ＦＤＭＡシンボルにマッピングして伝送することとを含む。各ＳＣ−ＦＤＭＡシンボルに異なる循環シフト値が使用されかつ各ＳＣ−ＦＤＭＡシンボルに同一のＡＣＫ／ＮＡＣＫフィードバック情報が運ばれる場合、ベースシーケンスを生成し、前記循環シフト値に基づいて前記ベースシーケンスの循環シフトを行うことは、具体的に、ベースシーケンスを生成し、前記各ＳＣ−ＦＤＭＡシンボルに対応する循環シフト値に基づいて、前記ベースシーケンスの循環シフトを行って、対応するＳＣ−ＦＤＭＡシンボルに対応する循環シフト済みベースシーケンスとすることを含む。前記変調シンボルおよび循環シフト済みベースシーケンスに基づいて変調シンボルシーケンスを取得し、前記変調シンボルシーケンスをｓＰＵＣＣＨの時間領域と周波数領域リソースにマッピングして伝送することは、具体的に、前記変調シンボルを前記各ＳＣ−ＦＤＭＡシンボルに対応する循環シフト済みベースシーケンスとそれぞれ乗算し、各ＳＣ−ＦＤＭＡシンボルに対応する変調シンボルシーケンスを得ることと、前記各ＳＣ−ＦＤＭＡシンボルに対応する変調シンボルシーケンスを、それぞれ前記複数のＳＣ−ＦＤＭＡシンボルのうち、対応するＳＣ−ＦＤＭＡシンボルにマッピングして伝送することとを含む。各ＳＣ−ＦＤＭＡシンボルに異なる循環シフト値が使用されかつ各ＳＣ−ＦＤＭＡシンボルに異なるＡＣＫ／ＮＡＣＫフィードバック情報が運ばれる場合、ベースシーケンスを生成し、前記循環シフト値に基づいて前記ベースシーケンスの循環シフトを行うことは、具体的に、ベースシーケンスを生成し、前記各ＳＣ−ＦＤＭＡシンボルに対応する循環シフト値に基づいて、前記ベースシーケンスの循環シフトを行って、対応するＳＣ−ＦＤＭＡシンボルに対応する循環シフト済みベースシーケンスとすることを含む。前記変調シンボルおよび循環シフト済みベースシーケンスに基づいて変調シンボルシーケンスを取得し、前記変調シンボルシーケンスをｓＰＵＣＣＨの時間領域と周波数領域リソースにマッピングして伝送することは、具体的に、前記変調シンボルのうち、前記複数のＳＣ−ＦＤＭＡシンボルの第ｉ（ｉ＝０，１，…Ａ−１；Ａ：前記複数のＳＣ−ＦＤＭＡシンボルの数）個のＳＣ−ＦＤＭＡシンボルに運ばれている変調シンボルと、前記第ｉ個のＳＣ−ＦＤＭＡシンボルに対応する循環シフト済みベースシーケンスとを乗算し、前記第ｉ個のＳＣ−ＦＤＭＡシンボルに対応する変調シンボルシーケンスを得ることと、前記第ｉ個のＳＣ−ＦＤＭＡシンボルに対応する変調シンボルシーケンスを、前記第ｉ個のＳＣ−ＦＤＭＡシンボルにマッピングして伝送することとを含む。
【００１３】
さらに、前記変調シンボルおよび循環シフト済みベースシーケンスに基づいて変調シンボルシーケンスを取得し、前記変調シンボルシーケンスをｓＰＵＣＣＨの時間領域と周波数領域リソースにマッピングして伝送するステップは、前記変調シンボル、循環シフト済みベースシーケンスおよび時間領域直交スペクトル拡散シーケンスに基づいて、変調シンボルシーケンスを取得し、前記変調シンボルシーケンスをｓＰＵＣＣＨの時間領域および周波数領域リソースにマッピングして伝送することを含む。
【００１４】
さらに、各ＳＣ−ＦＤＭＡシンボルに同一の循環シフト値が使用される場合、ベースシーケンスを生成し、前記循環シフト値に基づいて前記ベースシーケンスの循環シフトを行うことは、具体的に、ベースシーケンスを生成し、前記循環シフト値に基づいて、前記ベースシーケンスの循環シフトを行って、各ＳＣ−ＦＤＭＡシンボルに対応する循環シフト済みベースシーケンスとすることを含む。前記変調シンボルおよび循環シフト済みベースシーケンスに基づいて変調シンボルシーケンスを取得し、前記変調シンボルシーケンスをｓＰＵＣＣＨの時間領域と周波数領域リソースにマッピングして伝送することは、具体的に、前記変調シンボルと循環シフト済みベースシーケンスとを乗算し、変調シンボルシーケンスを得ることと、前記変調シンボルシーケンスと、長さが前記ｓＰＵＣＣＨに占用されるＳＣ−ＦＤＭＡシンボルの数とは同一であり、予め得られた時間領域直交スペクトル拡散シーケンスとを乗算して複数の直交スペクトル拡散済み変調シンボルシーケンスを得ることと、前記複数の直交スペクトル拡散済み変調シンボルシーケンスを、それぞれ前記ＳＣ−ＦＤＭＡシンボルにマッピングして伝送することとを含む。各ＳＣ−ＦＤＭＡシンボルに異なる循環シフト値が使用される場合、ベースシーケンスを生成し、前記循環シフト値に基づいて前記ベースシーケンスの循環シフトを行うことは、具体的に、ベースシーケンスを生成し、前記各ＳＣ−ＦＤＭＡシンボルに対応する循環シフト値に基づいて、前記ベースシーケンスの循環シフトを行って、対応するＳＣ−ＦＤＭＡシンボルに対応する循環シフト済みベースシーケンスとすることを含む。前記変調シンボルおよび循環シフト済みベースシーケンスに基づいて変調シンボルシーケンスを取得し、前記変調シンボルシーケンスをｓＰＵＣＣＨの時間領域と周波数領域リソースにマッピングして伝送することは、具体的に、前記変調シンボルと、前記複数のＳＣ−ＦＤＭＡシンボルの第ｉ（ｉ＝０，１，…Ａ−１；Ａ：前記複数のＳＣ−ＦＤＭＡシンボルの数）個のＳＣ−ＦＤＭＡシンボルに対応する循環シフト済みベースシーケンスとを乗算し、前記第ｉ個のＳＣ−ＦＤＭＡシンボルに対応する直交シーケンスのうちの第ｉ個の直交因子と乗算し、前記第ｉ個のＳＣ−ＦＤＭＡシンボルに対応する変調シンボルシーケンスを得ることと、各ＳＣ−ＦＤＭＡシンボルに対応する変調シンボルシーケンスを、対応するＳＣ−ＦＤＭＡシンボルにマッピングして伝送することとを含む。
【００１５】
さらに、前記ｓＰＵＣＣＨが複数の周波数領域スケジューリングリソースユニットを占用する場合、ベースシーケンスを生成し、前記循環シフト値に基づいて前記ベースシーケンスの循環シフトを行うステップは、１つの周波数領域スケジューリングリソースユニットのサイズに基づいてベースシーケンスを生成し、前記循環シフト値に基づいて前記ベースシーケンスの循環シフトを行うことを含む。
【００１６】
さらに、前記変調シンボルおよび循環シフト済みベースシーケンスに基づいて変調シンボルシーケンスを取得し、前記変調シンボルシーケンスをｓＰＵＣＣＨの時間領域と周波数領域リソースにマッピングして伝送するステップは、具体的に、各周波数領域スケジューリングリソースユニットに同一のＡＣＫ／ＮＡＣＫフィードバック情報を運ぶこと、または、各周波数領域スケジューリングリソースユニットに異なるＡＣＫ／ＮＡＣＫフィードバック情報を運ぶことを含む。
【００１７】
さらに、各周波数領域スケジューリングリソースユニットに同一のＡＣＫ／ＮＡＣＫフィードバック情報が運ばれる場合、前記変調シンボルおよび循環シフト済みベースシーケンスに基づいて変調シンボルシーケンスを取得し、前記変調シンボルシーケンスをｓＰＵＣＣＨの時間領域と周波数領域リソースにマッピングして伝送するステップは、前記変調シンボルと、循環シフト済みベースシーケンスとを乗算し、１つの周波数領域スケジューリングリソースユニットに対応する変調シンボルシーケンスを得ることと、前記１つの周波数領域スケジューリングリソースユニットに対応する変調シンボルシーケンスを複数複製し、それぞれ前記ｓＰＵＣＣＨに占用される各周波数領域スケジューリングリソースユニットにマッピングして伝送することとを含む。各周波数領域スケジューリングリソースユニットに異なるＡＣＫ／ＮＡＣＫフィードバック情報が運ばれる場合、前記変調シンボルおよび循環シフト済みベースシーケンスに基づいて変調シンボルシーケンスを取得し、前記変調シンボルシーケンスをｓＰＵＣＣＨの時間領域と周波数領域リソースにマッピングして伝送するステップは、前記変調シンボルのうち、それぞれ各周波数領域スケジューリングリソースユニットに運ばれる変調シンボルと、循環シフト済みベースシーケンスとを乗算し、対応する周波数領域スケジューリングリソースユニットに対応する変調シンボルシーケンスを得ることと、各周波数領域スケジューリングリソースユニットに対応する変調シンボルシーケンスを、それぞれ対応する周波数領域スケジューリングリソースユニットにマッピングして伝送することとを含む。
【００１８】
さらに、前記ｓＰＵＣＣＨが複数の周波数領域スケジューリングリソースユニットを占用する場合、ベースシーケンスを生成し、前記循環シフト値に基づいて前記ベースシーケンスの循環シフトを行うステップは、前記複数の周波数領域スケジューリングリソースユニットのサイズの合計に基づいてベースシーケンスを生成し、前記循環シフト値に基づいて前記ベースシーケンスの循環シフトを行うことを含む。前記変調シンボルおよび循環シフト済みベースシーケンスに基づいて変調シンボルシーケンスを取得し、前記変調シンボルシーケンスをｓＰＵＣＣＨの時間領域と周波数領域リソースにマッピングして伝送するステップは、前記変調シンボルと、循環シフト済みベースシーケンスとを乗算して変調シンボルシーケンスを得ることと、前記変調シンボルシーケンスを、前記ｓＰＵＣＣＨに占用される複数の周波数領域スケジューリングリソースユニットにマッピングして伝送することとを含む。
【００１９】
さらに、前記ベースシーケンスは、ＣＡＺＡＣ（Ｃｏｎｓｔ  Ａｍｐｌｉｔｕｄｅ  Ｚｅｒｏ  Ａｕｔｏ−Ｃｏｒｅｌａｔｉｏｎ）シーケンスである。
【００２０】
上記技術課題を解決するために、本開示の実施例の端末は、ダウンリンク伝送を受信し、受信した前記ダウンリンク伝送に対応するダウンリンク制御チャネルに運ばれている指示情報に基づいて、ｓＰＵＣＣＨ伝送の循環シフト値を取得することに用いられる受信モジュールと、前記循環シフト値に基づいてｓＰＵＣＣＨ伝送を行い、前記ｓＰＵＣＣＨに前記ダウンリンク伝送のＡＣＫ／ＮＡＣＫフィードバック情報を運ぶことに用いられる伝送モジュールとを含む。
【００２１】
さらに、前記受信モジュールは、具体的に、対応するダウンリンク制御チャネルが存在するｓＰＤＳＣＨ、または、短縮ダウンリンクＳＰＳのリソース解放を指示するダウンリンク制御チャネルを受信し、前記ダウンリンク制御チャネルに運ばれている指示情報に基づいて、ｓＰＵＣＣＨ伝送の循環シフト値を取得することに用いられる第１受信サブモジュール、または、対応するダウンリンク制御チャネルが存在しないｓＰＤＳＣＨを受信し、短縮ダウンリンクＳＰＳのリソース活性化を指示するダウンリンク制御チャネルに運ばれている指示情報に基づいて、ｓＰＵＣＣＨ伝送の循環シフト値を取得することに用いられる第２受信サブモジュールを含む。
【００２２】
さらに、前記伝送モジュールは、具体的に、ベースシーケンスを生成し、前記循環シフト値に基づいて前記ベースシーケンスの循環シフトを行うことに用いられる循環シフトサブモジュールと、前記ＡＣＫ／ＮＡＣＫフィードバック情報を変調して変調シンボルを得ることに用いられる変調サブモジュールと、前記変調シンボルおよび循環シフト済みベースシーケンスに基づいて変調シンボルシーケンスを取得し、前記変調シンボルシーケンスをｓＰＵＣＣＨの時間領域と周波数領域リソースにマッピングして伝送することに用いられる伝送サブモジュールとを含む。
【００２３】
さらに、前記ｓＰＵＣＣＨが複数のＳＣ−ＦＤＭＡシンボルを占用して前記ＡＣＫ／ＮＡＣＫフィードバック情報を伝送する場合、前記循環シフトサブモジュールは、各ＳＣ−ＦＤＭＡシンボルに同一の循環シフト値を使用すること、または、各ＳＣ−ＦＤＭＡシンボルに異なる循環シフト値を使用し、取得した前記循環シフト値に基づいて、各ＳＣ−ＦＤＭＡシンボルに対応する循環シフト値を特定し、または、取得した前記循環シフト値に含まれる複数の値のうちの１つを、各ＳＣ−ＦＤＭＡシンボルに対応する循環シフト値として特定することに用いられる。
【００２４】
さらに、前記伝送サブモジュールは、各ＳＣ−ＦＤＭＡシンボルに同一のＡＣＫ／ＮＡＣＫフィードバック情報を運ぶこと、または、各ＳＣ−ＦＤＭＡシンボルに異なるＡＣＫ／ＮＡＣＫフィードバック情報を運ぶことに用いられる。
【００２５】
さらに、各ＳＣ−ＦＤＭＡシンボルに同一の循環シフト値が使用されかつ各ＳＣ−ＦＤＭＡシンボルに同一のＡＣＫ／ＮＡＣＫフィードバック情報が運ばれる場合、前記循環シフトサブモジュールは、ベースシーケンスを生成し、前記循環シフト値に基づいて、前記ベースシーケンスの循環シフトを行って、各ＳＣ−ＦＤＭＡシンボルに対応する循環シフト済みベースシーケンスとすることに用いられる第１循環シフトユニットを含む。前記伝送サブモジュールは、前記変調シンボルと循環シフト済みベースシーケンスとを乗算し、１つのＳＣ−ＦＤＭＡシンボルに運ばれる変調シンボルシーケンスを得ることと、前記１つのＳＣ−ＦＤＭＡシンボルで伝送される変調シンボルシーケンスを複数複製し、それぞれ前記複数のＳＣ−ＦＤＭＡシンボルの各ＳＣ−ＦＤＭＡシンボルにマッピングして伝送することに用いられる第１伝送ユニットを含む。各ＳＣ−ＦＤＭＡシンボルに同一の循環シフト値が使用されかつ各ＳＣ−ＦＤＭＡシンボルに異なるＡＣＫ／ＮＡＣＫフィードバック情報が運ばれる場合、前記循環シフトサブモジュールは、ベースシーケンスを生成し、前記循環シフト値に基づいて、前記ベースシーケンスの循環シフトを行って、各ＳＣ−ＦＤＭＡシンボルに対応する循環シフト済みベースシーケンスとすることに用いられる第２循環シフトユニットを含む。前記伝送サブモジュールは、前記変調シンボルのうち、前記複数のＳＣ−ＦＤＭＡシンボルの第ｉ（ｉ＝０，１，…Ａ−１；Ａ：前記複数のＳＣ−ＦＤＭＡシンボルの数）個のＳＣ−ＦＤＭＡシンボルに運ばれている変調シンボルと、循環シフト済みベースシーケンスとを乗算し、前記第ｉ個のＳＣ−ＦＤＭＡシンボルに対応する変調シンボルシーケンスを得ることと、前記第ｉ個のＳＣ−ＦＤＭＡシンボルに対応する変調シンボルシーケンスを、前記第ｉ個のＳＣ−ＦＤＭＡシンボルにマッピングして伝送することに用いられる第２伝送ユニットを含む。各ＳＣ−ＦＤＭＡシンボルに異なる循環シフト値が使用されかつ各ＳＣ−ＦＤＭＡシンボルに同一のＡＣＫ／ＮＡＣＫフィードバック情報が運ばれる場合、前記循環シフトサブモジュールは、ベースシーケンスを生成し、前記各ＳＣ−ＦＤＭＡシンボルに対応する循環シフト値に基づいて、前記ベースシーケンスの循環シフトを行って、対応するＳＣ−ＦＤＭＡシンボルに対応する循環シフト済みベースシーケンスとすることに用いられる第３循環シフトユニットを含む。前記伝送サブモジュールは、前記変調シンボルを前記各ＳＣ−ＦＤＭＡシンボルに対応する循環シフト済みベースシーケンスとそれぞれ乗算し、各ＳＣ−ＦＤＭＡシンボルに対応する変調シンボルシーケンスを得ることと、前記各ＳＣ−ＦＤＭＡシンボルに対応する変調シンボルシーケンスを、それぞれ前記複数のＳＣ−ＦＤＭＡシンボルのうち、対応するＳＣ−ＦＤＭＡシンボルにマッピングして伝送することに用いられる第３伝送ユニットを含む。各ＳＣ−ＦＤＭＡシンボルに異なる循環シフト値が使用されかつ各ＳＣ−ＦＤＭＡシンボルに異なるＡＣＫ／ＮＡＣＫフィードバック情報が運ばれる場合、前記循環シフトサブモジュールは、ベースシーケンスを生成し、前記各ＳＣ−ＦＤＭＡシンボルに対応する循環シフト値に基づいて、前記ベースシーケンスの循環シフトを行って、対応するＳＣ−ＦＤＭＡシンボルに対応する循環シフト済みベースシーケンスとすることに用いられる第４循環シフトユニットを含む。前記伝送サブモジュールは、前記変調シンボルのうち、前記複数のＳＣ−ＦＤＭＡシンボルの第ｉ（ｉ＝０，１，…Ａ−１；Ａ：前記複数のＳＣ−ＦＤＭＡシンボルの数）個のＳＣ−ＦＤＭＡシンボルに運ばれている変調シンボルと、前記第ｉ個のＳＣ−ＦＤＭＡシンボルに対応する循環シフト済みベースシーケンスとを乗算し、前記第ｉ個のＳＣ−ＦＤＭＡシンボルに対応する変調シンボルシーケンスを得ることと、前記第ｉ個のＳＣ−ＦＤＭＡシンボルに対応する変調シンボルシーケンスを、前記第ｉ個のＳＣ−ＦＤＭＡシンボルにマッピングして伝送することに用いられる第４伝送ユニットを含む。
【００２６】
さらに、前記伝送サブモジュールは、前記変調シンボル、循環シフト済みベースシーケンスおよび時間領域直交スペクトル拡散シーケンスに基づいて、変調シンボルシーケンスを取得し、前記変調シンボルシーケンスをｓＰＵＣＣＨの時間領域および周波数領域リソースにマッピングして伝送することに用いられる。
【００２７】
さらに、各ＳＣ−ＦＤＭＡシンボルに同一の循環シフト値が使用される場合、前記循環シフトサブモジュールは、ベースシーケンスを生成し、前記循環シフト値に基づいて、前記ベースシーケンスの循環シフトを行って、各ＳＣ−ＦＤＭＡシンボルに対応する循環シフト済みベースシーケンスとすることに用いられる第５循環シフトユニットを含む。前記伝送サブモジュールは、前記変調シンボルと循環シフト済みベースシーケンスとを乗算し、変調シンボルシーケンスを得ることと、前記変調シンボルシーケンスと、長さが前記ｓＰＵＣＣＨに占用されるＳＣ−ＦＤＭＡシンボルの数とは同一であり、予め得られた時間領域直交スペクトル拡散シーケンスとを乗算して複数の直交スペクトル拡散済み変調シンボルシーケンスを得ることと、前記複数の直交スペクトル拡散済み変調シンボルシーケンスを、それぞれ前記ＳＣ−ＦＤＭＡシンボルにマッピングして伝送することに用いられる第５伝送ユニットを含む。各ＳＣ−ＦＤＭＡシンボルに異なる循環シフト値が使用される場合、前記循環シフトサブモジュールは、ベースシーケンスを生成し、前記各ＳＣ−ＦＤＭＡシンボルに対応する循環シフト値に基づいて、前記ベースシーケンスの循環シフトを行って、対応するＳＣ−ＦＤＭＡシンボルに対応する循環シフト済みベースシーケンスとすることに用いられる第６循環シフトユニットを含む。前記伝送サブモジュールは、前記変調シンボルと、前記複数のＳＣ−ＦＤＭＡシンボルの第ｉ（ｉ＝０，１，…Ａ−１；Ａ：前記複数のＳＣ−ＦＤＭＡシンボルの数）個のＳＣ−ＦＤＭＡシンボルに対応する循環シフト済みベースシーケンスとを乗算し、前記第ｉ個のＳＣ−ＦＤＭＡシンボルに対応する直交シーケンスのうちの第ｉ個の直交因子と乗算し、前記第ｉ個のＳＣ−ＦＤＭＡシンボルに対応する変調シンボルシーケンスを得ることと、各ＳＣ−ＦＤＭＡシンボルに対応する変調シンボルシーケンスを、対応するＳＣ−ＦＤＭＡシンボルにマッピングして伝送することに用いられる第６伝送ユニットを含む。
【００２８】
さらに、前記ｓＰＵＣＣＨが複数の周波数領域スケジューリングリソースユニットを占用する場合、前記循環シフトサブモジュールは、１つの周波数領域スケジューリングリソースユニットのサイズに基づいてベースシーケンスを生成し、前記循環シフト値に基づいて前記ベースシーケンスの循環シフトを行うことに用いられる第７循環シフトユニットを含む。
【００２９】
さらに、前記伝送サブモジュールは、各周波数領域スケジューリングリソースユニットに同一のＡＣＫ／ＮＡＣＫフィードバック情報を運ぶこと、または、各周波数領域スケジューリングリソースユニットに異なるＡＣＫ／ＮＡＣＫフィードバック情報を運ぶことに用いられる。
【００３０】
さらに、各周波数領域スケジューリングリソースユニットに同一のＡＣＫ／ＮＡＣＫフィードバック情報が運ばれる場合、前記伝送サブモジュールは、前記変調シンボルと、循環シフト済みベースシーケンスとを乗算し、１つの周波数領域スケジューリングリソースユニットに対応する変調シンボルシーケンスを得ることと、前記１つの周波数領域スケジューリングリソースユニットに対応する変調シンボルシーケンスを複数複製し、それぞれ前記ｓＰＵＣＣＨに占用される各周波数領域スケジューリングリソースユニットにマッピングして伝送することに用いられる第７伝送ユニットを含む。各周波数領域スケジューリングリソースユニットに異なるＡＣＫ／ＮＡＣＫフィードバック情報が運ばれる場合、前記伝送サブモジュールは、前記変調シンボルのうち、それぞれ各周波数領域スケジューリングリソースユニットに運ばれる変調シンボルと、循環シフト済みベースシーケンスとを乗算し、対応する周波数領域スケジューリングリソースユニットに対応する変調シンボルシーケンスを得ることと、各周波数領域スケジューリングリソースユニットに対応する変調シンボルシーケンスを、それぞれ対応する周波数領域スケジューリングリソースユニットにマッピングして伝送することに用いられる第８伝送ユニットを含む。
【００３１】
さらに、前記ｓＰＵＣＣＨが複数の周波数領域スケジューリングリソースユニットを占用する場合、前記循環シフトサブモジュールは、前記複数の周波数領域スケジューリングリソースユニットのサイズの合計に基づいてベースシーケンスを生成し、前記循環シフト値に基づいて前記ベースシーケンスの循環シフトを行うことに用いられる第８循環シフトユニットを含む。前記伝送サブモジュールは、前記変調シンボルと、循環シフト済みベースシーケンスとを乗算して変調シンボルシーケンスを得ることと、前記変調シンボルシーケンスを、前記ｓＰＵＣＣＨに占用される複数の周波数領域スケジューリングリソースユニットにマッピングして伝送することに用いられる第９伝送ユニットを含む。
【００３２】
さらに、前記ベースシーケンスは、ＣＡＺＡＣシーケンスである。
【００３３】
上記技術課題を解決するために、本開示の実施例のｓＰＵＣＣＨ伝送方法において、ダウンリンク伝送を送信し、端末がｓＰＵＣＣＨ伝送の循環シフト値を取得することに用いられる指示情報を、前記ダウンリンク伝送に対応するダウンリンク制御チャネルに運ぶことと、前記端末が前記循環シフト値に基づいて行うｓＰＵＣＣＨ伝送を受信し、前記ｓＰＵＣＣＨ伝送から前記ダウンリンク伝送のＡＣＫ／ＮＡＣＫフィードバック情報を取得することとを含む。
【００３４】
さらに、ダウンリンク伝送を送信し、端末がｓＰＵＣＣＨ伝送の循環シフト値を取得することに用いられる指示情報を、前記ダウンリンク伝送に対応するダウンリンク制御チャネルに運ぶことは、具体的に、対応するダウンリンク制御チャネルが存在するｓＰＤＳＣＨ、または、短縮ダウンリンクＳＰＳのリソース解放を指示するダウンリンク制御チャネルを送信し、前記指示情報を前記ダウンリンク制御チャネルに運ぶこと、または、対応するダウンリンク制御チャネルが存在しないｓＰＤＳＣＨを送信し、短縮ダウンリンクＳＰＳのリソース活性化を指示するダウンリンク制御チャネルに前記指示情報を運ぶことを含む。
【００３５】
さらに、ｓＰＵＣＣＨ伝送を受信し、前記ｓＰＵＣＣＨ伝送から前記ダウンリンク伝送のＡＣＫ／ＮＡＣＫフィードバック情報を取得することは、ベースシーケンスを生成し、前記循環シフト値に基づいて前記ベースシーケンスの循環シフトを行うステップと、前記ＡＣＫ／ＮＡＣＫフィードバック情報を変調して変調シンボルを得るステップと、前記変調シンボルおよび循環シフト済みベースシーケンスに基づいて変調シンボルシーケンスを取得し、前記変調シンボルシーケンスをｓＰＵＣＣＨの時間領域と周波数領域リソースにマッピングして伝送するステップで、前記端末が前記ｓＰＵＣＣＨを送信すると特定することを含む。
【００３６】
さらに、前記ｓＰＵＣＣＨが複数のＳＣ−ＦＤＭＡシンボルを占用して前記ＡＣＫ／ＮＡＣＫフィードバック情報を伝送する場合、ベースシーケンスを生成し、前記循環シフト値に基づいて前記ベースシーケンスの循環シフトを行うステップは、各ＳＣ−ＦＤＭＡシンボルに同一の循環シフト値を使用すること、または、各ＳＣ−ＦＤＭＡシンボルに異なる循環シフト値を使用し、前記循環シフト値に基づいて、各ＳＣ−ＦＤＭＡシンボルに対応する循環シフト値を特定し、または、前記循環シフト値に含まれる複数の値のうちの１つを、各ＳＣ−ＦＤＭＡシンボルに対応する循環シフト値として特定することを含む。
【００３７】
さらに、前記変調シンボルおよび循環シフト済みベースシーケンスに基づいて変調シンボルシーケンスを取得し、前記変調シンボルシーケンスをｓＰＵＣＣＨの時間領域と周波数領域リソースにマッピングして伝送するステップは、各ＳＣ−ＦＤＭＡシンボルに同一のＡＣＫ／ＮＡＣＫフィードバック情報を運ぶこと、または、各ＳＣ−ＦＤＭＡシンボルに異なるＡＣＫ／ＮＡＣＫフィードバック情報を運ぶことを含む。
【００３８】
さらに、各ＳＣ−ＦＤＭＡシンボルに同一の循環シフト値が使用されかつ各ＳＣ−ＦＤＭＡシンボルに同一のＡＣＫ／ＮＡＣＫフィードバック情報が運ばれる場合、ベースシーケンスを生成し、前記循環シフト値に基づいて前記ベースシーケンスの循環シフトを行うステップは、ベースシーケンスを生成し、前記循環シフト値に基づいて、前記ベースシーケンスの循環シフトを行って、各ＳＣ−ＦＤＭＡシンボルに対応する循環シフト済みベースシーケンスとすることを含む。前記変調シンボルおよび循環シフト済みベースシーケンスに基づいて変調シンボルシーケンスを取得し、前記変調シンボルシーケンスをｓＰＵＣＣＨの時間領域と周波数領域リソースにマッピングして伝送するステップは、前記変調シンボルと循環シフト済みベースシーケンスとを乗算し、１つのＳＣ−ＦＤＭＡシンボルに運ばれる変調シンボルシーケンスを得ることと、前記１つのＳＣ−ＦＤＭＡシンボルで伝送される変調シンボルシーケンスを複数複製し、それぞれ前記複数のＳＣ−ＦＤＭＡシンボルの各ＳＣ−ＦＤＭＡシンボルにマッピングして伝送することとを含む。各ＳＣ−ＦＤＭＡシンボルに同一の循環シフト値が使用されかつ各ＳＣ−ＦＤＭＡシンボルに異なるＡＣＫ／ＮＡＣＫフィードバック情報が運ばれる場合、ベースシーケンスを生成し、前記循環シフト値に基づいて前記ベースシーケンスの循環シフトを行うステップは、ベースシーケンスを生成し、前記循環シフト値に基づいて、前記ベースシーケンスの循環シフトを行って、各ＳＣ−ＦＤＭＡシンボルに対応する循環シフト済みベースシーケンスとすることを含む。前記変調シンボルおよび循環シフト済みベースシーケンスに基づいて変調シンボルシーケンスを取得し、前記変調シンボルシーケンスをｓＰＵＣＣＨの時間領域と周波数領域リソースにマッピングして伝送するステップは、前記変調シンボルのうち、前記複数のＳＣ−ＦＤＭＡシンボルの第ｉ（ｉ＝０，１，…Ａ−１；Ａ：前記複数のＳＣ−ＦＤＭＡシンボルの数）個のＳＣ−ＦＤＭＡシンボルに運ばれている変調シンボルと、循環シフト済みベースシーケンスとを乗算し、前記第ｉ個のＳＣ−ＦＤＭＡシンボルに対応する変調シンボルシーケンスを得ることと、前記第ｉ個のＳＣ−ＦＤＭＡシンボルに対応する変調シンボルシーケンスを、前記第ｉ個のＳＣ−ＦＤＭＡシンボルにマッピングして伝送することとを含む。各ＳＣ−ＦＤＭＡシンボルに異なる循環シフト値が使用されかつ各ＳＣ−ＦＤＭＡシンボルに同一のＡＣＫ／ＮＡＣＫフィードバック情報が運ばれる場合、ベースシーケンスを生成し、前記循環シフト値に基づいて前記ベースシーケンスの循環シフトを行うステップは、
ベースシーケンスを生成し、前記各ＳＣ−ＦＤＭＡシンボルに対応する循環シフト値に基づいて、前記ベースシーケンスの循環シフトを行って、対応するＳＣ−ＦＤＭＡシンボルに対応する循環シフト済みベースシーケンスとすることを含む。前記変調シンボルおよび循環シフト済みベースシーケンスに基づいて変調シンボルシーケンスを取得し、前記変調シンボルシーケンスをｓＰＵＣＣＨの時間領域と周波数領域リソースにマッピングして伝送するステップは、前記変調シンボルを、前記各ＳＣ−ＦＤＭＡシンボルに対応する循環シフト値に基づいて循環シフトを行ったベースシーケンスとそれぞれ乗算して、各ＳＣ−ＦＤＭＡシンボルに対応する変調シンボルシーケンスを得ることと、前記各ＳＣ−ＦＤＭＡシンボルに対応する変調シンボルシーケンスを、それぞれ前記複数のＳＣ−ＦＤＭＡシンボルのうち、対応するＳＣ−ＦＤＭＡシンボルにマッピングして伝送することとを含む。各ＳＣ−ＦＤＭＡシンボルに異なる循環シフト値が使用されかつ各ＳＣ−ＦＤＭＡシンボルに異なるＡＣＫ／ＮＡＣＫフィードバック情報が運ばれる場合、ベースシーケンスを生成し、前記循環シフト値に基づいて前記ベースシーケンスの循環シフトを行うステップは、ベースシーケンスを生成し、前記各ＳＣ−ＦＤＭＡシンボルに対応する循環シフト値に基づいて、前記ベースシーケンスの循環シフトを行って、対応するＳＣ−ＦＤＭＡシンボルに対応する循環シフト済みベースシーケンスとすることを含む。前記変調シンボルおよび循環シフト済みベースシーケンスに基づいて変調シンボルシーケンスを取得し、前記変調シンボルシーケンスをｓＰＵＣＣＨの時間領域と周波数領域リソースにマッピングして伝送するステップは、前記変調シンボルのうち、前記複数のＳＣ−ＦＤＭＡシンボルの第ｉ（ｉ＝０，１，…Ａ−１；Ａ：前記複数のＳＣ−ＦＤＭＡシンボルの数）個のＳＣ−ＦＤＭＡシンボルに運ばれている変調シンボルと、前記第ｉ個のＳＣ−ＦＤＭＡシンボルに対応する循環シフト済みベースシーケンスとを乗算し、前記第ｉ個のＳＣ−ＦＤＭＡシンボルに対応する変調シンボルシーケンスを得ることと、前記第ｉ個のＳＣ−ＦＤＭＡシンボルに対応する変調シンボルシーケンスを、前記第ｉ個のＳＣ−ＦＤＭＡシンボルにマッピングして伝送することとを含む。
【００３９】
さらに、前記変調シンボルおよび循環シフト済みベースシーケンスに基づいて変調シンボルシーケンスを取得し、前記変調シンボルシーケンスをｓＰＵＣＣＨの時間領域と周波数領域リソースにマッピングして伝送するステップは、前記変調シンボル、循環シフト済みベースシーケンスおよび時間領域直交スペクトル拡散シーケンスに基づいて、変調シンボルシーケンスを取得し、前記変調シンボルシーケンスをｓＰＵＣＣＨの時間領域および周波数領域リソースにマッピングして伝送することを含む。
【００４０】
さらに、各ＳＣ−ＦＤＭＡシンボルに同一の循環シフト値が使用される場合、ベースシーケンスを生成し、前記循環シフト値に基づいて前記ベースシーケンスの循環シフトを行うステップは、ベースシーケンスを生成し、前記循環シフト値に基づいて、前記ベースシーケンスの循環シフトを行って、各ＳＣ−ＦＤＭＡシンボルに対応する循環シフト済みベースシーケンスとすることを含む。前記変調シンボルおよび循環シフト済みベースシーケンスに基づいて変調シンボルシーケンスを取得し、前記変調シンボルシーケンスをｓＰＵＣＣＨの時間領域と周波数領域リソースにマッピングして伝送するステップは、前記変調シンボルと循環シフト済みベースシーケンスとを乗算し、変調シンボルシーケンスを得ることと、前記変調シンボルシーケンスと、長さが前記ｓＰＵＣＣＨに占用されるＳＣ−ＦＤＭＡシンボルの数とは同一であり、予め得られた時間領域直交スペクトル拡散シーケンスとを乗算して複数の直交スペクトル拡散済み変調シンボルシーケンスを得ることと、前記複数の直交スペクトル拡散済み変調シンボルシーケンスを、それぞれ前記ＳＣ−ＦＤＭＡシンボルにマッピングして伝送することとを含む。各ＳＣ−ＦＤＭＡシンボルに異なる循環シフト値が使用される場合、ベースシーケンスを生成し、前記循環シフト値に基づいて前記ベースシーケンスの循環シフトを行うステップは、ベースシーケンスを生成し、前記各ＳＣ−ＦＤＭＡシンボルに対応する循環シフト値に基づいて、前記ベースシーケンスの循環シフトを行って、対応するＳＣ−ＦＤＭＡシンボルに対応する循環シフト済みベースシーケンスとすることを含む。前記変調シンボルおよび循環シフト済みベースシーケンスに基づいて変調シンボルシーケンスを取得し、前記変調シンボルシーケンスをｓＰＵＣＣＨの時間領域と周波数領域リソースにマッピングして伝送するステップは、前記変調シンボルと、前記複数のＳＣ−ＦＤＭＡシンボルの第ｉ（ｉ＝０，１，…Ａ−１；Ａ：前記複数のＳＣ−ＦＤＭＡシンボルの数）個のＳＣ−ＦＤＭＡシンボルに対応する循環シフト済みベースシーケンスとを乗算し、前記第ｉ個のＳＣ−ＦＤＭＡシンボルに対応する直交シーケンスのうちの第ｉ個の直交因子と乗算し、前記第ｉ個のＳＣ−ＦＤＭＡシンボルに対応する変調シンボルシーケンスを得ることと、各ＳＣ−ＦＤＭＡシンボルに対応する変調シンボルシーケンスを、対応するＳＣ−ＦＤＭＡシンボルにマッピングして伝送することとを含む。
【００４１】
さらに、前記ｓＰＵＣＣＨが複数の周波数領域スケジューリングリソースユニットを占用する場合、ベースシーケンスを生成し、前記循環シフト値に基づいて前記ベースシーケンスの循環シフトを行うステップは、１つの周波数領域スケジューリングリソースユニットのサイズに基づいてベースシーケンスを生成し、前記循環シフト値に基づいて前記ベースシーケンスの循環シフトを行うことを含む。
【００４２】
さらに、前記変調シンボルおよび循環シフト済みベースシーケンスに基づいて変調シンボルシーケンスを取得し、前記変調シンボルシーケンスをｓＰＵＣＣＨの時間領域と周波数領域リソースにマッピングして伝送するステップは、各周波数領域スケジューリングリソースユニットに同一のＡＣＫ／ＮＡＣＫフィードバック情報を運ぶこと、または、各周波数領域スケジューリングリソースユニットに異なるＡＣＫ／ＮＡＣＫフィードバック情報を運ぶことを含む。
【００４３】
さらに、各周波数領域スケジューリングリソースユニットに同一のＡＣＫ／ＮＡＣＫフィードバック情報が運ばれる場合、前記変調シンボルおよび循環シフト済みベースシーケンスに基づいて変調シンボルシーケンスを取得し、前記変調シンボルシーケンスをｓＰＵＣＣＨの時間領域と周波数領域リソースにマッピングして伝送するステップは、前記変調シンボルと、循環シフト済みベースシーケンスとを乗算し、１つの周波数領域スケジューリングリソースユニットに対応する変調シンボルシーケンスを得ることと、前記１つの周波数領域スケジューリングリソースユニットに対応する変調シンボルシーケンスを複数複製し、それぞれ前記ｓＰＵＣＣＨに占用される各周波数領域スケジューリングリソースユニットにマッピングして伝送することとを含む。各周波数領域スケジューリングリソースユニットに異なるＡＣＫ／ＮＡＣＫフィードバック情報が運ばれる場合、前記変調シンボルおよび循環シフト済みベースシーケンスに基づいて変調シンボルシーケンスを取得し、前記変調シンボルシーケンスをｓＰＵＣＣＨの時間領域と周波数領域リソースにマッピングして伝送するステップは、前記変調シンボルのうち、それぞれ各周波数領域スケジューリングリソースユニットで運ばれる変調シンボルと、循環シフト済みベースシーケンスとを乗算し、対応する周波数領域スケジューリングリソースユニットに対応する変調シンボルシーケンスを得ることと、各周波数領域スケジューリングリソースユニットに対応する変調シンボルシーケンスを、それぞれ対応する周波数領域スケジューリングリソースユニットにマッピングして伝送することとを含む。
【００４４】
さらに、前記ｓＰＵＣＣＨが複数の周波数領域スケジューリングリソースユニットを占用する場合、ベースシーケンスを生成し、前記循環シフト値に基づいて前記ベースシーケンスの循環シフトを行うステップは、前記複数の周波数領域スケジューリングリソースユニットのサイズの合計に基づいてベースシーケンスを生成し、前記循環シフト値に基づいて前記ベースシーケンスの循環シフトを行うことを含む。前記変調シンボルおよび循環シフト済みベースシーケンスに基づいて変調シンボルシーケンスを取得し、前記変調シンボルシーケンスをｓＰＵＣＣＨの時間領域と周波数領域リソースにマッピングして伝送するステップは、前記変調シンボルと、循環シフト済みベースシーケンスとを乗算して変調シンボルシーケンスを得ることと、前記変調シンボルシーケンスを、前記ｓＰＵＣＣＨに占用される複数の周波数領域スケジューリングリソースユニットにマッピングして伝送することとを含む。
【００４５】
さらに、前記ベースシーケンスは、ＣＡＺＡＣシーケンスである。
【００４６】
上記技術課題を解決するために、本開示の実施例の基地局は、ダウンリンク伝送を送信し、端末がｓＰＵＣＣＨ伝送の循環シフト値を取得することに用いられる指示情報を、前記ダウンリンク伝送に対応するダウンリンク制御チャネルで運ぶことに用いられる送信モジュールと、前記端末が前記循環シフト値に基づいて行うｓＰＵＣＣＨ伝送を受信し、前記ｓＰＵＣＣＨ伝送から前記ダウンリンク伝送のＡＣＫ／ＮＡＣＫフィードバック情報を取得することに用いられる取得モジュールとを含む。
【００４７】
さらに、前記送信モジュールは、具体的に、対応するダウンリンク制御チャネルが存在するｓＰＤＳＣＨ、または、短縮ダウンリンクＳＰＳのリソース解放を指示するダウンリンク制御チャネルを送信し、前記指示情報を前記ダウンリンク制御チャネルで運ぶことに用いられる第１送信サブモジュール、または、対応するダウンリンク制御チャネルが存在しないｓＰＤＳＣＨを送信し、短縮ダウンリンクＳＰＳのリソース活性化を指示するダウンリンク制御チャネルに前記指示情報を運ぶことに用いられる第２送信サブモジュールを含む。
【００４８】
さらに、前記取得モジュールは、ベースシーケンスを生成し、前記循環シフト値に基づいて前記ベースシーケンスの循環シフトを行うステップと、前記ＡＣＫ／ＮＡＣＫフィードバック情報を変調して変調シンボルを得るステップと、前記変調シンボルおよび循環シフト済みベースシーケンスに基づいて変調シンボルシーケンスを取得し、前記変調シンボルシーケンスをｓＰＵＣＣＨの時間領域と周波数領域リソースにマッピングして伝送するステップとのステップで、前記端末が前記ｓＰＵＣＣＨを送信すると特定することに用いられる特定サブモジュールを含む。
【００４９】
さらに、前記ｓＰＵＣＣＨが複数のＳＣ−ＦＤＭＡシンボルを占用して前記ＡＣＫ／ＮＡＣＫフィードバック情報を伝送する場合、前記特定サブモジュールによって、前記端末がベースシーケンスを生成し、前記循環シフト値に基づいて前記ベースシーケンスの循環シフトを行うと特定するステップは、各ＳＣ−ＦＤＭＡシンボルで同一の循環シフト値を使用すること、または、各ＳＣ−ＦＤＭＡシンボルで異なる循環シフト値を使用し、前記循環シフト値に基づいて、各ＳＣ−ＦＤＭＡシンボルに対応する循環シフト値を特定し、または、前記循環シフト値に含まれる複数の値のうちの１つを、各ＳＣ−ＦＤＭＡシンボルに対応する循環シフト値として特定することを含む。
【００５０】
さらに、前記特定サブモジュールによって、前記端末が前記変調シンボルおよび循環シフト済みベースシーケンスに基づいて変調シンボルシーケンスを取得し、前記変調シンボルシーケンスをｓＰＵＣＣＨの時間領域と周波数領域リソースにマッピングして伝送すると特定するステップは、各ＳＣ−ＦＤＭＡシンボルに同一のＡＣＫ／ＮＡＣＫフィードバック情報を運ぶこと、または、各ＳＣ−ＦＤＭＡシンボルに異なるＡＣＫ／ＮＡＣＫフィードバック情報を運ぶことを含む。
【００５１】
さらに、各ＳＣ−ＦＤＭＡシンボルに同一の循環シフト値が使用されかつ各ＳＣ−ＦＤＭＡシンボルに同一のＡＣＫ／ＮＡＣＫフィードバック情報が運ばれる場合、前記特定サブモジュールによって、前記端末がベースシーケンスを生成し、前記循環シフト値に基づいて前記ベースシーケンスの循環シフトを行うと特定するステップは、ベースシーケンスを生成し、前記循環シフト値に基づいて、前記ベースシーケンスの循環シフトを行って、各ＳＣ−ＦＤＭＡシンボルに対応する循環シフト済みベースシーケンスとすることを含む。前記特定サブモジュールによって、前記端末が前記変調シンボルおよび循環シフト済みベースシーケンスに基づいて変調シンボルシーケンスを取得し、前記変調シンボルシーケンスをｓＰＵＣＣＨの時間領域と周波数領域リソースにマッピングして伝送すると特定するステップは、前記変調シンボルと循環シフト済みベースシーケンスとを乗算し、１つのＳＣ−ＦＤＭＡシンボルで運ばれる変調シンボルシーケンスを得ることと、前記１つのＳＣ−ＦＤＭＡシンボルで伝送される変調シンボルシーケンスを複数複製し、それぞれ前記複数のＳＣ−ＦＤＭＡシンボルの各ＳＣ−ＦＤＭＡシンボルにマッピングして伝送することを含む。各ＳＣ−ＦＤＭＡシンボルに同一の循環シフト値が使用されかつ各ＳＣ−ＦＤＭＡシンボルに異なるＡＣＫ／ＮＡＣＫフィードバック情報が運ばれる場合、前記特定サブモジュールによって、前記端末がベースシーケンスを生成し、前記循環シフト値に基づいて前記ベースシーケンスの循環シフトを行うと特定するステップは、ベースシーケンスを生成し、前記循環シフト値に基づいて、前記ベースシーケンスの循環シフトを行って、各ＳＣ−ＦＤＭＡシンボルに対応する循環シフト済みベースシーケンスとすることを含む。前記特定サブモジュールによって、前記端末が前記変調シンボルおよび循環シフト済みベースシーケンスに基づいて変調シンボルシーケンスを取得し、前記変調シンボルシーケンスをｓＰＵＣＣＨの時間領域と周波数領域リソースにマッピングして伝送すると特定するステップは、前記変調シンボルのうち、前記複数のＳＣ−ＦＤＭＡシンボルの第ｉ（ｉ＝０，１，…Ａ−１；Ａ：前記複数のＳＣ−ＦＤＭＡシンボルの数）個のＳＣ−ＦＤＭＡシンボルに運ばれている変調シンボルと、循環シフト済みベースシーケンスとを乗算し、前記第ｉ個のＳＣ−ＦＤＭＡシンボルに対応する変調シンボルシーケンスを得ることと、前記第ｉ個のＳＣ−ＦＤＭＡシンボルに対応する変調シンボルシーケンスを、前記第ｉ個のＳＣ−ＦＤＭＡシンボルにマッピングして伝送することを含む。各ＳＣ−ＦＤＭＡシンボルに異なる循環シフト値が使用されかつ各ＳＣ−ＦＤＭＡシンボルに同一のＡＣＫ／ＮＡＣＫフィードバック情報が運ばれる場合、前記特定サブモジュールによって、前記端末がベースシーケンスを生成し、前記循環シフト値に基づいて前記ベースシーケンスの循環シフトを行うと特定するステップは、ベースシーケンスを生成し、前記各ＳＣ−ＦＤＭＡシンボルに対応する循環シフト値に基づいて、前記ベースシーケンスの循環シフトを行って、対応するＳＣ−ＦＤＭＡシンボルに対応する循環シフト済みベースシーケンスとすることを含む。前記特定サブモジュールによって、前記端末が前記変調シンボルおよび循環シフト済みベースシーケンスに基づいて変調シンボルシーケンスを取得し、前記変調シンボルシーケンスをｓＰＵＣＣＨの時間領域と周波数領域リソースにマッピングして伝送すると特定するステップは、前記変調シンボルを、前記各ＳＣ−ＦＤＭＡシンボルに対応する循環シフト値に基づいて循環シフトを行って得たベースシーケンスとそれぞれ乗算し、各ＳＣ−ＦＤＭＡシンボルに対応する変調シンボルシーケンスを得ることと、前記各ＳＣ−ＦＤＭＡシンボルに対応する変調シンボルシーケンスを、それぞれ前記複数のＳＣ−ＦＤＭＡシンボルのうち、対応するＳＣ−ＦＤＭＡシンボルにマッピングして伝送することとを含む。各ＳＣ−ＦＤＭＡシンボルに異なる循環シフト値が使用されかつ各ＳＣ−ＦＤＭＡシンボルに異なるＡＣＫ／ＮＡＣＫフィードバック情報が運ばれる場合、前記特定サブモジュールによって、前記端末がベースシーケンスを生成し、前記循環シフト値に基づいて前記ベースシーケンスの循環シフトを行うと特定するステップは、ベースシーケンスを生成し、前記各ＳＣ−ＦＤＭＡシンボルに対応する循環シフト値に基づいて、前記ベースシーケンスの循環シフトを行って、対応するＳＣ−ＦＤＭＡシンボルに対応する循環シフト済みベースシーケンスとすることを含む。前記特定サブモジュールによって、前記端末が前記変調シンボルおよび循環シフト済みベースシーケンスに基づいて変調シンボルシーケンスを取得し、前記変調シンボルシーケンスをｓＰＵＣＣＨの時間領域と周波数領域リソースにマッピングして伝送すると特定するステップは、前記変調シンボルのうち、前記複数のＳＣ−ＦＤＭＡシンボルの第ｉ（ｉ＝０，１，…Ａ−１；Ａ：前記複数のＳＣ−ＦＤＭＡシンボルの数）個のＳＣ−ＦＤＭＡシンボルに運ばれている変調シンボルと、前記第ｉ個のＳＣ−ＦＤＭＡシンボルに対応する循環シフト済みベースシーケンスとを乗算し、前記第ｉ個のＳＣ−ＦＤＭＡシンボルに対応する変調シンボルシーケンスを得ることと、前記第ｉ個のＳＣ−ＦＤＭＡシンボルに対応する変調シンボルシーケンスを、前記第ｉ個のＳＣ−ＦＤＭＡシンボルにマッピングして伝送することとを含む。
【００５２】
さらに、前記特定サブモジュールによって、前記端末が前記変調シンボルおよび循環シフト済みベースシーケンスに基づいて変調シンボルシーケンスを取得し、前記変調シンボルシーケンスをｓＰＵＣＣＨの時間領域と周波数領域リソースにマッピングして伝送すると特定するステップは、前記変調シンボル、循環シフト済みベースシーケンスおよび時間領域直交スペクトル拡散シーケンスに基づいて、変調シンボルシーケンスを取得し、前記変調シンボルシーケンスをｓＰＵＣＣＨの時間領域および周波数領域リソースにマッピングして伝送することを含む。
【００５３】
さらに、各ＳＣ−ＦＤＭＡシンボルに同一の循環シフト値が使用される場合、前記特定サブモジュールによって、前記端末がベースシーケンスを生成し、前記循環シフト値に基づいて前記ベースシーケンスの循環シフトを行うと特定するステップは、ベースシーケンスを生成し、前記循環シフト値に基づいて、前記ベースシーケンスの循環シフトを行って、各ＳＣ−ＦＤＭＡシンボルに対応する循環シフト済みベースシーケンスとすることを含む。前記特定サブモジュールによって、前記端末が前記変調シンボルおよび循環シフト済みベースシーケンスに基づいて変調シンボルシーケンスを取得し、前記変調シンボルシーケンスをｓＰＵＣＣＨの時間領域と周波数領域リソースにマッピングして伝送すると特定するステップは、前記変調シンボルと循環シフト済みベースシーケンスとを乗算し、変調シンボルシーケンスを得ることと、前記変調シンボルシーケンスと、長さが前記ｓＰＵＣＣＨに占用されるＳＣ−ＦＤＭＡシンボルの数とは同一であり、予め得られた時間領域直交スペクトル拡散シーケンスとを乗算して複数の直交スペクトル拡散済み変調シンボルシーケンスを得ることと、前記複数の直交スペクトル拡散済み変調シンボルシーケンスを、それぞれ前記ＳＣ−ＦＤＭＡシンボルにマッピングして伝送することを含む。各ＳＣ−ＦＤＭＡシンボルに異なる循環シフト値が使用される場合、前記特定サブモジュールによって、前記端末がベースシーケンスを生成し、前記循環シフト値に基づいて前記ベースシーケンスの循環シフトを行うと特定するステップは、ベースシーケンスを生成し、前記各ＳＣ−ＦＤＭＡシンボルに対応する循環シフト値に基づいて、前記ベースシーケンスの循環シフトを行って、対応するＳＣ−ＦＤＭＡシンボルに対応する循環シフト済みベースシーケンスとすることを含む。前記特定サブモジュールによって、前記端末が前記変調シンボルおよび循環シフト済みベースシーケンスに基づいて変調シンボルシーケンスを取得し、前記変調シンボルシーケンスをｓＰＵＣＣＨの時間領域と周波数領域リソースにマッピングして伝送すると特定するステップは、前記変調シンボルと、前記複数のＳＣ−ＦＤＭＡシンボルの第ｉ（ｉ＝０，１，…Ａ−１；Ａ：前記複数のＳＣ−ＦＤＭＡシンボルの数）個のＳＣ−ＦＤＭＡシンボルに対応する循環シフト済みベースシーケンスとを乗算し、前記第ｉ個のＳＣ−ＦＤＭＡシンボルに対応する直交シーケンスのうちの第ｉ個の直交因子と乗算し、前記第ｉ個のＳＣ−ＦＤＭＡシンボルに対応する変調シンボルシーケンスを得ることと、各ＳＣ−ＦＤＭＡシンボルに対応する変調シンボルシーケンスを、対応するＳＣ−ＦＤＭＡシンボルにマッピングして伝送することとを含む。
【００５４】
さらに、前記ｓＰＵＣＣＨが複数の周波数領域スケジューリングリソースユニットを占用する場合、前記特定サブモジュールによって、前記端末がベースシーケンスを生成し、前記循環シフト値に基づいて前記ベースシーケンスの循環シフトを行うと特定するステップは、１つの周波数領域スケジューリングリソースユニットのサイズに基づいてベースシーケンスを生成し、前記循環シフト値に基づいて前記ベースシーケンスの循環シフトを行うことを含む。
【００５５】
さらに、前記特定サブモジュールによって、前記端末が前記変調シンボルおよび循環シフト済みベースシーケンスに基づいて変調シンボルシーケンスを取得し、前記変調シンボルシーケンスをｓＰＵＣＣＨの時間領域と周波数領域リソースにマッピングして伝送すると特定するステップは、各周波数領域スケジューリングリソースユニットに同一のＡＣＫ／ＮＡＣＫフィードバック情報を運ぶこと、または、各周波数領域スケジューリングリソースユニットに異なるＡＣＫ／ＮＡＣＫフィードバック情報を運ぶことを含む。
【００５６】
さらに、各周波数領域スケジューリングリソースユニットに同一のＡＣＫ／ＮＡＣＫフィードバック情報が運ばれる場合、前記特定サブモジュールによって、前記端末が前記変調シンボルおよび循環シフト済みベースシーケンスに基づいて変調シンボルシーケンスを取得し、前記変調シンボルシーケンスをｓＰＵＣＣＨの時間領域と周波数領域リソースにマッピングして伝送すると特定するステップは、前記変調シンボルと、循環シフト済みベースシーケンスとを乗算し、１つの周波数領域スケジューリングリソースユニットに対応する変調シンボルシーケンスを得ることと、前記１つの周波数領域スケジューリングリソースユニットに対応する変調シンボルシーケンスを複数複製し、それぞれ前記ｓＰＵＣＣＨに占用される各周波数領域スケジューリングリソースユニットにマッピングして伝送することとを含む。各周波数領域スケジューリングリソースユニットに異なるＡＣＫ／ＮＡＣＫフィードバック情報が運ばれる場合、前記特定サブモジュールによって、前記端末が前記変調シンボルおよび循環シフト済みベースシーケンスに基づいて変調シンボルシーケンスを取得し、前記変調シンボルシーケンスをｓＰＵＣＣＨの時間領域と周波数領域リソースにマッピングして伝送すると特定するステップは、前記変調シンボルのうち、各周波数領域スケジューリングリソースユニットで運ばれる変調シンボルと、循環シフト済みベースシーケンスとを乗算し、対応する周波数領域スケジューリングリソースユニットに対応する変調シンボルシーケンスを得ることと、各周波数領域スケジューリングリソースユニットに対応する変調シンボルシーケンスを、それぞれ対応する周波数領域スケジューリングリソースユニットにマッピングして伝送することとを含む。
【００５７】
さらに、前記ｓＰＵＣＣＨが複数の周波数領域スケジューリングリソースユニットを占用する場合、前記特定サブモジュールによって、前記端末がベースシーケンスを生成し、前記循環シフト値に基づいて前記ベースシーケンスの循環シフトを行うと特定するステップは、前記複数の周波数領域スケジューリングリソースユニットのサイズの合計に基づいてベースシーケンスを生成し、前記循環シフト値に基づいて前記ベースシーケンスの循環シフトを行うことを含む。前記特定サブモジュールによって、前記端末が前記変調シンボルおよび循環シフト済みベースシーケンスに基づいて変調シンボルシーケンスを取得し、前記変調シンボルシーケンスをｓＰＵＣＣＨの時間領域と周波数領域リソースにマッピングして伝送すると特定するステップは、前記変調シンボルと、循環シフト済みベースシーケンスとを乗算して変調シンボルシーケンスを得ることと、前記変調シンボルシーケンスを、前記ｓＰＵＣＣＨに占用される複数の周波数領域スケジューリングリソースユニットにマッピングして伝送することとを含む。
【００５８】
さらに、前記ベースシーケンスは、ＣＡＺＡＣシーケンスである。
【００５９】
上記技術課題を解決するために、本開示の実施例の端末は、プロセッサと、プロセッサによる操作実行に用いられるデータを記憶することができるメモリと、データを送受信することに用いられるトランシーバとを含む。前記プロセッサは、メモリからプログラムを読み取ることによって、前記トランシーバによってダウンリンク伝送を受信し、受信した前記ダウンリンク伝送に対応するダウンリンク制御チャネルに運ばれている指示情報に基づいて、ｓＰＵＣＣＨ伝送の循環シフト値を取得するプロセスと、前記循環シフト値に基づいて前記トランシーバによってｓＰＵＣＣＨ伝送を行い、前記ｓＰＵＣＣＨに前記ダウンリンク伝送のＡＣＫ／ＮＡＣＫフィードバック情報を運ぶプロセスとを実行することに用いられる。
【００６０】
上記技術課題を解決するために、本開示の実施例の基地局は、プロセッサと、プロセッサによる操作実行に用いられるデータを記憶することができるメモリと、データを送受信することに用いられるトランシーバとを含む。前記プロセッサは、メモリからプログラムを読み取ることによって、前記トランシーバによってダウンリンク伝送を送信し、端末がｓＰＵＣＣＨ伝送の循環シフト値を取得することに用いられる指示情報を、前記ダウンリンク伝送に対応するダウンリンク制御チャネルで運ぶプロセスと、前記端末が前記循環シフト値に基づいて行うｓＰＵＣＣＨ伝送を前記トランシーバによって受信し、前記ｓＰＵＣＣＨ伝送から前記ダウンリンク伝送のＡＣＫ／ＮＡＣＫフィードバック情報を取得するプロセスを実行することに用いられる。
【発明の効果】
【００６１】
本開示の実施例のｓＰＵＣＣＨ伝送方法において、まず、ダウンリンク伝送を受信し、受信したダウンリンク伝送に対応するダウンリンク制御チャネルに運ばれている指示情報に基づいて、ｓＰＵＣＣＨ伝送の循環シフト値を取得し、それから、循環シフト値に基づいてｓＰＵＣＣＨ伝送を行い、ｓＰＵＣＣＨにダウンリンク伝送のＡＣＫ／ＮＡＣＫフィードバック情報を運ぶことによって、ｓＰＵＣＣＨ伝送を実現している。関連技術のＬＴＥシステムにおいてチャネル伝送がサブフレーム単位に定義され、ｓＰＵＣＣＨ伝送が明確に提案されていないという問題を解決した。
【図面の簡単な説明】
【００６２】
本開示の実施例の技術手段をより明確に説明するために、以下、実施例の記載に必要とされる図面を簡単に紹介する。明らかに、以下の記載に関する図面は、単に本願の一部の実施例である。当業者にとって、創造性のある作業をしない前提で、これらの図面から他の図面を得ることもできる。以下の図面は、わざわざ実際のサイズにしたがって等比例に収縮または拡大して描いていなく、本願の趣旨を示すことにポイントを置く。
【００６３】
【図１】本開示の一部実施例のｓＰＵＣＣＨ伝送方法が端末に応用されるフローチャートである。
【図２】本開示の一部実施例のｓＰＵＣＣＨ伝送方法の伝送構造図である。
【図３】本開示の一部実施例のｓＰＵＣＣＨ伝送方法の伝送構造図である。
【図４】本開示の一部実施例のｓＰＵＣＣＨ伝送方法の伝送構造図である。
【図５】本開示の一部実施例のｓＰＵＣＣＨ伝送方法の伝送構造図である。
【図６】本開示の一部実施例のｓＰＵＣＣＨ伝送方法の伝送構造図である。
【図７】本開示の一部実施例のｓＰＵＣＣＨ伝送方法の伝送構造図である。
【図８】本開示の一部実施例のｓＰＵＣＣＨ伝送方法の別の伝送構造図である。
【図９】本開示の一部実施例のｓＰＵＣＣＨ伝送方法の別の伝送構造図である。
【図１０】本開示の一部実施例のｓＰＵＣＣＨ伝送方法の別の伝送構造図である。
【図１１】本開示の一部実施例のｓＰＵＣＣＨ伝送方法の別の伝送構造図である。
【図１２】本開示の一部実施例の端末の構造図である。
【図１３】本開示の一部実施例のｓＰＵＣＣＨ伝送方法が基地局に応用されるフローチャートである。
【図１４】本開示の一部実施例の基地局の構造図である。
【図１５】関連技術のＬＴＥ  ＦＤＤシステムのフレーム構造図である。
【図１６】関連技術のＬＴＥ  ＴＤＤシステムのフレーム構造図である。
【発明を実施するための形態】
【００６４】
本開示の実施例の目的、技術手段及び利点をより明確にするために、以下、本開示の実施例の図面を参照しながら、本開示の実施例の技術手段を明確且つ完全的に記載する。明らかに、記載する実施例は、本開示の実施例の一部であり、全てではない。本開示の実施例に基づき、当業者が創造性のある作業をしなくても為しえる全ての実施例は、いずれも本開示の保護範囲に属するものである。
【００６５】
当業者に本開示をより理解してもらうために、まず、本開示の実施例に言及される短縮ＴＴＩおよびｓＰＵＣＣＨを紹介する。
【００６６】
短縮ＴＴＩ伝送は、典型的な動作方式であり、すなわちＬＴＥの現行メカニズムによって定義されているサブフレーム構造において、１ｍｓより短い短縮ＴＴＩ伝送が複数含まれることである。アップリンクにおいて、ｓＰＵＳＣＨ（ｓｈｏｒｔｅｎｅｄ  Ｐｈｙｓｉｃａｌ  Ｕｐｌｉｎｋ  Ｓｈａｒｅｄ  ＣＨａｎｎｅｌ）およびｓＰＵＣＣＨがサポートされる。ｓＰＵＣＣＨは、少なくとも、短縮ＴＴＩによるダウンリンク伝送のＡＣＫ／ＮＡＣＫフィードバック情報を運ぶことに用いられる。短縮ＴＴＩの長さは、２つ、３つ、４つまたは７つのＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）またはＳＣ−ＦＤＭＡシンボルであってもよいが、もちろん、それ以外の、シンボルの数が１４以下である場合や時間領域の長さが１ｍｓ以下である場合が除外されない。
【００６７】
本開示の実施例のｓＰＵＣＣＨ伝送方法および端末は、ダウンリンク伝送に対応するダウンリンク制御チャネルでｓＰＵＣＣＨ伝送の循環シフト値を通知することによって、ｓＰＵＣＣＨ伝送を実現している。
【００６８】
一部の実施例のｓＰＵＣＣＨ伝送方法は、図１に示すように、下記ステップを含む。
【００６９】
ステップ１０１において、ダウンリンク伝送を受信し、受信した前記ダウンリンク伝送に対応するダウンリンク制御チャネルに運ばれている指示情報に基づいて、ｓＰＵＣＣＨ伝送の循環シフト値を取得する。
【００７０】
本ステップにおいて、ダウンリンク伝送に対応するダウンリンク制御チャネルに運ばれている指示情報によって、ｓＰＵＣＣＨ伝送の循環シフト値を通知する。例えば、ダウンリンクＤＬ（ＤｏｗｎＬｉｎｋ）  ｇｒａｎｔ（ダウンリンク制御情報ＤＣＩ（Ｄｏｗｎｌｉｎｋ  Ｃｏｎｔｒｏｌ  Ｉｎｆｏｒｍａｔｉｏｎ）フォーマットを用いたダウンリンク制御チャネル）での指示フィールドによって、ｓＰＵＣＣＨ伝送の循環シフト値を通知する。
【００７１】
ステップ１０２において、前記循環シフト値に基づいてｓＰＵＣＣＨ伝送を行い、前記ｓＰＵＣＣＨに前記ダウンリンク伝送のＡＣＫ／ＮＡＣＫフィードバック情報を運ぶ。
【００７２】
本ステップにおいて、取得した循環シフト値に基づいてｓＰＵＣＣＨ伝送を行い、ｓＰＵＣＣＨにダウンリンク伝送のＡＣＫ／ＮＡＣＫフィードバック情報を運ぶことによって、ｓＰＵＣＣＨ伝送を実現している。
【００７３】
本開示の実施例のｓＰＵＣＣＨ伝送方法は、ダウンリンク伝送に対応するダウンリンク制御チャネルによって通知される循環シフト値に基づいて、ｓＰＵＣＣＨ伝送を実現している。関連技術のＬＴＥシステムにおいてチャネル伝送がサブフレーム単位に定義され、ｓＰＵＣＣＨ伝送が明確に提案されていないという問題を解決した。
【００７４】
選択的に、上記ステップ１０１は、具体的に、対応するダウンリンク制御チャネルが存在するｓＰＤＳＣＨ、または、短縮ダウンリンクＳＰＳのリソース解放を指示するダウンリンク制御チャネルを受信し、前記ダウンリンク制御チャネルに運ばれている指示情報に基づいて、ｓＰＵＣＣＨ伝送の循環シフト値を取得するステップ１０１１、または、対応するダウンリンク制御チャネルが存在しないｓＰＤＳＣＨを受信し、短縮ダウンリンクＳＰＳのリソース活性化を指示するダウンリンク制御チャネルに運ばれている指示情報に基づいて、ｓＰＵＣＣＨ伝送の循環シフト値を取得するステップ１０１２を含む。
【００７５】
すなわち、本開示の実施例において、ｓＰＵＣＣＨ伝送の循環シフト値を通知するダウンリンク制御チャネルは、対応する動的ｓＰＤＳＨが存在するダウンリンク制御チャネル、短縮ダウンリンクＳＰＳのリソース活性化を指示するダウンリンク制御チャネル（当該ダウンリンク制御チャネルは、１つのＳＰＳ  ｓＰＤＳＣＨ伝送の活性化に用いられる。）を含み、さらに、短縮ダウンリンクＳＰＳのリソース解放を指示するダウンリンク制御チャネルを含む。もちろん、ｓＰＵＣＣＨにおいて、従来ＴＴＩによるダウンリンク伝送のＡＣＫ／ＮＡＣＫフィードバック情報を運ぶことができれば、ｓＰＵＣＣＨ伝送の循環シフト値を通知するダウンリンク制御チャネルは、さらに、対応する動的ＰＤＳＨが存在するダウンリンク制御チャネル、短縮ダウンリンクＳＰＳのリソース活性化を指示するダウンリンク制御チャネル、短縮ダウンリンクＳＰＳのリソース解放を指示するダウンリンク制御チャネルを含んでもよい。
【００７６】
さらに、本開示の実施例のダウンリンク制御チャネルは、従来（ｌｅｇａｃｙ）ＰＤＣＣＨ（Ｐｈｙｓｉｃａｌ  Ｄｏｗｎｌｉｎｋ  Ｃｏｎｔｒｏｌ  Ｃｈａｎｎｅｌ）／ＥＰＤＣＣＨ（Ｅｎｈａｎｃｅｄ  Ｐｈｙｓｉｃａｌ  Ｄｏｗｎｌｉｎｋ  Ｃｏｎｔｒｏｌ  Ｃｈａｎｎｅｌ）のような、従来の長さで伝送されるダウンリンク制御チャネルであってもよく、１ｍｓより短い長さで伝送されるダウンリンク制御チャネルであってもよく、すなわちｓＰＤＣＣＨ（Ｓｈｏｒｔｅｎｅｄ  Ｐｈｙｓｉｃａｌ  Ｄｏｗｎｌｉｎｋ  Ｃｏｎｔｒｏｌ  Ｃｈａｎｎｅｌ）である。
【００７７】
選択的に、上記ステップ１０２は、具体的に、ベースシーケンスを生成し、前記循環シフト値に基づいて前記ベースシーケンスの循環シフトを行うステップ１０２１と、前記ＡＣＫ／ＮＡＣＫフィードバック情報を変調して変調シンボルを得るステップ１０２２と、前記変調シンボルおよび循環シフト済みベースシーケンスに基づいて変調シンボルシーケンスを取得し、前記変調シンボルシーケンスをｓＰＵＣＣＨの時間領域と周波数領域リソースにマッピングして伝送するステップ１０２３とを含む。
【００７８】
この場合、端末は、ベースシーケンスを生成し、循環シフト値でベースシーケンスの循環シフトを行った後に、ＡＣＫ／ＮＡＣＫフィードバック情報を変調して得た変調シンボルおよび循環シフト済みベースシーケンスに基づいて、周波数領域でスペクトル拡散済みの変調シンボルシーケンスを取得し、最後に、変調シンボルシーケンスを対応する時間領域と周波数領域リソースにマッピングして伝送することによって、ｓＰＵＣＣＨ伝送を実現している。
【００７９】
具体的に、前記ベースシーケンスは、ＣＡＺＡＣシーケンスである。
【００８０】
ここで、前記ＣＡＺＡＣシーケンスは、ｇｏｌｄシーケンスまたはＺＣ（Ｚａｄｏｆｆ−Ｃｈｕ）シーケンスを用いて生成される。
【００８１】
本開示の実施例のｓＰＵＣＣＨ伝送方法において、前記ｓＰＵＣＣＨが１つのＳＣ−ＦＤＭＡシンボルのみを占用して前記ＡＣＫ／ＮＡＣＫフィードバック情報を伝送する場合、上記ステップ１０２は、具体的に、ベースシーケンスを生成し、前記循環シフト値に基づいて前記ベースシーケンスの循環シフトを行って、前記１つのＳＣ−ＦＤＭＡシンボルに対応する循環シフト済みベースシーケンスとすることと、前記変調シンボルと前記循環シフト済みベースシーケンスとを乗算して変調シンボルシーケンスを取得することと、前記変調シンボルシーケンスを、前記ｓＰＵＣＣＨに占用される前記１つのＳＣ−ＦＤＭＡシンボルにマッピングして伝送することとを含む。
【００８２】
この場合、ｓＰＵＣＣＨが１つのＳＣ−ＦＤＭＡシンボルを占用してＡＣＫ／ＮＡＣＫフィードバック情報を伝送する際に、上記方式によってｓＰＵＣＣＨ伝送を実現している。
【００８３】
もちろん、多くの場合において、ｓＰＵＣＣＨに占用されるＳＣ−ＦＤＭＡシンボルは、１つのみに限られない。以下、ｓＰＵＣＣＨが複数のＳＣ−ＦＤＭＡシンボルを占用してＡＣＫ／ＮＡＣＫフィードバック情報を伝送する場合のｓＰＵＣＣＨ伝送を具体的に説明する。
【００８４】
本開示の実施例のｓＰＵＣＣＨ伝送方法において、前記ｓＰＵＣＣＨが複数のＳＣ−ＦＤＭＡシンボルを占用して前記ＡＣＫ／ＮＡＣＫフィードバック情報を伝送する場合、上記ステップ１０２１は、下記方式１または方式２を含む。
【００８５】
方式１：各ＳＣ−ＦＤＭＡシンボルに同一の循環シフト値を使用する。
【００８６】
この場合、端末は、ベースシーケンスを生成し、循環シフト値に従ってベースシーケンスの循環シフトを行って、各ＳＣ−ＦＤＭＡシンボルに対応する循環シフト済みベースシーケンスとする。
【００８７】
方式２：各ＳＣ−ＦＤＭＡシンボルに異なる循環シフト値を使用する。取得した前記循環シフト値に基づいて、各ＳＣ−ＦＤＭＡシンボルに対応する循環シフト値を特定し、または、取得した前記循環シフト値に含まれる複数の値のうちの１つを、各ＳＣ−ＦＤＭＡシンボルに対応する循環シフト値として特定する。
【００８８】
この場合、端末は、ベースシーケンスを生成し、ｓＰＵＣＣＨに占用される第ｉ（ｉ＝０，１，…Ａ−１；Ａ：前記複数のＳＣ−ＦＤＭＡシンボルの数）個のＳＣ−ＦＤＭＡシンボルに対応する循環シフト値に従ってベースシーケンスの循環シフトを行って、第ｉ個のＳＣ−ＦＤＭＡシンボルに対応する循環シフト済みベースシーケンスとする。
【００８９】
ここで、各ＳＣ−ＦＤＭＡシンボルに異なる循環シフト値が使用される場合、取得した循環シフト値に基づいて、各ＳＣ−ＦＤＭＡシンボルに対応する循環シフト値を特定する。例えば、各ＳＣ−ＦＤＭＡシンボルの循環シフト値は、取得した循環シフト値およびＳＣ−ＦＤＭＡシンボル番号の関数から決められる。例えば、１つ目のＳＣ−ＦＤＭＡシンボルの循環シフト値は、取得した循環シフト値であり、その後の各ＳＣ−ＦＤＭＡシンボルの循環シフト値は、１つ前のＳＣ−ＦＤＭＡシンボルの循環シフト値にαを加えた値である。αは、予め取り決められまたは前記ダウンリンク制御チャネルで通知されるステップレングスである。
【００９０】
ｓＰＵＣＣＨが複数のＳＣ−ＦＤＭＡシンボルを占用してＡＣＫ／ＮＡＣＫフィードバック情報を伝送する場合、各ＳＣ−ＦＤＭＡシンボルに同一の循環シフト値を使用し、または、各ＳＣ−ＦＤＭＡシンボルに異なる循環シフト値を使用する。
【００９１】
さらに、上記ステップ１０２３は、各ＳＣ−ＦＤＭＡシンボルに同一のＡＣＫ／ＮＡＣＫフィードバック情報を運ぶこと、または、各ＳＣ−ＦＤＭＡシンボルに異なるＡＣＫ／ＮＡＣＫフィードバック情報を運ぶことを含む。
【００９２】
ｓＰＵＣＣＨが複数のＳＣ−ＦＤＭＡシンボルを占用してＡＣＫ／ＮＡＣＫフィードバック情報を伝送する場合、各ＳＣ−ＦＤＭＡシンボルに同一のＡＣＫ／ＮＡＣＫフィードバック情報を運び（この場合、ｓＰＵＣＣＨが周波数領域で複数の周波数領域スケジューリングリソースユニットを占用して伝送する場合、各周波数領域スケジューリングリソースユニットで伝送されるＡＣＫ／ＮＡＣＫフィードバック情報は、同一であってもよく異なってもよいが、異なるＳＣ−ＦＤＭＡシンボルで伝送されるＡＣＫ／ＮＡＣＫフィードバック情報のシーケンスが同一であればよい。例えば、各ＳＣ−ＦＤＭＡシンボルの１つ目の周波数領域スケジューリングリソースユニットでＡＣＫ／ＮＡＣＫ変調シンボル１を伝送し、各ＳＣ−ＦＤＭＡシンボルの２つ目の周波数領域スケジューリングリソースユニットでＡＣＫ／ＮＡＣＫ変調シンボル２を伝送する。これも、各ＳＣ−ＦＤＭＡシンボルに同一のＡＣＫ／ＮＡＣＫフィードバック情報を運ぶことである。）、または、各ＳＣ−ＦＤＭＡシンボルに異なるＡＣＫ／ＮＡＣＫフィードバック情報を運ぶ。
【００９３】
方式１−１：各ＳＣ−ＦＤＭＡシンボルに同一の循環シフト値が使用されかつ各ＳＣ−ＦＤＭＡシンボルに同一のＡＣＫ／ＮＡＣＫフィードバック情報が運ばれる場合、上記ステップ１０２１は、具体的に、ベースシーケンスを生成し、前記循環シフト値に基づいて、前記ベースシーケンスの循環シフトを行って、各ＳＣ−ＦＤＭＡシンボルに対応する循環シフト済みベースシーケンスとすることを含む。上記ステップ１０２３は、具体的に、前記変調シンボルと循環シフト済みベースシーケンスとを乗算し、１つのＳＣ−ＦＤＭＡシンボルに運ばれる変調シンボルシーケンスを得ることと、前記１つのＳＣ−ＦＤＭＡシンボルで伝送される変調シンボルシーケンスを複数複製し、それぞれ前記複数のＳＣ−ＦＤＭＡシンボルの各ＳＣ−ＦＤＭＡシンボルにマッピングして伝送することとを含む。
【００９４】
この場合、端末は、ＡＣＫ／ＮＡＣＫフィードバック情報を変調して得た変調シンボルと循環シフト済みベースシーケンスとを乗算し、周波数領域でスペクトル拡散済みの変調シンボルシーケンスを取得し、同一列の変調シンボルシーケンスをそれぞれ各ＳＣ−ＦＤＭＡシンボルにマッピングして伝送する（すなわち各ＳＣ−ＦＤＭＡシンボルで同一の変調シンボルシーケンスが伝送される。）。
【００９５】
方式１−２：各ＳＣ−ＦＤＭＡシンボルに同一の循環シフト値が使用されかつ各ＳＣ−ＦＤＭＡシンボルに異なるＡＣＫ／ＮＡＣＫフィードバック情報が運ばれる場合、上記ステップ１０２１は、具体的に、ベースシーケンスを生成し、前記循環シフト値に基づいて、前記ベースシーケンスの循環シフトを行って、各ＳＣ−ＦＤＭＡシンボルに対応する循環シフト済みベースシーケンスとすることを含む。上記ステップ１０２３は、具体的に、前記変調シンボルのうち、前記複数のＳＣ−ＦＤＭＡシンボルの第ｉ（ｉ＝０，１，…Ａ−１；Ａ：前記複数のＳＣ−ＦＤＭＡシンボルの数）個のＳＣ−ＦＤＭＡシンボルに運ばれている変調シンボルと、循環シフト済みベースシーケンスとを乗算し、前記第ｉ個のＳＣ−ＦＤＭＡシンボルに対応する変調シンボルシーケンスを得ることと、前記第ｉ個のＳＣ−ＦＤＭＡシンボルに対応する変調シンボルシーケンスを、前記第ｉ個のＳＣ−ＦＤＭＡシンボルにマッピングして伝送することとを含む。
【００９６】
この場合、端末は、ＡＣＫ／ＮＡＣＫフィードバック情報を変調して得た第ｉ個の変調シンボルと循環シフト済みベースシーケンスとを乗算し、第ｉ列の周波数領域でスペクトル拡散済みの変調シンボルシーケンスを取得し、ｓＰＵＣＣＨに占用される第ｉ個のＳＣ−ＦＤＭＡシンボルにマッピングして伝送する。
【００９７】
方式２−１：各ＳＣ−ＦＤＭＡシンボルに異なる循環シフト値が使用されかつ各ＳＣ−ＦＤＭＡシンボルに同一のＡＣＫ／ＮＡＣＫフィードバック情報が運ばれる場合、上記ステップ１０２１は、具体的に、ベースシーケンスを生成し、前記各ＳＣ−ＦＤＭＡシンボルに対応する循環シフト値に基づいて、前記ベースシーケンスの循環シフトを行って、対応するＳＣ−ＦＤＭＡシンボルに対応する循環シフト済みベースシーケンスとすることを含む。上記ステップ１０２３は、具体的に、前記変調シンボルを前記各ＳＣ−ＦＤＭＡシンボルに対応する循環シフト済みベースシーケンスとそれぞれ乗算し、各ＳＣ−ＦＤＭＡシンボルに対応する変調シンボルシーケンスを得ることと、前記各ＳＣ−ＦＤＭＡシンボルに対応する変調シンボルシーケンスを、それぞれ前記複数のＳＣ−ＦＤＭＡシンボルのうち、対応するＳＣ−ＦＤＭＡシンボルにマッピングして伝送することとを含む。
【００９８】
この場合、端末は、ベースシーケンスを生成し、ｓＰＵＣＣＨに占用される第ｉ（ｉ＝０，１，…Ａ−１；Ａ：前記複数のＳＣ−ＦＤＭＡシンボルの数）個のＳＣ−ＦＤＭＡシンボルに対応する循環シフト値でベースシーケンスの循環シフトを行って、第ｉ個のＳＣ−ＦＤＭＡシンボルに対応する循環シフト済みベースシーケンスとする。端末は、ＡＣＫ／ＮＡＣＫフィードバック情報を変調して得た変調シンボルと第ｉ個のＳＣ−ＦＤＭＡシンボルに対応する循環シフト済みベースシーケンスとを乗算し、第ｉ個のＳＣ−ＦＤＭＡシンボルに対応する変調シンボルシーケンスを得、第ｉ個のＳＣ−ＦＤＭＡシンボルに対応する変調シンボルシーケンスを、前記第ｉ個のＳＣ−ＦＤＭＡシンボルにマッピングして伝送する。
【００９９】
方式２−２：各ＳＣ−ＦＤＭＡシンボルに異なる循環シフト値が使用されかつ各ＳＣ−ＦＤＭＡシンボルに異なるＡＣＫ／ＮＡＣＫフィードバック情報が運ばれる場合、上記ステップ１０２１は、具体的に、ベースシーケンスを生成し、前記各ＳＣ−ＦＤＭＡシンボルに対応する循環シフト値に基づいて、前記ベースシーケンスの循環シフトを行って、対応するＳＣ−ＦＤＭＡシンボルに対応する循環シフト済みベースシーケンスとすることを含む。上記ステップ１０２３は、具体的に、前記変調シンボルのうち、前記複数のＳＣ−ＦＤＭＡシンボルの第ｉ（ｉ＝０，１，…Ａ−１；Ａ：前記複数のＳＣ−ＦＤＭＡシンボルの数）個のＳＣ−ＦＤＭＡシンボルに運ばれている変調シンボルと、前記第ｉ個のＳＣ−ＦＤＭＡシンボルに対応する循環シフト済みベースシーケンスとを乗算し、前記第ｉ個のＳＣ−ＦＤＭＡシンボルに対応する変調シンボルシーケンスを得ることと、前記第ｉ個のＳＣ−ＦＤＭＡシンボルに対応する変調シンボルシーケンスを、前記第ｉ個のＳＣ−ＦＤＭＡシンボルにマッピングして伝送することとを含む。
【０１００】
この場合、端末は、ベースシーケンスを生成し、ｓＰＵＣＣＨに占用される第ｉ（ｉ＝０，１，…Ａ−１；Ａ：前記複数のＳＣ−ＦＤＭＡシンボルの数）個のＳＣ−ＦＤＭＡシンボルに対応する循環シフト値に従ってベースシーケンスの循環シフトを行って、第ｉ個のＳＣ−ＦＤＭＡシンボルに対応する循環シフト済みベースシーケンスとする。端末は、第ｉ個のＳＣ−ＦＤＭＡシンボルに運ばれる変調シンボルと、前記第ｉ個のＳＣ−ＦＤＭＡシンボルに対応する循環シフト済みベースシーケンスとを乗算し、第ｉ個のＳＣ−ＦＤＭＡシンボルに対応する変調シンボルシーケンスを取得し、第ｉ個のＳＣ−ＦＤＭＡシンボルに対応する変調シンボルシーケンスを、前記第ｉ個のＳＣ−ＦＤＭＡシンボルにマッピングして伝送する。
【０１０１】
方式３：上記ステップ１０２３は、前記変調シンボル、循環シフト済みベースシーケンスおよび時間領域直交スペクトル拡散シーケンスに基づいて、変調シンボルシーケンスを取得し、前記変調シンボルシーケンスをｓＰＵＣＣＨの時間領域および周波数領域リソースにマッピングして伝送することを含む。
【０１０２】
ここで、時間領域直交スペクトル拡散シーケンスは、予め取り決められるか、ハイレイヤシグナリングによって配置されるか、ダウンリンク制御チャネルによって通知される。
【０１０３】
この場合、端末は、ベースシーケンスを生成し、対応する循環シフト値（各ＳＣ−ＦＤＭＡシンボルの同一または異なる循環シフト値）に従って前記ベースシーケンスの循環シフトを行い、前記ＡＣＫ／ＮＡＣＫフィードバック情報を変調して得た変調シンボルと前記循環シフト済みベースシーケンスとを乗算し、周波数領域でスペクトル拡散済みの変調シンボルシーケンスを取得し、前記変調シンボルシーケンスと長さがＡ（前記ｓＰＵＣＣＨに占用されるＳＣ−ＦＤＭＡシンボルの数）である直交シーケンスとを乗算し、直交スペクトル拡散済みのＡ列の変調シンボルシーケンスをそれぞれＡ個のＳＣ−ＦＤＭＡシンボルにマッピングして伝送する。
【０１０４】
方式３の場合、各ＳＣ−ＦＤＭＡシンボルに同一の循環シフト値が使用される場合、上記ステップ１０２１は、具体的に、ベースシーケンスを生成し、前記循環シフト値に基づいて、前記ベースシーケンスの循環シフトを行って、各ＳＣ−ＦＤＭＡシンボルに対応する循環シフト済みベースシーケンスとすることを含む。上記ステップ１０２３は、具体的に、前記変調シンボルと循環シフト済みベースシーケンスとを乗算し、変調シンボルシーケンスを得ることと、前記変調シンボルシーケンスと、長さが前記ｓＰＵＣＣＨに占用されるＳＣ−ＦＤＭＡシンボルの数とは同一であり、予め得られた時間領域直交スペクトル拡散シーケンスとを乗算して複数の直交スペクトル拡散済み変調シンボルシーケンスを得ることと、前記複数の直交スペクトル拡散済み変調シンボルシーケンスを、それぞれ前記ＳＣ−ＦＤＭＡシンボルにマッピングして伝送することとを含む。
【０１０５】
この場合、端末は、ベースシーケンスを生成し、循環シフト値に従って前記ベースシーケンスの循環シフトを行い、前記ＡＣＫ／ＮＡＣＫフィードバック情報を変調して得た変調シンボルと前記循環シフト済みシーケンスとを乗算して周波数領域でスペクトル拡散済みの変調シンボルシーケンスを取得し、前記変調シンボルシーケンスと長さがＡ（前記ｓＰＵＣＣＨに占用されるＳＣ−ＦＤＭＡシンボルの数）である時間領域直交スペクトル拡散シーケンスとを乗算し、直交スペクトル拡散済みのＡ列の変調シンボルシーケンスをそれぞれＡ個のＳＣ−ＦＤＭＡシンボルにマッピングして伝送する。
【０１０６】
方式３の場合、各ＳＣ−ＦＤＭＡシンボルに異なる循環シフト値が使用される場合、上記ステップ１０２１は、具体的に、ベースシーケンスを生成し、前記各ＳＣ−ＦＤＭＡシンボルに対応する循環シフト値に基づいて、前記ベースシーケンスの循環シフトを行って、対応するＳＣ−ＦＤＭＡシンボルに対応する循環シフト済みベースシーケンスとすることを含む。上記ステップ１０２３は、具体的に、前記変調シンボルと、前記複数のＳＣ−ＦＤＭＡシンボルの第ｉ（ｉ＝０，１，…Ａ−１；Ａ：前記複数のＳＣ−ＦＤＭＡシンボルの数）個のＳＣ−ＦＤＭＡシンボルに対応する循環シフト済みベースシーケンスとを乗算し、前記第ｉ個のＳＣ−ＦＤＭＡシンボルに対応する直交シーケンスのうちの第ｉ個の直交因子と乗算し、前記第ｉ個のＳＣ−ＦＤＭＡシンボルに対応する変調シンボルシーケンスを得ることと、各ＳＣ−ＦＤＭＡシンボルに対応する変調シンボルシーケンスを、対応するＳＣ−ＦＤＭＡシンボルにマッピングして伝送することとを含む。
【０１０７】
ここで、仮に計Ａ個のＳＣ−ＦＤＭＡシンボルがあり、時間領域直交スペクトル拡散シーケンスの長さがＡであり、１つの時間領域直交スペクトル拡散シーケンスにＡ個の直交係数を含み、各直交係数が１つのＳＣ−ＦＤＭＡシンボルに対応し、変調シンボルと第ｉ個のＳＣ−ＦＤＭＡシンボルに対応する循環シフト済みベースシーケンスとを乗算してから、当該第ｉ個のＳＣ−ＦＤＭＡシンボルに対応する直交係数と乗算して得た変調シンボルシーケンスを、当該第ｉ個のＳＣ−ＦＤＭＡシンボルにマッピングして伝送する。
【０１０８】
本開示の実施例のｓＰＵＣＣＨ伝送方法において、前記ｓＰＵＣＣＨが１つの周波数領域スケジューリングリソースユニットしか占用しない場合、上記ステップ１０２１は、具体的に、前記１つの周波数領域スケジューリングリソースユニットのサイズに基づいてベースシーケンスを生成し、前記循環シフト値に基づいて前記ベースシーケンスの循環シフトを行うことを含む。上記ステップ１０２３は、具体的に、前記変調シンボルと、循環シフト済みベースシーケンスとを乗算して変調シンボルシーケンスを得ることと、前記変調シンボルシーケンスを、前記ｓＰＵＣＣＨに占用される前記１つの周波数領域スケジューリングリソースユニットにマッピングして伝送することとを含む。
【０１０９】
この場合、ｓＰＵＣＣＨが１つの周波数領域スケジューリングリソースユニットを占用する場合、上記方法によってｓＰＵＣＣＨ伝送を実現している。
【０１１０】
ここで、必要に応じて１つの周波数領域スケジューリングリソースユニットのサイズを定義する。例えば、１つのリソースブロックＲＢ（Ｒｅｓｏｕｒｃｅ  Ｂｌｏｃｋ）または複数のＲＢを、１つの周波数領域スケジューリングリソースユニットに定義する。もちろん、周波数領域スケジューリングリソースユニットは、ＲＢに限定されず、ほかのリソースであってもよい。
【０１１１】
もちろん、多くの場合において、ｓＰＵＣＣＨに占用される周波数領域スケジューリングリソースユニットは、１つに限られない。以下、ｓＰＵＣＣＨが複数の周波数領域スケジューリングリソースユニットを占用する場合のｓＰＵＣＣＨ伝送を具体的に説明する。
【０１１２】
方式４：前記ｓＰＵＣＣＨが複数の周波数領域スケジューリングリソースユニットを占用する場合、上記ステップ１０２１は、１つの周波数領域スケジューリングリソースユニットのサイズに基づいてベースシーケンスを生成し、前記循環シフト値に基づいて前記ベースシーケンスの循環シフトを行うことを含む。
【０１１３】
この場合、端末は、長さがＮ１（１つの周波数領域スケジューリングリソースユニットのサイズ）であるベースシーケンスを生成してから、対応する循環シフト値（各ＳＣ−ＦＤＭＡシンボルの同一または異なる循環シフト値）に従って前記長さＮ１のベースシーケンスの循環シフトを行う。
【０１１４】
さらに、１つの周波数領域スケジューリングリソースユニットのサイズに基づいてベースシーケンスを生成する場合、上記ステップ１０２３は、各周波数領域スケジューリングリソースユニットに同一のＡＣＫ／ＮＡＣＫフィードバック情報を運ぶこと、または、各周波数領域スケジューリングリソースユニットに異なるＡＣＫ／ＮＡＣＫフィードバック情報を運ぶことを含む。
【０１１５】
ｓＰＵＣＣＨが複数の周波数領域スケジューリングリソースユニットを占用する場合、各周波数領域スケジューリングリソースユニットに同一のＡＣＫ／ＮＡＣＫフィードバック情報を運び、または、各周波数領域スケジューリングリソースユニットに異なるＡＣＫ／ＮＡＣＫフィードバック情報を運ぶ。
【０１１６】
方式４−１：各周波数領域スケジューリングリソースユニットに同一のＡＣＫ／ＮＡＣＫフィードバック情報が運ばれる場合、上記ステップ１０２３は、前記変調シンボルと、循環シフト済みベースシーケンスとを乗算し、１つの周波数領域スケジューリングリソースユニットに対応する変調シンボルシーケンスを得ることと、前記１つの周波数領域スケジューリングリソースユニットに対応する変調シンボルシーケンスを複数複製し、それぞれ前記ｓＰＵＣＣＨに占用される各周波数領域スケジューリングリソースユニットにマッピングして伝送することとを含む。
【０１１７】
この場合、端末は、前記ＡＣＫ／ＮＡＣＫフィードバック情報を変調して得た変調シンボルと前記循環シフト済みベースシーケンスとを乗算し、周波数領域でスペクトル拡散済みの長さＮ１の変調シンボルシーケンスを取得し、前記同一列の長さＮ１の変調シンボルシーケンスを、それぞれ各周波数領域スケジューリングリソースユニットにマッピングして伝送する（すなわち各周波数領域スケジューリングリソースユニットで伝送される変調シンボルシーケンスが同一である。）。
【０１１８】
方式４−２：各周波数領域スケジューリングリソースユニットに異なるＡＣＫ／ＮＡＣＫフィードバック情報が運ばれる場合、上記ステップ１０２３は、前記変調シンボルのうち、それぞれ各周波数領域スケジューリングリソースユニットに運ばれる変調シンボルと、循環シフト済みベースシーケンスとを乗算し、対応する周波数領域スケジューリングリソースユニットに対応する変調シンボルシーケンスを得ることと、各周波数領域スケジューリングリソースユニットに対応する変調シンボルシーケンスを、それぞれ対応する周波数領域スケジューリングリソースユニットにマッピングして伝送することとを含む。
【０１１９】
この場合、端末は、前記ＡＣＫ／ＮＡＣＫフィードバック情報を変調して得た第ｉ（ｉ＝０，１，…Ｂ−１；Ｂ：前記ｓＰＵＣＣＨに占用される周波数領域スケジューリングリソースユニットの数）個の変調シンボルと前記循環シフト済みベースシーケンスとを乗算し、第ｉ列の周波数領域でスペクトル拡散済みの変調シンボルシーケンスを得、前記変調シンボルシーケンスを、前記ｓＰＵＣＣＨに占用される第ｉ個の周波数領域スケジューリングリソースユニットにマッピングして伝送する。
【０１２０】
方式５：前記ｓＰＵＣＣＨが複数の周波数領域スケジューリングリソースユニットを占用する場合、上記ステップ１０２１は、前記複数の周波数領域スケジューリングリソースユニットのサイズの合計に基づいてベースシーケンスを生成し、前記循環シフト値に基づいて前記ベースシーケンスの循環シフトを行うことを含む。
【０１２１】
この場合、端末は、長さがＮ２（前記複数の周波数領域スケジューリングリソースユニットのサイズの合計）であるベースシーケンスを生成してから、対応する循環シフト値（各ＳＣ−ＦＤＭＡシンボルの同一または異なる循環シフト値）に従って前記長さＮ２のベースシーケンスの循環シフトを行う。
【０１２２】
方式５の場合、上記ステップ１０２３は、前記変調シンボルと、循環シフト済みベースシーケンスとを乗算して変調シンボルシーケンスを得ることと、前記変調シンボルシーケンスを、前記ｓＰＵＣＣＨに占用される複数の周波数領域スケジューリングリソースユニットにマッピングして伝送することとを含む。
【０１２３】
この場合、端末は、前記ＡＣＫ／ＮＡＣＫフィードバック情報を変調して得た変調シンボルと前記循環シフト済みベースシーケンスとを乗算し、周波数領域でスペクトル拡散済みの長さＮ２の変調シンボルシーケンスを取得し、前記変調シンボルシーケンスを、前記複数の周波数領域スケジューリングリソースユニットにマッピングして伝送する（すなわち当該方式において各周波数領域スケジューリングリソースユニットに運ばれるＡＣＫ／ＮＡＣＫフィードバック情報が同一である。）。
【０１２４】
上記の本開示の実施例において、周波数領域において１つまたは複数の周波数領域スケジューリングリソースユニットを占用するｓＰＵＣＣＨ伝送方法は、ｓＰＵＣＣＨが時間領域において１つまたは複数のＳＣ−ＦＤＭＡシンボルを占用してＡＣＫ／ＮＡＣＫフィードバック情報を伝送する方法と組み合わせてもよい。
【０１２５】
本開示の実施例のｓＰＵＣＣＨ伝送方法は、ダウンリンク伝送に対応するダウンリンク制御チャネルによって通知される循環シフト値に基づいて、ｓＰＵＣＣＨ伝送を実現している。例えばｓＰＵＣＣＨに用いられる循環シフト値をＤＬ  ｇｒａｎｔで通知することによって、同一リソースにおける異なる端末の多重化伝送を柔軟に制御することができる。関連技術のＬＴＥシステムにおいてチャネル伝送がサブフレーム単位に定義され、ｓＰＵＣＣＨ伝送が明確に提案されていないという問題を解決した。
【０１２６】
本開示の実施例において、図１を参照して記載した実施例の具体応用例を提供する。
【０１２７】
本開示の実施例は、長さが２つのＳＣ−ＦＤＭＡシンボルであるｓＰＵＣＣＨを例とし、仮に１つのｓＰＵＣＣＨにおいて、１つのダウンリンク短縮ＴＴＩ伝送のみのＡＣＫ／ＮＡＣＫフィードバック情報を運ぶ。
【０１２８】
本開示の実施例のｓＰＵＣＣＨ伝送方法の具体的な過程は、以下である。
【０１２９】
端末は、ダウンリンクサブフレームまたはダウンリンク短縮ＴＴＩにおいて、対応するダウンリンク制御チャネルが存在するｓＰＤＳＣＨ、または、短縮ダウンリンクＳＰＳのリソース解放を指示するダウンリンク制御チャネルを受信し、前記ダウンリンク制御チャネルに用いられるＤＣＩフォーマットでの指示情報に基づいて、ＡＣＫ／ＮＡＣＫフィードバック情報が運ばれるｓＰＵＣＣＨ伝送の循環シフト値を取得する。仮に各ＳＣ−ＦＤＭＡシンボルの循環シフト値は、同一であり、いずれもダウンリンク制御チャネルによって指示される循環シフト値である。
【０１３０】
端末は、当該ｓＰＤＳＣＨまたは短縮ダウンリンクＳＰＳのリソース解放を指示するダウンリンク制御チャネルの１または２ビットのＡＣＫ／ＮＡＣＫフィードバック情報を生成し（ｓＰＤＳＣＨがマルチコードワード伝送でありかつ空間合併が使用されない場合に、２ビットであるが、それ以外の場合、１ビットである。）、ＱＰＳＫ（Ｑｕａｄｒａｔｕｒｅ  Ｐｈａｓｅ  Ｓｈｉｆｔ  Ｋｅｙｉｎｇ）変調を経て１つの変調シンボルを得る。
【０１３１】
ケース１：仮に、ｓＰＵＣＣＨのＤＭＲＳ（Ｄｅ  Ｍｏｄｕｌａｔｉｏｎ  Ｒｅｆｅｒｅｎｃｅ  Ｓｉｇｎａｌ）が当該２つのＳＣ−ＦＤＭＡシンボルに含まれず、または、ｓＰＵＣＣＨにおいてそのシーケンス自身を使用してチャネル推定を行うが、別途ＤＭＲＳを必要としない。
【０１３２】
仮にｓＰＵＣＣＨ伝送が周波数領域において２つのＲＢを占用し（仮に１つのＲＢが１つの周波数領域スケジューリングリソースユニットである。）、または、前記ダウンリンク制御チャネルで、当該ダウンリンク制御チャネルに対応するＡＣＫ／ＮＡＣＫを運ぶｓＰＵＣＣＨが周波数領域において占用するＲＢ数（例えば２）を端末に通知する。
【０１３３】
方式１−１＋方式４−１：端末は、長さが１２（１つのＲＢに対応する周波数領域リソース）であるベースシーケンスを生成し、上記循環シフト値に従って当該ベースシーケンスの循環シフトを行い、上記１つの変調シンボルと循環シフト済みベースシーケンスとを乗算し、周波数領域でスペクトル拡散済みの長さ１２の変調シンボルシーケンスＡを取得し、当該長さ１２の変調シンボルシーケンスを（２つに複製して）それぞれ１つのＳＣ−ＦＤＭＡシンボルの各ＲＢにマッピングして伝送する。各ＳＣ−ＦＤＭＡシンボルに対し上記過程を繰り返す。すなわち、図２に示すように、各ＳＣ−ＦＤＭＡシンボルおよび各ＳＣ−ＦＤＭＡシンボルの異なるＲＢでは、同一の変調シンボルシーケンスＡが伝送される。
【０１３４】
方式１−１＋方式５：端末は、長さが２４（２つのＲＢに対応する周波数領域リソース）であるベースシーケンスを生成し、上記循環シフト値に従って当該ベースシーケンスの循環シフトを行い、上記１つの変調シンボルと循環シフト済みベースシーケンスとを乗算し、周波数領域でスペクトル拡散済みの長さ２４の変調シンボルシーケンスＢを得、当該長さ２４の変調シンボルシーケンスを１つのＳＣ−ＦＤＭＡシンボルの２つのＲＢにマッピングする。各ＳＣ−ＦＤＭＡシンボルに対し上記過程を繰り返す。すなわち、図３に示すように、各ＳＣ−ＦＤＭＡシンボルでは、同一の変調シンボルシーケンスＢが伝送される。
【０１３５】
仮にｓＰＵＣＣＨ伝送が周波数領域において１つのＲＢを占用し（仮に１つのＲＢが１つの周波数領域スケジューリングリソースユニットである。）、または、前記ダウンリンク制御チャネルで、当該ダウンリンク制御チャネルに対応するＡＣＫ／ＮＡＣＫを運ぶｓＰＵＣＣＨが周波数領域において占用するＲＢ数（例えば１）を端末に通知する。
【０１３６】
方式１−１：端末は、長さが１２（１つのＲＢに対応する周波数領域リソース）であるベースシーケンスを生成し、上記循環シフト値に従って当該ベースシーケンスの循環シフトを行い、上記１つの変調シンボルと循環シフト済みベースシーケンスとを乗算し、周波数領域でスペクトル拡散済みの長さ１２の変調シンボルシーケンスＡを得、当該長さ１２の変調シンボルシーケンスを（２つに複製して）それぞれ各ＳＣ−ＦＤＭＡシンボルにマッピングして伝送する。図２の１つのＲＢでの伝送を参照する。
【０１３７】
当該実施例に基づいて、複数のＳＣ−ＦＤＭＡシンボルの間で時間領域直交スペクトル拡散を行ってもよい。上記取得した変調シンボルシーケンスＡと長さ２の直交シーケンス［ｏｃ１，ｏｃ２］とを乗算し、２列の長さ１２の変調シンボルシーケンス（ と ）を取得し、それぞれ２つのＳＣ−ＦＤＭＡシンボルの各ＲＢにマッピングして伝送する。すなわち、図４に示すように、２つのＳＣ−ＦＤＭＡシンボルにおいて、同一ＲＢで伝送されるのは、時間領域直交スペクトル拡散済みの２列の長さ１２の変調シンボルシーケンスであり、各ＳＣ−ＦＤＭＡシンボルの２つのＲＢで伝送される内容は同一である。ｓＰＵＣＣＨが周波数領域において１つのＲＢのみを占用して伝送する場合、図４に示す１つのＲＢでの伝送のケースとなる。または、上記取得した変調シンボルシーケンスＢと長さ２の直交シーケンス［ｏｃ１，ｏｃ２］とを乗算し、２列の長さ２４の変調シンボルシーケンス（ と ）を取得し、それぞれ２つのＳＣ−ＦＤＭＡシンボルの２つのＲＢにマッピングして伝送する。すなわち、図５に示すように、２つのＳＣ−ＦＤＭＡシンボルにおいて、２つのＲＢで伝送されるのは、時間領域直交スペクトル拡散済みの２列の長さ２４の変調シンボルシーケンスである。
【０１３８】
ケース２：仮に、ｓＰＵＣＣＨのＤＭＲＳが当該２つのＳＣ−ＦＤＭＡシンボルに含まれる。例えば、１つ目のＳＣ−ＦＤＭＡシンボルは、ＤＭＲＳであり、２つ目のＳＣ−ＦＤＭＡシンボルのみがＡＣＫ／ＮＡＣＫを運ぶことに用いられる。
【０１３９】
仮にｓＰＵＣＣＨ伝送が周波数領域において２つのＲＢを占用し（仮に１つのＲＢが１つの周波数領域スケジューリングリソースユニットである。）、または、前記ダウンリンク制御チャネルで、当該ダウンリンク制御チャネルに対応するＡＣＫ／ＮＡＣＫを運ぶｓＰＵＣＣＨが周波数領域において占用するＲＢ数（例えば２）を端末に通知する。
【０１４０】
方式１−１＋方式４−１：端末は、図６に示すように、長さが１２（１つのＲＢに対応する周波数領域リソース）であるベースシーケンスを生成し、上記循環シフト値に従って当該ベースシーケンスの循環シフトを行い、上記１つの変調シンボルと循環シフト済みベースシーケンスとを乗算し、周波数領域でスペクトル拡散済みの長さ１２の変調シンボルシーケンスＡを取得し、当該長さ１２の変調シンボルシーケンスを（２つに複製して）それぞれＡＣＫ／ＮＡＣＫを運ぶ１つのＳＣ−ＦＤＭＡシンボルの各ＲＢにマッピングして伝送する。
【０１４１】
方式１−１＋方式５：端末は、長さが２４（２つのＲＢに対応する周波数領域リソース）であるベースシーケンスを生成し、上記循環シフト値に従って当該ベースシーケンスの循環シフトを行い、上記１つの変調シンボルと循環シフト済みベースシーケンスとを乗算し、周波数領域でスペクトル拡散済みの長さ２４の変調シンボルシーケンスＢを取得し、当該長さ２４の変調シンボルシーケンスを、ＡＣＫ／ＮＡＣＫを運ぶ１つのＳＣ−ＦＤＭＡシンボルの２つのＲＢにマッピングする。すなわち、図７に示すように、各ＳＣ−ＦＤＭＡシンボルでは、同一の変調シンボルシーケンスＢが伝送される。
【０１４２】
仮にｓＰＵＣＣＨ伝送が周波数領域において１つのＲＢを占用し（仮に１つのＲＢが１つの周波数領域スケジューリングリソースユニットである。）、または、前記ダウンリンク制御チャネルで、当該ダウンリンク制御チャネルに対応するＡＣＫ／ＮＡＣＫを運ぶｓＰＵＣＣＨが周波数領域において占用するＲＢ数（例えば１）を端末に通知する。
【０１４３】
方式１−１：端末は、長さが１２（１つのＲＢに対応する周波数領域リソース）であるベースシーケンスを生成し、上記循環シフト値に従って当該ベースシーケンスの循環シフトを行い、上記１つの変調シンボルと循環シフト済みベースシーケンスとを乗算し、周波数領域でスペクトル拡散済みの長さ１２の変調シンボルシーケンスＡを得、当該長さ１２の変調シンボルシーケンスを、ＡＣＫ／ＮＡＣＫを運ぶ１つのＳＣ−ＦＤＭＡシンボルにマッピングして伝送する。図６の１つのＲＢでの伝送を参照する。
【０１４４】
本開示の実施例において、図１を参照して記載した実施例の別の具体的な応用例を提供する。
【０１４５】
本開示の実施例は、長さが２つのＳＣ−ＦＤＭＡシンボルであるｓＰＵＣＣＨを例とし、仮に１つのｓＰＵＣＣＨでは、複数のダウンリンク短縮ＴＴＩ伝送のＡＣＫ／ＮＡＣＫフィードバック情報が運ばれる。
【０１４６】
本開示の実施例のｓＰＵＣＣＨ伝送方法の具体的な過程は、以下である。
【０１４７】
端末は、ダウンリンクサブフレームまたはダウンリンク短縮ＴＴＩにおいて、対応するダウンリンク制御チャネルが存在するｓＰＤＳＣＨ、または、短縮ダウンリンクＳＰＳのリソース解放を指示するダウンリンク制御チャネルを受信し、前記ダウンリンク制御チャネルに用いられるＤＣＩフォーマットでの指示情報に基づいて、ＡＣＫ／ＮＡＣＫフィードバック情報が運ばれるｓＰＵＣＣＨ伝送の循環シフト値を取得する。同一のｓＰＵＣＣＨにおいて、ＡＣＫ／ＮＡＣＫ用の複数のダウンリンク制御チャネルに指示される循環シフト値は、同一である。仮に各ＳＣ−ＦＤＭＡシンボルの循環シフト値は、同一であり、いずれもダウンリンク制御チャネルによって指示される循環シフト値である。
【０１４８】
端末は、現在のｓＰＵＣＣＨで伝送されるｓＰＤＳＣＨまたは短縮ダウンリンクＳＰＳのリソース解放を指示するダウンリンク制御チャネルのＫビットのＡＣＫ／ＮＡＣＫフィードバック情報を生成し（例えば、仮に２つのｓＰＤＳＣＨのＡＣＫ／ＮＡＣＫフィードバック情報が同一のｓＰＵＣＣＨで伝送され、かつｓＰＤＳＣＨが２コードワード伝送であると、各ｓＰＤＳＣＨが２ビットのＡＣＫ／ＮＡＣＫフィードバック情報に対応し、計４ビットである。または、仮に４つのｓＰＤＳＣＨ／短縮ダウンリンクＳＰＳのリソース解放を指示するダウンリンク制御情報のＡＣＫ／ＮＡＣＫフィードバック情報が同一のｓＰＵＣＣＨで伝送され、かつｓＰＤＳＣＨが１コードワードまたはマルチコードワード伝送でありかつＡＣＫ／ＮＡＣＫの空間合併が行われると、各ｓＰＤＳＣＨ／短縮ダウンリンクＳＰＳのリソース解放を指示するダウンリンク制御情報が１ビットのＡＣＫ／ＮＡＣＫフィードバック情報に対応し、計４ビットである。）、ＱＰＳＫ変調を経て２つの変調シンボルを得る。
【０１４９】
ケース１：仮に、ｓＰＵＣＣＨのＤＭＲＳが当該２つのＳＣ−ＦＤＭＡシンボルに含まれず、または、ｓＰＵＣＣＨにおいてそのシーケンス自身を使用してチャネル推定を行い、別途ＤＭＲＳを必要としない。
【０１５０】
仮にｓＰＵＣＣＨ伝送が周波数領域において２つのＲＢを占用し（仮に１つのＲＢが１つの周波数領域スケジューリングリソースユニットである。）、または、前記ダウンリンク制御チャネルで、当該ダウンリンク制御チャネルに対応するＡＣＫ／ＮＡＣＫフィードバック情報を運ぶｓＰＵＣＣＨが周波数領域において占用するＲＢ数（例えば２）を端末に通知する。
【０１５１】
方式１−２＋方式４−１：端末は、長さが１２（１つのＲＢに対応する周波数領域リソース）であるベースシーケンスを生成し、上記循環シフト値に従って当該ベースシーケンスの循環シフトを行い、上記２つの変調シンボルのうちの変調シンボル１と循環シフト済みベースシーケンスとを乗算し、周波数領域でスペクトル拡散済みの長さ１２の変調シンボルシーケンスＡ１を取得し、当該長さ１２の変調シンボルシーケンスを（２つに複製して）それぞれ１つ目のＳＣ−ＦＤＭＡシンボルの各ＲＢにマッピングして伝送し、上記２つの変調シンボルのうちの変調シンボル２と循環シフト済みシーケンスとを乗算し、周波数領域でスペクトル拡散済みの長さ１２の変調シンボルシーケンスＡ２を取得し、当該長さ１２の変調シンボルシーケンスを（２つに複製して）それぞれ２つ目のＳＣ−ＦＤＭＡシンボルの各ＲＢにマッピングして伝送する。すなわち、図８に示すように、各ＳＣ−ＦＤＭＡシンボルの異なるＲＢでは、同一の変調シンボルシーケンスが伝送され、異なるＳＣ−ＦＤＭＡシンボルでは、異なる変調シンボルシーケンスが伝送される。
【０１５２】
方式１−１＋方式４−２：端末は、長さが１２（１つのＲＢに対応する周波数領域リソース）であるベースシーケンスを生成し、上記循環シフト値に従って当該ベースシーケンスの循環シフトを行い、上記２つの変調シンボルのうちの変調シンボル１と循環シフト済みベースシーケンスとを乗算し、周波数領域でスペクトル拡散済みの長さ１２の変調シンボルシーケンスＡ１を取得し、当該長さ１２の変調シンボルシーケンスを（２つに複製して）それぞれ２つのＳＣ−ＦＤＭＡシンボルの同一位置のＲＢにマッピングして伝送し、上記２つの変調シンボルのうちの変調シンボル２と循環シフト済みベースシーケンスとを乗算し、周波数領域でスペクトル拡散済みの長さ１２の変調シンボルシーケンスＡ２を取得し、当該長さ１２の変調シンボルシーケンスを（２つに複製して）それぞれ２つのＳＣ−ＦＤＭＡシンボルの同一位置のＲＢにマッピングして伝送する。すなわち、図９に示すように、各ＳＣ−ＦＤＭＡシンボルの異なるＲＢでは、異なる変調シンボルシーケンスが伝送され、異なるＳＣ−ＦＤＭＡシンボルの同一ＲＢでは、同一の変調シンボルシーケンスが伝送される。
【０１５３】
方式１−２＋方式５：端末は、長さが２４（２つのＲＢに対応する周波数領域リソース）であるベースシーケンスを生成し、上記循環シフト値に従って当該ベースシーケンスの循環シフトを行い、上記２つの変調シンボルのうちの変調シンボル１と循環シフト済みベースシーケンスとを乗算し、周波数領域でスペクトル拡散済みの長さ２４の変調シンボルシーケンスＢ１を得、当該長さ２４の変調シンボルシーケンスを１つ目のＳＣ−ＦＤＭＡシンボルの２つのＲＢにマッピングし、上記２つの変調シンボルのうちの変調シンボル２と循環シフト済みシーケンスとを乗算し、周波数領域でスペクトル拡散済みの長さ２４の変調シンボルシーケンスＢ２を取得し、当該長さ２４の変調シンボルシーケンスを２つ目のＳＣ−ＦＤＭＡシンボルの２つのＲＢにマッピングする。すなわち、図１０に示すように、各ＳＣ−ＦＤＭＡシンボルでは、同一の変調シンボルシーケンスが伝送される。
【０１５４】
仮にｓＰＵＣＣＨ伝送が周波数領域において１つのＲＢを占用し（仮に１つのＲＢが１つの周波数領域スケジューリングリソースユニットである。）、または、前記ダウンリンク制御チャネルで、当該ダウンリンク制御チャネルに対応するＡＣＫ／ＮＡＣＫフィードバック情報を運ぶｓＰＵＣＣＨが周波数領域において占用するＲＢ数（例えば１）を端末に通知する。
【０１５５】
方式１−２：端末は、長さが１２（１つのＲＢに対応する周波数領域リソース）であるベースシーケンスを生成し、上記循環シフト値に従って当該ベースシーケンスの循環シフトを行い、上記２つの変調シンボルのうちの変調シンボル１と循環シフト済みベースシーケンスとを乗算し、周波数領域でスペクトル拡散済みの長さ１２の変調シンボルシーケンスＡ１を取得し、当該長さ１２の変調シンボルシーケンスを１つ目のＳＣ−ＦＤＭＡシンボルの１つのＲＢにマッピングして伝送し、上記２つの変調シンボルのうちの変調シンボル２と循環シフト済みシーケンスとを乗算し、周波数領域でスペクトル拡散済みの長さ１２の変調シンボルシーケンスＡ２を取得し、当該長さ１２の変調シンボルシーケンスを２つ目のＳＣ−ＦＤＭＡシンボルの１つのＲＢにマッピングして伝送する。すなわち、図８に示す１つのＲＢでの伝送のケースのように、異なるＳＣ−ＦＤＭＡシンボルでは、異なる変調シンボルシーケンスが伝送される。
【０１５６】
ケース２：仮に、ｓＰＵＣＣＨのＤＭＲＳが当該２つのＳＣ−ＦＤＭＡシンボルに含まれる。例えば、１つ目のＳＣ−ＦＤＭＡシンボルは、ＤＭＲＳであり、２つ目のＳＣ−ＦＤＭＡシンボルのみがＡＣＫ／ＮＡＣＫフィードバック情報を運ぶことに用いられる。
【０１５７】
仮にｓＰＵＣＣＨ伝送が周波数領域において２つのＲＢを占用し（仮に１つのＲＢが１つの周波数領域スケジューリングリソースユニットである。）、または、前記ダウンリンク制御チャネルで、当該ダウンリンク制御チャネルに対応するＡＣＫ／ＮＡＣＫフィードバック情報を運ぶｓＰＵＣＣＨが周波数領域において占用するＲＢ数（例えば２）を端末に通知する。
【０１５８】
方式１−１＋方式４−２：端末は、長さが１２（１つのＲＢに対応する周波数領域リソース）であるベースシーケンスを生成し、上記循環シフト値に従って当該ベースシーケンスの循環シフトを行い、上記２つの変調シンボルのうちの変調シンボル１と循環シフト済みベースシーケンスとを乗算し、周波数領域でスペクトル拡散済みの長さ１２の変調シンボルシーケンスＡ１を取得し、当該長さ１２の変調シンボルシーケンスを、当該ＡＣＫ／ＮＡＣＫフィードバック情報を運ぶ１つのＳＣ−ＦＤＭＡシンボルの１つ目のＲＢにマッピングして伝送し、上記２つの変調シンボルのうちの変調シンボル２と循環シフト済みベースシーケンスとを乗算し、周波数領域でスペクトル拡散済みの長さ１２の変調シンボルシーケンスＡ２を取得し、当該長さ１２の変調シンボルシーケンスを、当該ＡＣＫ／ＮＡＣＫフィードバック情報を運ぶ１つのＳＣ−ＦＤＭＡシンボルの２つ目のＲＢにマッピングして伝送する。すなわち、図１１に示すように、１つのＳＣ−ＦＤＭＡシンボルにおいて、異なるＲＢでは、異なる変調シンボルシーケンスが伝送される。
【０１５９】
図２〜７を参照して記載した実施例および図８〜１１を参照して記載した実施例に基づき、各ＳＣ−ＦＤＭＡシンボルに対応する循環シフトが異なってもよい。すると、上記過程において、ダウンリンク制御チャネルで通知される循環シフト値に基づいて、取り決められた式によって各ＳＣ−ＦＤＭＡシンボルの循環シフト値を特定することができる。例えば、１つ目のＳＣ−ＦＤＭＡシンボルの循環シフト値をａ１、２つ目のＳＣ−ＦＤＭＡシンボルの循環シフト値をａ１と特定する。すると、各ＳＣ−ＦＤＭＡシンボルに対し、それぞれ対応する循環シフト値に基づいて上記ベースシーケンスの循環シフトおよびそれ以外の対応する操作を行い、当該ＳＣ−ＦＤＭＡシンボルにマッピングすればよい。
【０１６０】
なお、図２〜７を参照して記載した実施例および図８〜１１を参照して記載した実施例は、単に２つのＳＣ−ＦＤＭＡシンボルのｓＰＵＣＣＨ伝送を例としたが、それ以外のシンボルの長さの短縮ＴＴＩ伝送は、同様である。
【０１６１】
なお、図２〜７を参照して記載した実施例および図８〜１１を参照して記載した実施例は、単にｃｏｍｂ方式で複数の短縮ＴＴＩが同一列のパイロット（すなわちＤＭＲＳ）を共有することや自身に含まれるＤＭＲＳをアップリンク伝送のＤＭＲＳとする。ほかのアップリンク伝送のＤＭＲＳ設計は、本開示の提案に影響を与えず、本開示の上記実施例に応用して同様の効果を奏することもできる。
【０１６２】
本開示の一部実施例の端末は、図１２に示すように、ダウンリンク伝送を受信し、受信した前記ダウンリンク伝送に対応するダウンリンク制御チャネルに運ばれている指示情報に基づいて、ｓＰＵＣＣＨ伝送の循環シフト値を取得することに用いられる受信モジュール１２０１と、前記循環シフト値に基づいてｓＰＵＣＣＨ伝送を行い、前記ｓＰＵＣＣＨに前記ダウンリンク伝送のＡＣＫ／ＮＡＣＫフィードバック情報を運ぶことに用いられる伝送モジュール１２０２とを含む。
【０１６３】
本開示の実施例の端末は、ダウンリンク伝送に対応するダウンリンク制御チャネルによって通知される循環シフト値に基づいて、ｓＰＵＣＣＨ伝送を実現している。関連技術のＬＴＥシステムにおいてチャネル伝送がサブフレーム単位に定義され、ｓＰＵＣＣＨ伝送が明確に提案されていないという問題を解決した。
【０１６４】
選択的に、前記受信モジュール１２０１は、具体的に、対応するダウンリンク制御チャネルが存在するｓＰＤＳＣＨ、または、短縮ダウンリンクＳＰＳのリソース解放を指示するダウンリンク制御チャネルを受信し、前記ダウンリンク制御チャネルに運ばれている指示情報に基づいて、ｓＰＵＣＣＨ伝送の循環シフト値を取得することに用いられる第１受信サブモジュール、または、対応するダウンリンク制御チャネルが存在しないｓＰＤＳＣＨを受信し、短縮ダウンリンクＳＰＳのリソース活性化を指示するダウンリンク制御チャネルに運ばれている指示情報に基づいて、ｓＰＵＣＣＨ伝送の循環シフト値を取得することに用いられる第２受信サブモジュールを含む。
【０１６５】
選択的に、前記伝送モジュール１２０２は、具体的に、ベースシーケンスを生成し、前記循環シフト値に基づいて前記ベースシーケンスの循環シフトを行うことに用いられる循環シフトサブモジュールと、前記ＡＣＫ／ＮＡＣＫフィードバック情報を変調して変調シンボルを得ることに用いられる変調サブモジュールと、前記変調シンボルおよび循環シフト済みベースシーケンスに基づいて変調シンボルシーケンスを取得し、前記変調シンボルシーケンスをｓＰＵＣＣＨの時間領域と周波数領域リソースにマッピングして伝送することに用いられる伝送サブモジュールとを含む。
【０１６６】
本開示の実施例の端末において、前記ｓＰＵＣＣＨが複数のＳＣ−ＦＤＭＡシンボルを占用して前記ＡＣＫ／ＮＡＣＫフィードバック情報を伝送する場合、前記循環シフトサブモジュールは、各ＳＣ−ＦＤＭＡシンボルに同一の循環シフト値を使用すること、または、各ＳＣ−ＦＤＭＡシンボルに異なる循環シフト値を使用し、取得した前記循環シフト値に基づいて、各ＳＣ−ＦＤＭＡシンボルに対応する循環シフト値を特定し、または、取得した前記循環シフト値に含まれる複数の値のうちの１つを、各ＳＣ−ＦＤＭＡシンボルに対応する循環シフト値として特定することに用いられる。
【０１６７】
さらに、前記伝送サブモジュールは、各ＳＣ−ＦＤＭＡシンボルに同一のＡＣＫ／ＮＡＣＫフィードバック情報を運ぶこと、または、各ＳＣ−ＦＤＭＡシンボルに異なるＡＣＫ／ＮＡＣＫフィードバック情報を運ぶことに用いられる。
【０１６８】
さらに、各ＳＣ−ＦＤＭＡシンボルに同一の循環シフト値が使用されかつ各ＳＣ−ＦＤＭＡシンボルに同一のＡＣＫ／ＮＡＣＫフィードバック情報が運ばれる場合、前記循環シフトサブモジュールは、ベースシーケンスを生成し、前記循環シフト値に基づいて、前記ベースシーケンスの循環シフトを行って、各ＳＣ−ＦＤＭＡシンボルに対応する循環シフト済みベースシーケンスとすることに用いられる第１循環シフトユニットを含む。前記伝送サブモジュールは、前記変調シンボルと循環シフト済みベースシーケンスとを乗算し、１つのＳＣ−ＦＤＭＡシンボルに運ばれる変調シンボルシーケンスを得ることと、前記１つのＳＣ−ＦＤＭＡシンボルで伝送される変調シンボルシーケンスを複数複製し、それぞれ前記複数のＳＣ−ＦＤＭＡシンボルの各ＳＣ−ＦＤＭＡシンボルにマッピングして伝送することに用いられる第１伝送ユニットを含む。各ＳＣ−ＦＤＭＡシンボルに同一の循環シフト値が使用されかつ各ＳＣ−ＦＤＭＡシンボルに異なるＡＣＫ／ＮＡＣＫフィードバック情報が運ばれる場合、前記循環シフトサブモジュールは、ベースシーケンスを生成し、前記循環シフト値に基づいて、前記ベースシーケンスの循環シフトを行って、各ＳＣ−ＦＤＭＡシンボルに対応する循環シフト済みベースシーケンスとすることに用いられる第２循環シフトユニットを含む。前記伝送サブモジュールは、前記変調シンボルのうち、前記複数のＳＣ−ＦＤＭＡシンボルの第ｉ（ｉ＝０，１，…Ａ−１；Ａ：前記複数のＳＣ−ＦＤＭＡシンボルの数）個のＳＣ−ＦＤＭＡシンボルに運ばれている変調シンボルと、循環シフト済みベースシーケンスとを乗算し、前記第ｉ個のＳＣ−ＦＤＭＡシンボルに対応する変調シンボルシーケンスを得ることと、前記第ｉ個のＳＣ−ＦＤＭＡシンボルに対応する変調シンボルシーケンスを、前記第ｉ個のＳＣ−ＦＤＭＡシンボルにマッピングして伝送することに用いられる第２伝送ユニットを含む。各ＳＣ−ＦＤＭＡシンボルに異なる循環シフト値が使用されかつ各ＳＣ−ＦＤＭＡシンボルに同一のＡＣＫ／ＮＡＣＫフィードバック情報が運ばれる場合、前記循環シフトサブモジュールは、ベースシーケンスを生成し、前記各ＳＣ−ＦＤＭＡシンボルに対応する循環シフト値に基づいて、前記ベースシーケンスの循環シフトを行って、対応するＳＣ−ＦＤＭＡシンボルに対応する循環シフト済みベースシーケンスとすることに用いられる第３循環シフトユニットを含む。前記伝送サブモジュールは、前記変調シンボルを前記各ＳＣ−ＦＤＭＡシンボルに対応する循環シフト済みベースシーケンスとそれぞれ乗算し、各ＳＣ−ＦＤＭＡシンボルに対応する変調シンボルシーケンスを得ることと、前記各ＳＣ−ＦＤＭＡシンボルに対応する変調シンボルシーケンスを、それぞれ前記複数のＳＣ−ＦＤＭＡシンボルのうち、対応するＳＣ−ＦＤＭＡシンボルにマッピングして伝送することに用いられる第３伝送ユニットを含む。各ＳＣ−ＦＤＭＡシンボルに異なる循環シフト値が使用されかつ各ＳＣ−ＦＤＭＡシンボルに異なるＡＣＫ／ＮＡＣＫフィードバック情報が運ばれる場合、前記循環シフトサブモジュールは、ベースシーケンスを生成し、前記各ＳＣ−ＦＤＭＡシンボルに対応する循環シフト値に基づいて、前記ベースシーケンスの循環シフトを行って、対応するＳＣ−ＦＤＭＡシンボルに対応する循環シフト済みベースシーケンスとすることに用いられる第４循環シフトユニットを含む。前記伝送サブモジュールは、前記変調シンボルのうち、前記複数のＳＣ−ＦＤＭＡシンボルの第ｉ（ｉ＝０，１，…Ａ−１；Ａ：前記複数のＳＣ−ＦＤＭＡシンボルの数）個のＳＣ−ＦＤＭＡシンボルに運ばれている変調シンボルと、前記第ｉ個のＳＣ−ＦＤＭＡシンボルに対応する循環シフト済みベースシーケンスとを乗算し、前記第ｉ個のＳＣ−ＦＤＭＡシンボルに対応する変調シンボルシーケンスを得ることと、前記第ｉ個のＳＣ−ＦＤＭＡシンボルに対応する変調シンボルシーケンスを、前記第ｉ個のＳＣ−ＦＤＭＡシンボルにマッピングして伝送することに用いられる第４伝送ユニットを含む。
【０１６９】
さらに、複数のＳＣ−ＦＤＭＡシンボルの間で時間領域直交スペクトル拡散を行ってもよい。前記伝送サブモジュールは、前記変調シンボル、循環シフト済みベースシーケンスおよび時間領域直交スペクトル拡散シーケンスに基づいて、変調シンボルシーケンスを取得し、前記変調シンボルシーケンスをｓＰＵＣＣＨの時間領域および周波数領域リソースにマッピングして伝送することに用いられる。
【０１７０】
さらに、各ＳＣ−ＦＤＭＡシンボルに同一の循環シフト値が使用される場合、前記循環シフトサブモジュールは、ベースシーケンスを生成し、前記循環シフト値に基づいて、前記ベースシーケンスの循環シフトを行って、各ＳＣ−ＦＤＭＡシンボルに対応する循環シフト済みベースシーケンスとすることに用いられる第５循環シフトユニットを含む。前記伝送サブモジュールは、前記変調シンボルと循環シフト済みベースシーケンスとを乗算し、変調シンボルシーケンスを得ることと、前記変調シンボルシーケンスと、長さが前記ｓＰＵＣＣＨに占用されるＳＣ−ＦＤＭＡシンボルの数とは同一であり、予め得られた時間領域直交スペクトル拡散シーケンスとを乗算して複数の直交スペクトル拡散済み変調シンボルシーケンスを得ることと、前記複数の直交スペクトル拡散済み変調シンボルシーケンスを、それぞれ前記ＳＣ−ＦＤＭＡシンボルにマッピングして伝送することに用いられる第５伝送ユニットを含む。各ＳＣ−ＦＤＭＡシンボルに異なる循環シフト値が使用される場合、前記循環シフトサブモジュールは、ベースシーケンスを生成し、前記各ＳＣ−ＦＤＭＡシンボルに対応する循環シフト値に基づいて、前記ベースシーケンスの循環シフトを行って、対応するＳＣ−ＦＤＭＡシンボルに対応する循環シフト済みベースシーケンスとすることに用いられる第６循環シフトユニットを含む。前記伝送サブモジュールは、前記変調シンボルと、前記複数のＳＣ−ＦＤＭＡシンボルの第ｉ（ｉ＝０，１，…Ａ−１；Ａ：前記複数のＳＣ−ＦＤＭＡシンボルの数）個のＳＣ−ＦＤＭＡシンボルに対応する循環シフト済みベースシーケンスとを乗算し、前記第ｉ個のＳＣ−ＦＤＭＡシンボルに対応する直交シーケンスのうちの第ｉ個の直交因子と乗算し、前記第ｉ個のＳＣ−ＦＤＭＡシンボルに対応する変調シンボルシーケンスを得ることと、各ＳＣ−ＦＤＭＡシンボルに対応する変調シンボルシーケンスを、対応するＳＣ−ＦＤＭＡシンボルにマッピングして伝送することに用いられる第６伝送ユニットを含む。
【０１７１】
本開示の実施例の端末において、前記ｓＰＵＣＣＨが複数の周波数領域スケジューリングリソースユニットを占用する場合、前記循環シフトサブモジュールは、１つの周波数領域スケジューリングリソースユニットのサイズに基づいてベースシーケンスを生成し、前記循環シフト値に基づいて前記ベースシーケンスの循環シフトを行うことに用いられる第７循環シフトユニットを含む。
【０１７２】
さらに、前記伝送サブモジュールは、各周波数領域スケジューリングリソースユニットに同一のＡＣＫ／ＮＡＣＫフィードバック情報を運ぶこと、または、各周波数領域スケジューリングリソースユニットに異なるＡＣＫ／ＮＡＣＫフィードバック情報を運ぶことに用いられる。
【０１７３】
さらに、各周波数領域スケジューリングリソースユニットに同一のＡＣＫ／ＮＡＣＫフィードバック情報が運ばれる場合、前記伝送サブモジュールは、前記変調シンボルと、循環シフト済みベースシーケンスとを乗算し、１つの周波数領域スケジューリングリソースユニットに対応する変調シンボルシーケンスを得ることと、前記１つの周波数領域スケジューリングリソースユニットに対応する変調シンボルシーケンスを複数複製し、それぞれ前記ｓＰＵＣＣＨに占用される各周波数領域スケジューリングリソースユニットにマッピングして伝送することに用いられる第７伝送ユニットを含む。各周波数領域スケジューリングリソースユニットに異なるＡＣＫ／ＮＡＣＫフィードバック情報が運ばれる場合、前記伝送サブモジュールは、前記変調シンボルのうち、それぞれ各周波数領域スケジューリングリソースユニットに運ばれる変調シンボルと、循環シフト済みベースシーケンスとを乗算し、対応する周波数領域スケジューリングリソースユニットに対応する変調シンボルシーケンスを得ることと、各周波数領域スケジューリングリソースユニットに対応する変調シンボルシーケンスを、それぞれ対応する周波数領域スケジューリングリソースユニットにマッピングして伝送することに用いられる第８伝送ユニットを含む。
【０１７４】
本開示の実施例の端末において、前記ｓＰＵＣＣＨが複数の周波数領域スケジューリングリソースユニットを占用する場合、前記循環シフトサブモジュールは、前記複数の周波数領域スケジューリングリソースユニットのサイズの合計に基づいてベースシーケンスを生成し、前記循環シフト値に基づいて前記ベースシーケンスの循環シフトを行うことに用いられる第８循環シフトユニットを含む。前記伝送サブモジュールは、前記変調シンボルと、循環シフト済みベースシーケンスとを乗算して変調シンボルシーケンスを得ることと、前記変調シンボルシーケンスを、前記ｓＰＵＣＣＨに占用される複数の周波数領域スケジューリングリソースユニットにマッピングして伝送することに用いられる第９伝送ユニットを含む。
【０１７５】
選択的に、前記ベースシーケンスは、ＣＡＺＡＣシーケンスである。
【０１７６】
本開示の実施例の端末は、ダウンリンク伝送に対応するダウンリンク制御チャネルによって通知される循環シフト値に基づいて、ｓＰＵＣＣＨ伝送を実現している。関連技術のＬＴＥシステムにおいてチャネル伝送がサブフレーム単位に定義され、ｓＰＵＣＣＨ伝送が明確に提案されていないという問題を解決した。
【０１７７】
なお、上記ｓＰＵＣＣＨ伝送方法を実現する実施例は、いずれも当該端末の実施例に適用し、同一の技術効果を奏することもできる。本開示の端末は、例えば携帯電話、タブレットパソコンなどのモバイル電子機器である。
【０１７８】
本開示の一部実施例のｓＰＵＣＣＨ伝送方法は、図１３に示すように、下記ステップを含む。
【０１７９】
ステップ１３０１において、ダウンリンク伝送を送信し、端末がｓＰＵＣＣＨ伝送の循環シフト値を取得することに用いられる指示情報を、前記ダウンリンク伝送に対応するダウンリンク制御チャネルに運ぶ。
【０１８０】
本ステップにおいて、ダウンリンク伝送に対応するダウンリンク制御チャネルに運ばれている指示情報によって、ｓＰＵＣＣＨ伝送の循環シフト値を端末に通知する。例えば、ＤＬ  ｇｒａｎｔ（ダウンリンク制御情報ＤＣＩフォーマットを用いたダウンリンク制御チャネル）での指示フィールドによって、ｓＰＵＣＣＨ伝送の循環シフト値を通知する。
【０１８１】
ステップ１３０２において、前記端末が前記循環シフト値に基づいて行うｓＰＵＣＣＨ伝送を受信し、前記ｓＰＵＣＣＨ伝送から前記ダウンリンク伝送のＡＣＫ／ＮＡＣＫフィードバック情報を取得する。
【０１８２】
本ステップにおいて、端末は、取得した循環シフト値に基づいてｓＰＵＣＣＨ伝送を行い、ｓＰＵＣＣＨにダウンリンク伝送のＡＣＫ／ＮＡＣＫフィードバック情報を運ぶことによって、ｓＰＵＣＣＨ伝送を実現している。
【０１８３】
本開示の実施例のｓＰＵＣＣＨ伝送方法は、ダウンリンク伝送に対応するダウンリンク制御チャネルによって通知される循環シフト値に基づいて、ｓＰＵＣＣＨ伝送を実現している。関連技術のＬＴＥシステムにおいてチャネル伝送がサブフレーム単位に定義され、ｓＰＵＣＣＨ伝送が明確に提案されていないという問題を解決した。
【０１８４】
選択的に、上記ステップ１３０１は、具体的に、対応するダウンリンク制御チャネルが存在するｓＰＤＳＣＨ、または、短縮ダウンリンクＳＰＳのリソース解放を指示するダウンリンク制御チャネルを送信し、前記指示情報を前記ダウンリンク制御チャネルに運ぶステップ１３０１１、または、対応するダウンリンク制御チャネルが存在しないｓＰＤＳＣＨを送信し、短縮ダウンリンクＳＰＳのリソース活性化を指示するダウンリンク制御チャネルに前記指示情報を運ぶステップ１３０１２を含む。
【０１８５】
すなわち、本開示の実施例において、ｓＰＵＣＣＨ伝送の循環シフト値を通知するダウンリンク制御チャネルは、対応する動的ｓＰＤＳＨが存在するダウンリンク制御チャネル、短縮ダウンリンクＳＰＳのリソース活性化を指示するダウンリンク制御チャネル（当該ダウンリンク制御チャネルは、１つのＳＰＳ  ｓＰＤＳＣＨ伝送の活性化に用いられる。）を含み、さらに、短縮ダウンリンクＳＰＳのリソース解放を指示するダウンリンク制御チャネルを含む。もちろん、ｓＰＵＣＣＨにおいて、従来ＴＴＩによるダウンリンク伝送のＡＣＫ／ＮＡＣＫフィードバック情報を運ぶことができれば、ｓＰＵＣＣＨ伝送の循環シフト値を通知するダウンリンク制御チャネルは、さらに、対応する動的ＰＤＳＨが存在するダウンリンク制御チャネル、短縮ダウンリンクＳＰＳのリソース活性化を指示するダウンリンク制御チャネル、短縮ダウンリンクＳＰＳのリソース解放を指示するダウンリンク制御チャネルを含んでもよい。さらに、本開示の実施例のダウンリンク制御チャネルは、ｌｅｇａｃｙ  ＰＤＣＣＨ／ＥＰＤＣＣＨのような、従来の長さで伝送されるダウンリンク制御チャネルであってもよく、１ｍｓより短い長さで伝送されるダウンリンク制御チャネルであってもよく、すなわちｓＰＤＣＣＨである。
【０１８６】
選択的に、上記ステップ１３０２は、前記端末が下記ステップで前記ｓＰＵＣＣＨを送信すると特定することを含む。ステップ１３０２１において、ベースシーケンスを生成し、前記循環シフト値に基づいて前記ベースシーケンスの循環シフトを行う。ステップ１３０２２において、前記ＡＣＫ／ＮＡＣＫフィードバック情報を変調して変調シンボルを得る。ステップ１３０２３において、前記変調シンボルおよび循環シフト済みベースシーケンスに基づいて変調シンボルシーケンスを取得し、前記変調シンボルシーケンスをｓＰＵＣＣＨの時間領域と周波数領域リソースにマッピングして伝送する。
【０１８７】
具体的に、前記ベースシーケンスは、ＣＡＺＡＣシーケンスである。
【０１８８】
ここで、前記ＣＡＺＡＣシーケンスは、ｇｏｌｄシーケンスまたはＺＣシーケンスを用いて生成される。
【０１８９】
本開示の実施例のｓＰＵＣＣＨ伝送方法において、前記ｓＰＵＣＣＨが複数のＳＣ−ＦＤＭＡシンボルを占用して前記ＡＣＫ／ＮＡＣＫフィードバック情報を伝送する場合、上記ステップ１３０２１は、下記方式１または方式２を含む。
方式１：各ＳＣ−ＦＤＭＡシンボルに同一の循環シフト値を使用する。
方式２：各ＳＣ−ＦＤＭＡシンボルに異なる循環シフト値を使用する。前記循環シフト値に基づいて、各ＳＣ−ＦＤＭＡシンボルに対応する循環シフト値を特定し、または、前記循環シフト値に含まれる複数の値のうちの１つを、各ＳＣ−ＦＤＭＡシンボルに対応する循環シフト値として特定する。
【０１９０】
ここで、各ＳＣ−ＦＤＭＡシンボルに異なる循環シフト値が使用される場合、取得した循環シフト値に基づいて、各ＳＣ−ＦＤＭＡシンボルに対応する循環シフト値を特定する。例えば、各ＳＣ−ＦＤＭＡシンボルの循環シフト値は、取得した循環シフト値およびＳＣ−ＦＤＭＡシンボル番号の関数から決められる。例えば、１つ目のＳＣ−ＦＤＭＡシンボルの循環シフト値は、取得した循環シフト値であり、その後の各ＳＣ−ＦＤＭＡシンボルの循環シフト値は、１つ前のＳＣ−ＦＤＭＡシンボルの循環シフト値にαを加えた値である。αは、予め取り決められまたは前記ダウンリンク制御チャネルで通知されるステップレングスである。
【０１９１】
ｓＰＵＣＣＨが複数のＳＣ−ＦＤＭＡシンボルを占用してＡＣＫ／ＮＡＣＫフィードバック情報を伝送する場合、各ＳＣ−ＦＤＭＡシンボルで同一の循環シフト値を使用し、または、各ＳＣ−ＦＤＭＡシンボルで異なる循環シフト値を使用する。
【０１９２】
さらに、上記ステップ１３０２３は、各ＳＣ−ＦＤＭＡシンボルに同一のＡＣＫ／ＮＡＣＫフィードバック情報を運ぶこと、または、各ＳＣ−ＦＤＭＡシンボルに異なるＡＣＫ／ＮＡＣＫフィードバック情報を運ぶことを含む。
【０１９３】
この場合、ｓＰＵＣＣＨが複数のＳＣ−ＦＤＭＡシンボルを占用してＡＣＫ／ＮＡＣＫフィードバック情報を伝送する場合、各ＳＣ−ＦＤＭＡシンボルに同一のＡＣＫ／ＮＡＣＫフィードバック情報を運び（この場合、ｓＰＵＣＣＨが周波数領域において複数の周波数領域スケジューリングリソースユニットを占用して伝送する場合、各周波数領域スケジューリングリソースユニットで伝送されるＡＣＫ／ＮＡＣＫフィードバック情報は、同一であってもよく異なってもよいが、異なるＳＣ−ＦＤＭＡシンボルで伝送されるＡＣＫ／ＮＡＣＫフィードバック情報のシーケンスが同一であればよい。例えば、各ＳＣ−ＦＤＭＡシンボルの１つ目の周波数領域スケジューリングリソースユニットでＡＣＫ／ＮＡＣＫ変調シンボル１を伝送し、各ＳＣ−ＦＤＭＡシンボルの２つ目の周波数領域スケジューリングリソースユニットでＡＣＫ／ＮＡＣＫ変調シンボル２を伝送する。これも、各ＳＣ−ＦＤＭＡシンボルに同一のＡＣＫ／ＮＡＣＫフィードバック情報を運ぶことである。）、または、各ＳＣ−ＦＤＭＡシンボルに異なるＡＣＫ／ＮＡＣＫフィードバック情報を運ぶ。
【０１９４】
方式１−１：各ＳＣ−ＦＤＭＡシンボルに同一の循環シフト値が使用されかつ各ＳＣ−ＦＤＭＡシンボルに同一のＡＣＫ／ＮＡＣＫフィードバック情報が運ばれる場合、前記端末が下記ステップで前記ｓＰＵＣＣＨを送信すると確定する。すなわち、ベースシーケンスを生成し、前記循環シフト値に基づいて、前記ベースシーケンスの循環シフトを行って、各ＳＣ−ＦＤＭＡシンボルに対応する循環シフト済みベースシーケンスとする。前記変調シンボルと循環シフト済みベースシーケンスとを乗算し、１つのＳＣ−ＦＤＭＡシンボルに運ばれる変調シンボルシーケンスを得る。前記１つのＳＣ−ＦＤＭＡシンボルで伝送される変調シンボルシーケンスを複数複製し、それぞれ前記複数のＳＣ−ＦＤＭＡシンボルの各ＳＣ−ＦＤＭＡシンボルにマッピングして伝送する。
【０１９５】
この場合、端末は、ＡＣＫ／ＮＡＣＫフィードバック情報を変調して得た変調シンボルと循環シフト済みベースシーケンスとを乗算し、周波数領域でスペクトル拡散済みの変調シンボルシーケンスを取得し、同一列の変調シンボルシーケンスをそれぞれ各ＳＣ−ＦＤＭＡシンボルにマッピングして伝送する（すなわち各ＳＣ−ＦＤＭＡシンボルで同一の変調シンボルシーケンスが伝送される）。
【０１９６】
方式１−２：各ＳＣ−ＦＤＭＡシンボルに同一の循環シフト値が使用されかつ各ＳＣ−ＦＤＭＡシンボルに異なるＡＣＫ／ＮＡＣＫフィードバック情報が運ばれる場合、前記端末が下記ステップで前記ｓＰＵＣＣＨを送信すると確定する。すなわち、ベースシーケンスを生成し、前記循環シフト値に基づいて、前記ベースシーケンスの循環シフトを行って、各ＳＣ−ＦＤＭＡシンボルに対応する循環シフト済みベースシーケンスとする。前記変調シンボルのうち、前記複数のＳＣ−ＦＤＭＡシンボルの第ｉ（ｉ＝０，１，…Ａ−１；Ａ：前記複数のＳＣ−ＦＤＭＡシンボルの数）個のＳＣ−ＦＤＭＡシンボルに運ばれている変調シンボルと、循環シフト済みベースシーケンスとを乗算し、前記第ｉ個のＳＣ−ＦＤＭＡシンボルに対応する変調シンボルシーケンスを得る。前記第ｉ個のＳＣ−ＦＤＭＡシンボルに対応する変調シンボルシーケンスを、前記第ｉ個のＳＣ−ＦＤＭＡシンボルにマッピングして伝送する。
【０１９７】
この場合、端末は、ＡＣＫ／ＮＡＣＫフィードバック情報を変調して得た第ｉ個の変調シンボルと循環シフト済みベースシーケンスとを乗算し、第ｉ列の周波数領域でスペクトル拡散済みの変調シンボルシーケンスを取得し、ｓＰＵＣＣＨに占用される第ｉ個のＳＣ−ＦＤＭＡシンボルにマッピングして伝送する。
【０１９８】
方式２−１：各ＳＣ−ＦＤＭＡシンボルに異なる循環シフト値が使用されかつ各ＳＣ−ＦＤＭＡシンボルに同一のＡＣＫ／ＮＡＣＫフィードバック情報が運ばれる場合、前記端末が下記ステップで前記ｓＰＵＣＣＨを送信すると確定する。すなわち、ベースシーケンスを生成し、前記各ＳＣ−ＦＤＭＡシンボルに対応する循環シフト値に基づいて、前記ベースシーケンスの循環シフトを行って、対応するＳＣ−ＦＤＭＡシンボルに対応する循環シフト済みベースシーケンスとする。前記変調シンボルを前記各ＳＣ−ＦＤＭＡシンボルに対応する循環シフト済みベースシーケンスとそれぞれ乗算し、各ＳＣ−ＦＤＭＡシンボルに対応する変調シンボルシーケンスを得る。前記各ＳＣ−ＦＤＭＡシンボルに対応する変調シンボルシーケンスを、それぞれ前記複数のＳＣ−ＦＤＭＡシンボルのうち、対応するＳＣ−ＦＤＭＡシンボルにマッピングして伝送する。
【０１９９】
この場合、端末は、ベースシーケンスを生成し、ｓＰＵＣＣＨに占用される第ｉ（ｉ＝０，１，…Ａ−１；Ａ：前記複数のＳＣ−ＦＤＭＡシンボルの数）個のＳＣ−ＦＤＭＡシンボルに対応する循環シフト値に従ってベースシーケンスの循環シフトを行って、第ｉ個のＳＣ−ＦＤＭＡシンボルに対応する循環シフト済みベースシーケンスとする。端末は、ＡＣＫ／ＮＡＣＫフィードバック情報を変調して得た変調シンボルと第ｉ個のＳＣ−ＦＤＭＡシンボルに対応する循環シフト済みベースシーケンスとを乗算し、第ｉ個のＳＣ−ＦＤＭＡシンボルに対応する変調シンボルシーケンスを取得し、第ｉ個のＳＣ−ＦＤＭＡシンボルに対応する変調シンボルシーケンスを、前記第ｉ個のＳＣ−ＦＤＭＡシンボルにマッピングして伝送する。
【０２００】
方式２−２：各ＳＣ−ＦＤＭＡシンボルに異なる循環シフト値が使用されかつ各ＳＣ−ＦＤＭＡシンボルに異なるＡＣＫ／ＮＡＣＫフィードバック情報が運ばれる場合、前記端末が下記ステップで前記ｓＰＵＣＣＨを送信すると確定する。すなわち、ベースシーケンスを生成し、前記各ＳＣ−ＦＤＭＡシンボルに対応する循環シフト値に基づいて、前記ベースシーケンスの循環シフトを行って、対応するＳＣ−ＦＤＭＡシンボルに対応する循環シフト済みベースシーケンスとする。前記変調シンボルのうち、前記複数のＳＣ−ＦＤＭＡシンボルの第ｉ（ｉ＝０，１，…Ａ−１；Ａ：前記複数のＳＣ−ＦＤＭＡシンボルの数）個のＳＣ−ＦＤＭＡシンボルに運ばれている変調シンボルと、前記第ｉ個のＳＣ−ＦＤＭＡシンボルに対応する循環シフト済みベースシーケンスとを乗算し、前記第ｉ個のＳＣ−ＦＤＭＡシンボルに対応する変調シンボルシーケンスを得る。前記第ｉ個のＳＣ−ＦＤＭＡシンボルに対応する変調シンボルシーケンスを、前記第ｉ個のＳＣ−ＦＤＭＡシンボルにマッピングして伝送する。この場合、端末は、ベースシーケンスを生成し、ｓＰＵＣＣＨに占用される第ｉ（ｉ＝０，１，…Ａ−１；Ａ：前記複数のＳＣ−ＦＤＭＡシンボルの数）個のＳＣ−ＦＤＭＡシンボルに対応する循環シフト値に従ってベースシーケンスの循環シフトを行って、第ｉ個のＳＣ−ＦＤＭＡシンボルに対応する循環シフト済みベースシーケンスとする。端末は、第ｉ個のＳＣ−ＦＤＭＡシンボルに運ばれる変調シンボルと、前記第ｉ個のＳＣ−ＦＤＭＡシンボルに対応する循環シフト済みベースシーケンスとを乗算し、第ｉ個のＳＣ−ＦＤＭＡシンボルに対応する変調シンボルシーケンスを取得し、第ｉ個のＳＣ−ＦＤＭＡシンボルに対応する変調シンボルシーケンスを、前記第ｉ個のＳＣ−ＦＤＭＡシンボルにマッピングして伝送する。
【０２０１】
方式３：上記ステップ１３０２３は、前記変調シンボル、循環シフト済みベースシーケンスおよび時間領域直交スペクトル拡散シーケンスに基づいて、変調シンボルシーケンスを取得し、前記変調シンボルシーケンスをｓＰＵＣＣＨの時間領域および周波数領域リソースにマッピングして伝送することを含む。
【０２０２】
ここで、時間領域直交スペクトル拡散シーケンスは、予め取り決められるか、ハイレイヤシグナリングによって配置されるか、ダウンリンク制御チャネルによって通知される。
【０２０３】
この場合、端末は、ベースシーケンスを生成し、対応する循環シフト値（各ＳＣ−ＦＤＭＡシンボルの同一または異なる循環シフト値）に従って前記ベースシーケンスの循環シフトを行い、前記ＡＣＫ／ＮＡＣＫフィードバック情報を変調して得た変調シンボルと前記循環シフト済みベースシーケンスとを乗算し、周波数領域でスペクトル拡散済みの変調シンボルシーケンスを取得し、前記変調シンボルシーケンスと長さがＡ（前記ｓＰＵＣＣＨに占用されるＳＣ−ＦＤＭＡシンボルの数）である直交シーケンスとを乗算し、直交スペクトル拡散済みのＡ列の変調シンボルシーケンスを、それぞれＡ個のＳＣ−ＦＤＭＡシンボルにマッピングして伝送する。
【０２０４】
方式３の場合、各ＳＣ−ＦＤＭＡシンボルに同一の循環シフト値が使用される場合、前記端末が下記ステップで前記ｓＰＵＣＣＨを送信すると確定する。すなわち、ベースシーケンスを生成し、前記循環シフト値に基づいて、前記ベースシーケンスの循環シフトを行って、各ＳＣ−ＦＤＭＡシンボルに対応する循環シフト済みベースシーケンスとする。前記変調シンボルと循環シフト済みベースシーケンスとを乗算し、変調シンボルシーケンスを得る。前記変調シンボルシーケンスと、長さが前記ｓＰＵＣＣＨに占用されるＳＣ−ＦＤＭＡシンボルの数とは同一であり、予め得られた時間領域直交スペクトル拡散シーケンスとを乗算して複数の直交スペクトル拡散済み変調シンボルシーケンスを得る。前記複数の直交スペクトル拡散済み変調シンボルシーケンスを、それぞれ前記ＳＣ−ＦＤＭＡシンボルにマッピングして伝送する。
【０２０５】
この場合、端末は、ベースシーケンスを生成し、循環シフト値に従って前記ベースシーケンスの循環シフトを行い、前記ＡＣＫ／ＮＡＣＫフィードバック情報を変調して得た変調シンボルと前記循環シフト済みシーケンスとを乗算して周波数領域で拡散済みの変調シンボルシーケンスを得、前記変調シンボルシーケンスと長さがＡ（前記ｓＰＵＣＣＨに占用されるＳＣ−ＦＤＭＡシンボルの数）である時間領域直交スペクトル拡散シーケンスとを乗算し、直交スペクトル拡散済みのＡ列の変調シンボルシーケンスをそれぞれＡ個のＳＣ−ＦＤＭＡシンボルにマッピングして伝送する。
【０２０６】
方式３の場合、各ＳＣ−ＦＤＭＡシンボルに異なる循環シフト値が使用される場合、前記端末が下記ステップで前記ｓＰＵＣＣＨを送信すると確定する。すなわち、ベースシーケンスを生成し、前記各ＳＣ−ＦＤＭＡシンボルに対応する循環シフト値に基づいて、前記ベースシーケンスの循環シフトを行って、対応するＳＣ−ＦＤＭＡシンボルに対応する循環シフト済みベースシーケンスとする。前記変調シンボルと、前記複数のＳＣ−ＦＤＭＡシンボルの第ｉ（ｉ＝０，１，…Ａ−１；Ａ：前記複数のＳＣ−ＦＤＭＡシンボルの数）個のＳＣ−ＦＤＭＡシンボルに対応する循環シフト済みベースシーケンスとを乗算し、前記第ｉ個のＳＣ−ＦＤＭＡシンボルに対応する直交シーケンスのうちの第ｉ個の直交因子と乗算し、前記第ｉ個のＳＣ−ＦＤＭＡシンボルに対応する変調シンボルシーケンスを得る。各ＳＣ−ＦＤＭＡシンボルに対応する変調シンボルシーケンスを、対応するＳＣ−ＦＤＭＡシンボルにマッピングして伝送する。
【０２０７】
ここで、仮に計Ａ個のＳＣ−ＦＤＭＡシンボルがあり、時間領域直交スペクトル拡散シーケンスの長さがＡであり、１つの時間領域直交スペクトル拡散シーケンスにＡ個の直交係数を含み、各直交係数が１つのＳＣ−ＦＤＭＡシンボルに対応し、変調シンボルと第ｉ個のＳＣ−ＦＤＭＡシンボルに対応する循環シフト済みベースシーケンスとを乗算してから、当該第ｉ個のＳＣ−ＦＤＭＡシンボルに対応する直交係数と乗算して得た変調シンボルシーケンスを、当該第ｉ個のＳＣ−ＦＤＭＡシンボルにマッピングして伝送する。
【０２０８】
方式４：前記ｓＰＵＣＣＨが複数の周波数領域スケジューリングリソースユニットを占用する場合、前記端末が下記ステップで前記ｓＰＵＣＣＨを送信すると確定する。すなわち、１つの周波数領域スケジューリングリソースユニットのサイズに基づいてベースシーケンスを生成し、前記循環シフト値に基づいて前記ベースシーケンスの循環シフトを行う。
【０２０９】
この場合、端末は、長さがＮ１（１つの周波数領域スケジューリングリソースユニットのサイズ）であるベースシーケンスを生成してから、対応する循環シフト値（各ＳＣ−ＦＤＭＡシンボルの同一または異なる循環シフト値）に従って前記長さＮ１のベースシーケンスの循環シフトを行う。
【０２１０】
さらに、１つの周波数領域スケジューリングリソースユニットのサイズに基づいてベースシーケンスを生成する場合、前記端末が下記ステップで前記ｓＰＵＣＣＨを送信すると確定する。すなわち、各周波数領域スケジューリングリソースユニットに同一のＡＣＫ／ＮＡＣＫフィードバック情報を運び、または、各周波数領域スケジューリングリソースユニットに異なるＡＣＫ／ＮＡＣＫフィードバック情報を運ぶ。
【０２１１】
この場合、ｓＰＵＣＣＨが複数の周波数領域スケジューリングリソースユニットを占用する場合、各周波数領域スケジューリングリソースユニットに同一のＡＣＫ／ＮＡＣＫフィードバック情報を運び、または、各周波数領域スケジューリングリソースユニットに異なるＡＣＫ／ＮＡＣＫフィードバック情報を運ぶ。
【０２１２】
方式４−１：各周波数領域スケジューリングリソースユニットに同一のＡＣＫ／ＮＡＣＫフィードバック情報が運ばれる場合、前記端末が下記ステップで前記ｓＰＵＣＣＨを送信すると確定する。すなわち、前記変調シンボルと、循環シフト済みベースシーケンスとを乗算し、１つの周波数領域スケジューリングリソースユニットに対応する変調シンボルシーケンスを得る。前記１つの周波数領域スケジューリングリソースユニットに対応する変調シンボルシーケンスを複数複製し、それぞれ前記ｓＰＵＣＣＨに占用される各周波数領域スケジューリングリソースユニットにマッピングして伝送する。
【０２１３】
この場合、端末は、前記ＡＣＫ／ＮＡＣＫフィードバック情報を変調して得た変調シンボルと前記循環シフト済みベースシーケンスとを乗算し、周波数領域でスペクトル拡散済みの長さＮ１の変調シンボルシーケンスを取得し、前記同一列の長さＮ１の変調シンボルシーケンスを、それぞれ各周波数領域スケジューリングリソースユニットにマッピングして伝送する（すなわち各周波数領域スケジューリングリソースユニットで伝送される変調シンボルシーケンスが同一である。）。
【０２１４】
方式４−２：各周波数領域スケジューリングリソースユニットに異なるＡＣＫ／ＮＡＣＫフィードバック情報が運ばれる場合、前記端末が下記ステップで前記ｓＰＵＣＣＨを送信すると確定する。すなわち、前記変調シンボルのうち、それぞれ各周波数領域スケジューリングリソースユニットに運ばれる変調シンボルと、循環シフト済みベースシーケンスとを乗算し、対応する周波数領域スケジューリングリソースユニットに対応する変調シンボルシーケンスを得る。各周波数領域スケジューリングリソースユニットに対応する変調シンボルシーケンスを、それぞれ対応する周波数領域スケジューリングリソースユニットにマッピングして伝送する。
【０２１５】
この場合、端末は、前記ＡＣＫ／ＮＡＣＫフィードバック情報を変調して得た第ｉ（ｉ＝０，１，…Ｂ−１；Ｂ：前記ｓＰＵＣＣＨに占用される周波数領域スケジューリングリソースユニットの数）個の変調シンボルと前記循環シフト済みベースシーケンスとを乗算し、第ｉ列の周波数領域でスペクトル拡散済みの変調シンボルシーケンスを取得し、前記変調シンボルシーケンスを、前記ｓＰＵＣＣＨに占用される第ｉ個の周波数領域スケジューリングリソースユニットにマッピングして伝送する。
【０２１６】
方式５：前記ｓＰＵＣＣＨが複数の周波数領域スケジューリングリソースユニットを占用する場合、前記端末が下記ステップで前記ｓＰＵＣＣＨを送信すると確定する。すなわち、前記複数の周波数領域スケジューリングリソースユニットのサイズの合計に基づいてベースシーケンスを生成し、前記循環シフト値に基づいて前記ベースシーケンスの循環シフトを行う。前記変調シンボルと、循環シフト済みベースシーケンスとを乗算して変調シンボルシーケンスを得る。前記変調シンボルシーケンスを、前記ｓＰＵＣＣＨに占用される複数の周波数領域スケジューリングリソースユニットにマッピングして伝送する。
【０２１７】
この場合、端末は、長さがＮ２（前記複数の周波数領域スケジューリングリソースユニットのサイズの合計）であるベースシーケンスを生成してから、対応する循環シフト値（各ＳＣ−ＦＤＭＡシンボルの同一または異なる循環シフト値）に従って前記長さＮ２のベースシーケンスの循環シフトを行う。端末は、前記ＡＣＫ／ＮＡＣＫフィードバック情報を変調して得た変調シンボルと前記循環シフト済みベースシーケンスとを乗算し、周波数領域でスペクトル拡散済みの長さＮ２の変調シンボルシーケンスを取得し、前記変調シンボルシーケンスを、前記複数の周波数領域スケジューリングリソースユニットにマッピングして伝送する（すなわち当該方式において各周波数領域スケジューリングリソースユニットに運ばれるＡＣＫ／ＮＡＣＫフィードバック情報が同一である。）。
【０２１８】
上記の本開示の実施例において、周波数領域において１つまたは複数の周波数領域スケジューリングリソースユニットを占用するｓＰＵＣＣＨ伝送方法は、ｓＰＵＣＣＨが時間領域において１つまたは複数のＳＣ−ＦＤＭＡシンボルを占用してＡＣＫ／ＮＡＣＫフィードバック情報を伝送する方法と組み合わせてもよい。
【０２１９】
本開示の実施例のｓＰＵＣＣＨ伝送方法は、ダウンリンク伝送に対応するダウンリンク制御チャネルによって通知される循環シフト値に基づいて、ｓＰＵＣＣＨ伝送を実現している。例えばｓＰＵＣＣＨに用いられる循環シフト値をＤＬ  ｇｒａｎｔで通知することによって、同一リソースにおける異なる端末の多重化伝送を柔軟に制御することができる。関連技術のＬＴＥシステムにおいてチャネル伝送がサブフレーム単位に定義され、ｓＰＵＣＣＨ伝送が明確に提案されていないという問題を解決した。
【０２２０】
本開示の一部実施例の基地局は、図１４に示すように、ダウンリンク伝送を送信し、端末がｓＰＵＣＣＨ伝送の循環シフト値を取得することに用いられる指示情報を、前記ダウンリンク伝送に対応するダウンリンク制御チャネルに運ぶことに用いられる送信モジュール１４０１と、前記端末が前記循環シフト値に基づいて行うｓＰＵＣＣＨ伝送を受信し、前記ｓＰＵＣＣＨ伝送から前記ダウンリンク伝送のＡＣＫ／ＮＡＣＫフィードバック情報を取得することに用いられる取得モジュール１４０２とを含む。
【０２２１】
本開示の実施例の基地局は、ダウンリンク伝送に対応するダウンリンク制御チャネルによって通知される循環シフト値に基づいて、ｓＰＵＣＣＨ伝送を実現している。例えばｓＰＵＣＣＨに用いられる循環シフト値をＤＬ  ｇｒａｎｔで通知することによって、同一リソースにおける異なる端末の多重化伝送を柔軟に制御することができる。関連技術のＬＴＥシステムにおいてチャネル伝送がサブフレーム単位に定義され、ｓＰＵＣＣＨ伝送が明確に提案されていないという問題を解決した。
【０２２２】
選択的に、前記送信モジュール１４０１は、具体的に、対応するダウンリンク制御チャネルが存在するｓＰＤＳＣＨ、または、短縮ダウンリンクＳＰＳのリソース解放を指示するダウンリンク制御チャネルを送信し、前記指示情報を前記ダウンリンク制御チャネルに運ぶことに用いられる第１送信サブモジュール、または、対応するダウンリンク制御チャネルが存在しないｓＰＤＳＣＨを送信し、短縮ダウンリンクＳＰＳのリソース活性化を指示するダウンリンク制御チャネルに前記指示情報を運ぶことに用いられる第２送信サブモジュールを含む。
【０２２３】
選択的に、前記取得モジュール１４０２は、ベースシーケンスを生成し、前記循環シフト値に基づいて前記ベースシーケンスの循環シフトを行うステップと、前記ＡＣＫ／ＮＡＣＫフィードバック情報を変調して変調シンボルを得るステップと、前記変調シンボルおよび循環シフト済みベースシーケンスに基づいて変調シンボルシーケンスを取得し、前記変調シンボルシーケンスをｓＰＵＣＣＨの時間領域と周波数領域リソースにマッピングして伝送するステップとのステップで、前記端末が前記ｓＰＵＣＣＨを送信すると特定することに用いられる特定サブモジュールを含む。
【０２２４】
さらに、前記ｓＰＵＣＣＨが複数のＳＣ−ＦＤＭＡシンボルを占用して前記ＡＣＫ／ＮＡＣＫフィードバック情報を伝送する場合、前記特定サブモジュールによって、前記端末がベースシーケンスを生成し、前記循環シフト値に基づいて前記ベースシーケンスの循環シフトを行うと特定するステップは、各ＳＣ−ＦＤＭＡシンボルに同一の循環シフト値を使用すること、または、各ＳＣ−ＦＤＭＡシンボルに異なる循環シフト値を使用し、前記循環シフト値に基づいて、各ＳＣ−ＦＤＭＡシンボルに対応する循環シフト値を特定し、または、前記循環シフト値に含まれる複数の値のうちの１つを、各ＳＣ−ＦＤＭＡシンボルに対応する循環シフト値として特定することを含む。
【０２２５】
さらに、前記特定サブモジュールによって、前記端末が前記変調シンボルおよび循環シフト済みベースシーケンスに基づいて変調シンボルシーケンスを取得し、前記変調シンボルシーケンスをｓＰＵＣＣＨの時間領域と周波数領域リソースにマッピングして伝送すると特定するステップは、各ＳＣ−ＦＤＭＡシンボルに同一のＡＣＫ／ＮＡＣＫフィードバック情報を運ぶこと、または、各ＳＣ−ＦＤＭＡシンボルに異なるＡＣＫ／ＮＡＣＫフィードバック情報を運ぶことを含む。
【０２２６】
さらに、各ＳＣ−ＦＤＭＡシンボルに同一の循環シフト値が使用されかつ各ＳＣ−ＦＤＭＡシンボルに同一のＡＣＫ／ＮＡＣＫフィードバック情報が運ばれる場合、前記特定サブモジュールは、前記端末が下記ステップで前記ｓＰＵＣＣＨを送信すると確定する。すなわち、ベースシーケンスを生成し、前記循環シフト値に基づいて、前記ベースシーケンスの循環シフトを行って、各ＳＣ−ＦＤＭＡシンボルに対応する循環シフト済みベースシーケンスとする。前記変調シンボルと循環シフト済みベースシーケンスとを乗算し、１つのＳＣ−ＦＤＭＡシンボルに運ばれる変調シンボルシーケンスを得る。前記１つのＳＣ−ＦＤＭＡシンボルで伝送される変調シンボルシーケンスを複数複製し、それぞれ前記複数のＳＣ−ＦＤＭＡシンボルの各ＳＣ−ＦＤＭＡシンボルにマッピングして伝送する。各ＳＣ−ＦＤＭＡシンボルに同一の循環シフト値が使用されかつ各ＳＣ−ＦＤＭＡシンボルに異なるＡＣＫ／ＮＡＣＫフィードバック情報が運ばれる場合、前記特定サブモジュールは、前記端末が下記ステップで前記ｓＰＵＣＣＨを送信すると確定する。すなわち、ベースシーケンスを生成し、前記循環シフト値に基づいて、前記ベースシーケンスの循環シフトを行って、各ＳＣ−ＦＤＭＡシンボルに対応する循環シフト済みベースシーケンスとする。前記変調シンボルのうち、前記複数のＳＣ−ＦＤＭＡシンボルの第ｉ（ｉ＝０，１，…Ａ−１；Ａ：前記複数のＳＣ−ＦＤＭＡシンボルの数）個のＳＣ−ＦＤＭＡシンボルに運ばれている変調シンボルと、循環シフト済みベースシーケンスとを乗算し、前記第ｉ個のＳＣ−ＦＤＭＡシンボルに対応する変調シンボルシーケンスを得る。前記第ｉ個のＳＣ−ＦＤＭＡシンボルに対応する変調シンボルシーケンスを、前記第ｉ個のＳＣ−ＦＤＭＡシンボルにマッピングして伝送する。各ＳＣ−ＦＤＭＡシンボルに異なる循環シフト値が使用されかつ各ＳＣ−ＦＤＭＡシンボルに同一のＡＣＫ／ＮＡＣＫフィードバック情報が運ばれる場合、前記特定サブモジュールは、前記端末が下記ステップで前記ｓＰＵＣＣＨを送信すると確定する。すなわち、ベースシーケンスを生成し、前記各ＳＣ−ＦＤＭＡシンボルに対応する循環シフト値に基づいて、前記ベースシーケンスの循環シフトを行って、対応するＳＣ−ＦＤＭＡシンボルに対応する循環シフト済みベースシーケンスとする。前記変調シンボルを、前記各ＳＣ−ＦＤＭＡシンボルに対応する循環シフト値に基づいて循環シフトを行ったベースシーケンスとそれぞれ乗算し、各ＳＣ−ＦＤＭＡシンボルに対応する変調シンボルシーケンスを得る。前記各ＳＣ−ＦＤＭＡシンボルに対応する変調シンボルシーケンスを、それぞれ前記複数のＳＣ−ＦＤＭＡシンボルのうち、対応するＳＣ−ＦＤＭＡシンボルにマッピングして伝送する。各ＳＣ−ＦＤＭＡシンボルに異なる循環シフト値が使用されかつ各ＳＣ−ＦＤＭＡシンボルに異なるＡＣＫ／ＮＡＣＫフィードバック情報が運ばれる場合、前記特定サブモジュールは、前記端末が下記ステップで前記ｓＰＵＣＣＨを送信すると確定する。すなわち、ベースシーケンスを生成し、前記各ＳＣ−ＦＤＭＡシンボルに対応する循環シフト値に基づいて、前記ベースシーケンスの循環シフトを行って、対応するＳＣ−ＦＤＭＡシンボルに対応する循環シフト済みベースシーケンスとする。前記変調シンボルのうち、前記複数のＳＣ−ＦＤＭＡシンボルの第ｉ（ｉ＝０，１，…Ａ−１；Ａ：前記複数のＳＣ−ＦＤＭＡシンボルの数）個のＳＣ−ＦＤＭＡシンボルに運ばれている変調シンボルと、前記第ｉ個のＳＣ−ＦＤＭＡシンボルに対応する循環シフト済みベースシーケンスとを乗算し、前記第ｉ個のＳＣ−ＦＤＭＡシンボルに対応する変調シンボルシーケンスを得る。前記第ｉ個のＳＣ−ＦＤＭＡシンボルに対応する変調シンボルシーケンスを、前記第ｉ個のＳＣ−ＦＤＭＡシンボルにマッピングして伝送する。
【０２２７】
さらに、前記特定サブモジュールによって、前記端末が前記変調シンボルおよび循環シフト済みベースシーケンスに基づいて変調シンボルシーケンスを取得し、前記変調シンボルシーケンスをｓＰＵＣＣＨの時間領域と周波数領域リソースにマッピングして伝送すると特定するステップは、前記変調シンボル、循環シフト済みベースシーケンスおよび時間領域直交スペクトル拡散シーケンスに基づいて、変調シンボルシーケンスを取得し、前記変調シンボルシーケンスをｓＰＵＣＣＨの時間領域および周波数領域リソースにマッピングして伝送することを含む。
【０２２８】
さらに、各ＳＣ−ＦＤＭＡシンボルに同一の循環シフト値が使用される場合、前記特定サブモジュールは、前記端末が下記ステップで前記ｓＰＵＣＣＨを送信すると確定する。すなわち、ベースシーケンスを生成し、前記循環シフト値に基づいて、前記ベースシーケンスの循環シフトを行って、各ＳＣ−ＦＤＭＡシンボルに対応する循環シフト済みベースシーケンスとする。前記変調シンボルと循環シフト済みベースシーケンスとを乗算し、変調シンボルシーケンスを得る。前記変調シンボルシーケンスと、長さが前記ｓＰＵＣＣＨに占用されるＳＣ−ＦＤＭＡシンボルの数とは同一であり、予め得られた時間領域直交スペクトル拡散シーケンスとを乗算して複数の直交スペクトル拡散済み変調シンボルシーケンスを得る。前記複数の直交スペクトル拡散済み変調シンボルシーケンスを、それぞれ前記ＳＣ−ＦＤＭＡシンボルにマッピングして伝送する。各ＳＣ−ＦＤＭＡシンボルに異なる循環シフト値が使用される場合、前記特定サブモジュールは、前記端末が下記ステップで前記ｓＰＵＣＣＨを送信すると確定する。すなわち、ベースシーケンスを生成し、前記各ＳＣ−ＦＤＭＡシンボルに対応する循環シフト値に基づいて、前記ベースシーケンスの循環シフトを行って、対応するＳＣ−ＦＤＭＡシンボルに対応する循環シフト済みベースシーケンスとする。前記変調シンボルと、前記複数のＳＣ−ＦＤＭＡシンボルの第ｉ（ｉ＝０，１，…Ａ−１；Ａ：前記複数のＳＣ−ＦＤＭＡシンボルの数）個のＳＣ−ＦＤＭＡシンボルに対応する循環シフト済みベースシーケンスとを乗算し、前記第ｉ個のＳＣ−ＦＤＭＡシンボルに対応する直交シーケンスのうちの第ｉ個の直交因子と乗算し、前記第ｉ個のＳＣ−ＦＤＭＡシンボルに対応する変調シンボルシーケンスを得る。各ＳＣ−ＦＤＭＡシンボルに対応する変調シンボルシーケンスを、対応するＳＣ−ＦＤＭＡシンボルにマッピングして伝送する。
【０２２９】
さらに、前記ｓＰＵＣＣＨが複数の周波数領域スケジューリングリソースユニットを占用する場合、前記特定サブモジュールは、前記端末が下記ステップでベースシーケンスを生成すると特定する。すなわち、１つの周波数領域スケジューリングリソースユニットのサイズに基づいてベースシーケンスを生成し、前記循環シフト値に基づいて前記ベースシーケンスの循環シフトを行う。
【０２３０】
さらに、１つの周波数領域スケジューリングリソースユニットのサイズに基づいてベースシーケンスを生成する場合、前記特定サブモジュールは、前記端末が下記ステップで前記ｓＰＵＣＣＨを送信すると確定する。すなわち、各周波数領域スケジューリングリソースユニットに同一のＡＣＫ／ＮＡＣＫフィードバック情報を運ぶこと、または、各周波数領域スケジューリングリソースユニットに異なるＡＣＫ／ＮＡＣＫフィードバック情報を運ぶ。
【０２３１】
さらに、各周波数領域スケジューリングリソースユニットに同一のＡＣＫ／ＮＡＣＫフィードバック情報が運ばれる場合、前記特定サブモジュールは、前記端末が下記ステップで前記ｓＰＵＣＣＨを送信すると確定する。すなわち、前記変調シンボルと、循環シフト済みベースシーケンスとを乗算し、１つの周波数領域スケジューリングリソースユニットに対応する変調シンボルシーケンスを得る。前記１つの周波数領域スケジューリングリソースユニットに対応する変調シンボルシーケンスを複数複製し、それぞれ前記ｓＰＵＣＣＨに占用される各周波数領域スケジューリングリソースユニットにマッピングして伝送する。各周波数領域スケジューリングリソースユニットに異なるＡＣＫ／ＮＡＣＫフィードバック情報が運ばれる場合、前記特定サブモジュールは、前記端末が下記ステップで前記ｓＰＵＣＣＨを送信すると確定する。すなわち、前記変調シンボルのうち、各周波数領域スケジューリングリソースユニットに運ばれる変調シンボルと、循環シフト済みベースシーケンスとを乗算し、対応する周波数領域スケジューリングリソースユニットに対応する変調シンボルシーケンスを得る。各周波数領域スケジューリングリソースユニットに対応する変調シンボルシーケンスを、それぞれ対応する周波数領域スケジューリングリソースユニットにマッピングして伝送する。
【０２３２】
さらに、前記ｓＰＵＣＣＨが複数の周波数領域スケジューリングリソースユニットを占用する場合、前記特定サブモジュールは、前記端末が下記ステップでベースシーケンスを生成してｓＰＵＣＣＨを送信すると特定する。すなわち、前記複数の周波数領域スケジューリングリソースユニットのサイズの合計に基づいてベースシーケンスを生成し、前記循環シフト値に基づいて前記ベースシーケンスの循環シフトを行う。前記変調シンボルと、循環シフト済みベースシーケンスとを乗算して変調シンボルシーケンスを得る。前記変調シンボルシーケンスを、前記ｓＰＵＣＣＨに占用される複数の周波数領域スケジューリングリソースユニットにマッピングして伝送する。
【０２３３】
さらに、前記ベースシーケンスは、ＣＡＺＡＣシーケンスである。
【０２３４】
本開示の実施例の基地局は、ダウンリンク伝送に対応するダウンリンク制御チャネルによって通知される循環シフト値に基づいて、ｓＰＵＣＣＨ伝送を実現している。例えばｓＰＵＣＣＨに用いられる循環シフト値をＤＬ  ｇｒａｎｔで通知することによって、同一リソースにおける異なる端末の多重化伝送を柔軟に制御することができる。関連技術のＬＴＥシステムにおいてチャネル伝送がサブフレーム単位に定義され、ｓＰＵＣＣＨ伝送が明確に提案されていないという問題を解決した。
【０２３５】
なお、上記ｓＰＵＣＣＨ伝送方法を実現する上記実施例は、いずれも当該基地局の実施例に適用し、同一の技術効果を奏することもできる。
【０２３６】
本開示の各実施例において、上記各プロセスの番号の大きさは、実行順の前後を意味するのではなく、各プロセスの実行順は、その機能および内在的な論理によって確定されるものであり、本開示の実施例の実施プロセスに対しいっさい限定を構成しないと理解すべきである。
【０２３７】
以上記載されたのは、本開示の選択可能な実施形態である。なお、当業者は、本開示に記載されている原理を逸脱せずに様々な改良や修飾をすることもできる。これらの改良や修飾も、本開示の保護範囲として見なされるべきである。
【図１】
2019528609.tif 000003
【図２】
2019528609.tif 000004
【図３】
2019528609.tif 000005
【図４】
2019528609.tif 000006
【図５】
2019528609.tif 000007
【図６】
2019528609.tif 000008
【図７】
2019528609.tif 000009
【図８】
2019528609.tif 000010
【図９】
2019528609.tif 000011
【図１０】
2019528609.tif 000012
【図１１】
2019528609.tif 000013
【図１２】
2019528609.tif 000014
【図１３】
2019528609.tif 000015
【図１４】
2019528609.tif 000016
【図１５】
2019528609.tif 000017
【図１６】
2019528609.tif 000018
【手続補正書】
【提出日】平成31年3月5日(2019.3.5)
【手続補正１】
【補正対象書類名】特許請求の範囲
【補正対象項目名】全文
【補正方法】変更
【補正の内容】
【特許請求の範囲】
【請求項１】
ｓＰＵＣＣＨ（ｓｈｏｒｔｅｎｅｄ  Ｐｈｙｓｉｃａｌ  Ｕｐｌｉｎｋ  Ｃｏｎｔｒｏｌ  Ｃｈａｎｎｅｌ）伝送方法において、
ダウンリンク伝送を受信し、受信した前記ダウンリンク伝送に対応するダウンリンク制御チャネルに運ばれている指示情報に基づいて、ｓＰＵＣＣＨ伝送の循環シフト値を取得することと、
前記循環シフト値に基づいてｓＰＵＣＣＨ伝送を行い、前記ｓＰＵＣＣＨに前記ダウンリンク伝送のＡＣＫ（Ａｃｋｎｏｗｌｅｄｇｅｍｅｎｔ）／ＮＡＣＫ（Ｎｅｇａｔｉｖｅ  ＡＣＫ）フィードバック情報を運ぶこととを含むｓＰＵＣＣＨ伝送方法。
【請求項２】
ダウンリンク伝送を受信し、受信した前記ダウンリンク伝送に対応するダウンリンク制御チャネルに運ばれている指示情報に基づいて、ｓＰＵＣＣＨ伝送の循環シフト値を取得することは、
対応するダウンリンク制御チャネルが存在するｓＰＤＳＣＨ（ｓｈｏｒｔｅｎｅｄ  Ｐｈｙｓｉｃａｌ  Ｄｏｗｎｌｉｎｋ  Ｓｈａｒｅｄ  Ｃｈａｎｎｅｌ）、または、短縮ダウンリンクＳＰＳ（Ｓｅｍｉ−Ｐｅｒｓｉｓｔｅｎｔ  Ｓｃｈｅｄｕｌｉｎｇ）のリソース解放を指示するダウンリンク制御チャネルを受信し、前記ダウンリンク制御チャネルに運ばれている指示情報に基づいて、ｓＰＵＣＣＨ伝送の循環シフト値を取得し、または、
対応するダウンリンク制御チャネルが存在しないｓＰＤＳＣＨを受信し、短縮ダウンリンクＳＰＳのリソース活性化を指示するダウンリンク制御チャネルに運ばれている指示情報に基づいて、ｓＰＵＣＣＨ伝送の循環シフト値を取得することを含む請求項１に記載の方法。
【請求項３】
前記循環シフト値に基づいてｓＰＵＣＣＨ伝送を行い、前記ｓＰＵＣＣＨに前記ダウンリンク伝送のＡＣＫ／ＮＡＣＫフィードバック情報を運ぶことは、
ベースシーケンスを生成し、前記循環シフト値に基づいて前記ベースシーケンスの循環シフトを行うことと、
前記ＡＣＫ／ＮＡＣＫフィードバック情報を変調して変調シンボルを得ることと、
前記変調シンボルおよび循環シフト済みベースシーケンスに基づいて変調シンボルシーケンスを取得し、前記変調シンボルシーケンスをｓＰＵＣＣＨの時間領域と周波数領域リソースにマッピングして伝送することとを含む請求項１に記載の方法。
【請求項４】
ベースシーケンスを生成し、前記循環シフト値に基づいて前記ベースシーケンスの循環シフトを行うステップは、以下の、
方法１：
前記ｓＰＵＣＣＨが複数のＳＣ−ＦＤＭＡシンボルを占用して前記ＡＣＫ／ＮＡＣＫフィードバック情報を伝送する場合、
各ＳＣ−ＦＤＭＡシンボルに同一の循環シフト値を使用し、または、
各ＳＣ−ＦＤＭＡシンボルに異なる循環シフト値を使用し、前記循環シフト値に基づいて、各ＳＣ−ＦＤＭＡシンボルに対応する循環シフト値を特定し、または、前記循環シフト値に含まれる複数の値のうちの１つを、各ＳＣ−ＦＤＭＡシンボルに対応する循環シフト値として特定する方法
方法２：
前記ｓＰＵＣＣＨが複数の周波数領域スケジューリングリソースユニットを占用する場合、１つの周波数領域スケジューリングリソースユニットのサイズに基づいてベースシーケンスを生成し、前記循環シフト値に基づいて前記ベースシーケンスの循環シフトを行う方法、
方法３：
前記ｓＰＵＣＣＨが複数の周波数領域スケジューリングリソースユニットを占用する場合、
ベースシーケンスを生成し、前記循環シフト値に基づいて前記ベースシーケンスの循環シフトを行うステップは、
前記複数の周波数領域スケジューリングリソースユニットのサイズの合計に基づいてベースシーケンスを生成し、前記循環シフト値に基づいて前記ベースシーケンスの循環シフトを行うことを含み、
前記変調シンボルおよび循環シフト済みベースシーケンスに基づいて変調シンボルシーケンスを取得し、前記変調シンボルシーケンスをｓＰＵＣＣＨの時間領域と周波数領域リソースにマッピングして伝送するステップは、
前記変調シンボルと循環シフト済みベースシーケンスとを乗算し、変調シンボルシーケンスを得ることと、
前記変調シンボルシーケンスを前記ｓＰＵＣＣＨに占用される複数の周波数領域スケジューリングリソースユニットにマッピングして伝送する方法のうち少なくとも一種の方法を含む請求項３に記載の方法。
【請求項５】
前記変調シンボルおよび循環シフト済みベースシーケンスに基づいて変調シンボルシーケンスを取得し、前記変調シンボルシーケンスをｓＰＵＣＣＨの時間領域と周波数領域リソースにマッピングして伝送するステップは、
方法１を採用する場合、
各ＳＣ−ＦＤＭＡシンボルに同一のＡＣＫ／ＮＡＣＫフィードバック情報を運ぶこと、または、
各ＳＣ−ＦＤＭＡシンボルに異なるＡＣＫ／ＮＡＣＫフィードバック情報を運ぶこと、または、
前記変調シンボル、循環シフト済みベースシーケンスおよび時間領域直交スペクトル拡散シーケンスに基づいて、変調シンボルシーケンスを取得し、前記変調シンボルシーケンスをｓＰＵＣＣＨの時間領域および周波数領域リソースにマッピングして伝送することとを含み、
方法２を採用する場合、
各周波数領域スケジューリングリソースユニットに同一のＡＣＫ／ＮＡＣＫフィードバック情報を運ぶこと、または、
各周波数領域スケジューリングリソースユニットに異なるＡＣＫ／ＮＡＣＫフィードバック情報を運ぶことを含む請求項４に記載の方法。
【請求項６】
各ＳＣ−ＦＤＭＡシンボルに同一の循環シフト値が使用されかつ各ＳＣ−ＦＤＭＡシンボルに同一のＡＣＫ／ＮＡＣＫフィードバック情報が運ばれる場合、
ベースシーケンスを生成し、前記循環シフト値に基づいて前記ベースシーケンスの循環シフトを行うステップは、
ベースシーケンスを生成し、前記循環シフト値に基づいて、前記ベースシーケンスの循環シフトを行って、各ＳＣ−ＦＤＭＡシンボルに対応する循環シフト済みベースシーケンスとすることを含み、
前記変調シンボルおよび循環シフト済みベースシーケンスに基づいて変調シンボルシーケンスを取得し、前記変調シンボルシーケンスをｓＰＵＣＣＨの時間領域と周波数領域リソースにマッピングして伝送するステップは、
前記変調シンボルと循環シフト済みベースシーケンスとを乗算し、１つのＳＣ−ＦＤＭＡシンボルに運ばれる変調シンボルシーケンスを得ることと、
前記１つのＳＣ−ＦＤＭＡシンボルで伝送される変調シンボルシーケンスを複数複製し、それぞれ前記複数のＳＣ−ＦＤＭＡシンボルの各ＳＣ−ＦＤＭＡシンボルにマッピングして伝送することとを含み、
各ＳＣ−ＦＤＭＡシンボルに同一の循環シフト値が使用されかつ各ＳＣ−ＦＤＭＡシンボルに異なるＡＣＫ／ＮＡＣＫフィードバック情報が運ばれる場合、
ベースシーケンスを生成し、前記循環シフト値に基づいて前記ベースシーケンスの循環シフトを行うステップは、
ベースシーケンスを生成し、前記循環シフト値に基づいて、前記ベースシーケンスの循環シフトを行って、各ＳＣ−ＦＤＭＡシンボルに対応する循環シフト済みベースシーケンスとすることを含み、
前記変調シンボルおよび循環シフト済みベースシーケンスに基づいて変調シンボルシーケンスを取得し、前記変調シンボルシーケンスをｓＰＵＣＣＨの時間領域と周波数領域リソースにマッピングして伝送するステップは、
前記変調シンボルのうち、前記複数のＳＣ−ＦＤＭＡシンボルの第ｉ（ｉ＝０，１，…Ａ−１；Ａ：前記複数のＳＣ−ＦＤＭＡシンボルの数）個のＳＣ−ＦＤＭＡシンボルに運ばれている変調シンボルと、循環シフト済みベースシーケンスとを乗算し、前記第ｉ個のＳＣ−ＦＤＭＡシンボルに対応する変調シンボルシーケンスを得ることと、
前記第ｉ個のＳＣ−ＦＤＭＡシンボルに対応する変調シンボルシーケンスを、前記第ｉ個のＳＣ−ＦＤＭＡシンボルにマッピングして伝送することとを含み、
各ＳＣ−ＦＤＭＡシンボルに異なる循環シフト値が使用されかつ各ＳＣ−ＦＤＭＡシンボルに同一のＡＣＫ／ＮＡＣＫフィードバック情報が運ばれる場合、
ベースシーケンスを生成し、前記循環シフト値に基づいて前記ベースシーケンスの循環シフトを行うステップは、
ベースシーケンスを生成し、前記各ＳＣ−ＦＤＭＡシンボルに対応する循環シフト値に基づいて、前記ベースシーケンスの循環シフトを行って、対応するＳＣ−ＦＤＭＡシンボルに対応する循環シフト済みベースシーケンスとすることを含み、
前記変調シンボルおよび循環シフト済みベースシーケンスに基づいて変調シンボルシーケンスを取得し、前記変調シンボルシーケンスをｓＰＵＣＣＨの時間領域と周波数領域リソースにマッピングして伝送するステップは、
前記変調シンボルを前記各ＳＣ−ＦＤＭＡシンボルに対応する循環シフト値に基づいて循環シフトを行ったベースシーケンスとそれぞれ乗算し、各ＳＣ−ＦＤＭＡシンボルに対応する変調シンボルシーケンスを得ることと、
前記各ＳＣ−ＦＤＭＡシンボルに対応する変調シンボルシーケンスを、それぞれ前記複数のＳＣ−ＦＤＭＡシンボルのうち、対応するＳＣ−ＦＤＭＡシンボルにマッピングして伝送することとを含み、
各ＳＣ−ＦＤＭＡシンボルに異なる循環シフト値が使用されかつ各ＳＣ−ＦＤＭＡシンボルに異なるＡＣＫ／ＮＡＣＫフィードバック情報が運ばれる場合、
ベースシーケンスを生成し、前記循環シフト値に基づいて前記ベースシーケンスの循環シフトを行うステップは、
ベースシーケンスを生成し、前記各ＳＣ−ＦＤＭＡシンボルに対応する循環シフト値に基づいて、前記ベースシーケンスの循環シフトを行って、対応するＳＣ−ＦＤＭＡシンボルに対応する循環シフト済みベースシーケンスとすることを含み、
前記変調シンボルおよび循環シフト済みベースシーケンスに基づいて変調シンボルシーケンスを取得し、前記変調シンボルシーケンスをｓＰＵＣＣＨの時間領域と周波数領域リソースにマッピングして伝送するステップは、
前記変調シンボルのうち、前記複数のＳＣ−ＦＤＭＡシンボルの第ｉ（ｉ＝０，１，…Ａ−１；Ａ：前記複数のＳＣ−ＦＤＭＡシンボルの数）個のＳＣ−ＦＤＭＡシンボルに運ばれている変調シンボルと、前記第ｉ個のＳＣ−ＦＤＭＡシンボルに対応する循環シフト済みベースシーケンスとを乗算し、前記第ｉ個のＳＣ−ＦＤＭＡシンボルに対応する変調シンボルシーケンスを得ることと、
前記第ｉ個のＳＣ−ＦＤＭＡシンボルに対応する変調シンボルシーケンスを、前記第ｉ個のＳＣ−ＦＤＭＡシンボルにマッピングして伝送することとを含み、
前記変調シンボル、循環シフト済みベースシーケンスおよび時間領域直交スペクトル拡散シーケンスに基づいて、変調シンボルシーケンスを取得し、前記変調シンボルシーケンスをｓＰＵＣＣＨの時間領域および周波数領域リソースにマッピングして伝送することは、
各ＳＣ−ＦＤＭＡシンボルに同一の循環シフト値を使用する場合、
ベースシーケンスを生成し、前記循環シフト値に基づいて前記ベースシーケンスの循環シフトを行うステップは、
ベースシーケンスを生成し、前記循環シフト値に基づいて、前記ベースシーケンスの循環シフトを行って、各ＳＣ−ＦＤＭＡシンボルに対応する循環シフト済みベースシーケンスとすることを含み、
前記変調シンボルおよび循環シフト済みベースシーケンスに基づいて変調シンボルシーケンスを取得し、前記変調シンボルシーケンスをｓＰＵＣＣＨの時間領域と周波数領域リソースにマッピングして伝送するステップは、
前記変調シンボルと循環シフト済みベースシーケンスとを乗算し、変調シンボルシーケンスを得ることと、
前記変調シンボルシーケンスと、長さが前記ｓＰＵＣＣＨに占用されるＳＣ−ＦＤＭＡシンボルの数とは同一であり、予め得られた直交シーケンスとを乗算して複数の直交スペクトル拡散済み変調シンボルシーケンスを得ることと、
前記複数の直交スペクトル拡散済み変調シンボルシーケンスを、それぞれ前記ＳＣ−ＦＤＭＡシンボルにマッピングして伝送することとを含み、
各ＳＣ−ＦＤＭＡシンボルに異なる循環シフト値が使用される場合、
ベースシーケンスを生成し、前記循環シフト値に基づいて前記ベースシーケンスの循環シフトを行うステップは、
ベースシーケンスを生成し、前記各ＳＣ−ＦＤＭＡシンボルに対応する循環シフト値に基づいて、前記ベースシーケンスの循環シフトを行って、対応するＳＣ−ＦＤＭＡシンボルに対応する循環シフト済みベースシーケンスとすることを含み、
前記変調シンボルおよび循環シフト済みベースシーケンスに基づいて変調シンボルシーケンスを取得し、前記変調シンボルシーケンスをｓＰＵＣＣＨの時間領域と周波数領域リソースにマッピングして伝送するステップは、
前記変調シンボルと、前記複数のＳＣ−ＦＤＭＡシンボルの第ｉ（ｉ＝０，１，…Ａ−１；Ａ：前記複数のＳＣ−ＦＤＭＡシンボルの数）個のＳＣ−ＦＤＭＡシンボルに対応する循環シフト済みベースシーケンスとを乗算し、前記第ｉ個のＳＣ−ＦＤＭＡシンボルに対応する直交シーケンスのうちの第ｉ個の直交因子と乗算し、前記第ｉ個のＳＣ−ＦＤＭＡシンボルに対応する変調シンボルシーケンスを得ることと、
各ＳＣ−ＦＤＭＡシンボルに対応する変調シンボルシーケンスを、対応するＳＣ−ＦＤＭＡシンボルにマッピングして伝送することとを含み、
各周波数領域スケジューリングリソースユニットに同一のＡＣＫ／ＮＡＣＫフィードバック情報が運ばれる場合、
前記変調シンボルおよび循環シフト済みベースシーケンスに基づいて変調シンボルシーケンスを取得し、前記変調シンボルシーケンスをｓＰＵＣＣＨの時間領域と周波数領域リソースにマッピングして伝送するステップは、
前記変調シンボルと、循環シフト済みベースシーケンスとを乗算し、１つの周波数領域スケジューリングリソースユニットに対応する変調シンボルシーケンスを得ることと、
前記１つの周波数領域スケジューリングリソースユニットに対応する変調シンボルシーケンスを複数複製し、それぞれ前記ｓＰＵＣＣＨに占用される各周波数領域スケジューリングリソースユニットにマッピングして伝送することとを含み、
各周波数領域スケジューリングリソースユニットに異なるＡＣＫ／ＮＡＣＫフィードバック情報が運ばれる場合、
前記変調シンボルおよび循環シフト済みベースシーケンスに基づいて変調シンボルシーケンスを取得し、前記変調シンボルシーケンスをｓＰＵＣＣＨの時間領域と周波数領域リソースにマッピングして伝送するステップは、
前記変調シンボルのうち、それぞれ各周波数領域スケジューリングリソースユニットで運ばれる変調シンボルと、循環シフト済みベースシーケンスとを乗算し、対応する周波数領域スケジューリングリソースユニットに対応する変調シンボルシーケンスを得ることと、
各周波数領域スケジューリングリソースユニットに対応する変調シンボルシーケンスを、それぞれ対応する周波数領域スケジューリングリソースユニットにマッピングして伝送することとを含む請求項５に記載の方法。
【請求項７】
ダウンリンク伝送を受信し、受信した前記ダウンリンク伝送に対応するダウンリンク制御チャネルに運ばれている指示情報に基づいて、ｓＰＵＣＣＨ伝送の循環シフト値を取得することに用いられる受信モジュールと、
前記循環シフト値に基づいてｓＰＵＣＣＨ伝送を行い、前記ｓＰＵＣＣＨに前記ダウンリンク伝送のＡＣＫ／ＮＡＣＫフィードバック情報を運ぶことに用いられる伝送モジュールとを含む端末。
【請求項８】
ダウンリンク伝送を送信し、端末がｓＰＵＣＣＨ伝送の循環シフト値を取得することに用いられる指示情報を、前記ダウンリンク伝送に対応するダウンリンク制御チャネルに運ぶことと、
前記端末が前記循環シフト値に基づいて行うｓＰＵＣＣＨ伝送を受信し、前記ｓＰＵＣＣＨ伝送から前記ダウンリンク伝送のＡＣＫ／ＮＡＣＫフィードバック情報を取得することとを含むｓＰＵＣＣＨ伝送方法。
【請求項９】
ダウンリンク伝送を送信し、端末がｓＰＵＣＣＨ伝送の循環シフト値を取得することに用いられる指示情報を、前記ダウンリンク伝送に対応するダウンリンク制御チャネルに運ぶことは、
対応するダウンリンク制御チャネルが存在するｓＰＤＳＣＨ、または、短縮ダウンリンクＳＰＳのリソース解放を指示するダウンリンク制御チャネルを送信し、前記指示情報を前記ダウンリンク制御チャネルに運ぶこと、または、
対応するダウンリンク制御チャネルが存在しないｓＰＤＳＣＨを送信し、短縮ダウンリンクＳＰＳのリソース活性化を指示するダウンリンク制御チャネルに前記指示情報を運ぶことを含む請求項８に記載の方法。
【請求項１０】
ｓＰＵＣＣＨ伝送を受信し、前記ｓＰＵＣＣＨ伝送から前記ダウンリンク伝送のＡＣＫ／ＮＡＣＫフィードバック情報を取得することは、
ベースシーケンスを生成し、前記循環シフト値に基づいて前記ベースシーケンスの循環シフトを行うステップと、
前記ＡＣＫ／ＮＡＣＫフィードバック情報を変調して変調シンボルを得るステップと、
前記変調シンボルおよび循環シフト済みベースシーケンスに基づいて変調シンボルシーケンスを取得し、前記変調シンボルシーケンスをｓＰＵＣＣＨの時間領域と周波数領域リソースにマッピングして伝送するステップとのステップで、前記端末が前記ｓＰＵＣＣＨを送信すると特定することを含む請求項８に記載の方法。
【請求項１１】
ベースシーケンスを生成し、前記循環シフト値に基づいて前記ベースシーケンスの循環シフトを行うステップは、以下の
方法１：
前記ｓＰＵＣＣＨが複数のＳＣ−ＦＤＭＡシンボルを占用して前記ＡＣＫ／ＮＡＣＫフィードバック情報を伝送する場合、
各ＳＣ−ＦＤＭＡシンボルに同一の循環シフト値を使用し、または、
各ＳＣ−ＦＤＭＡシンボルに異なる循環シフト値を使用し、前記循環シフト値に基づいて、各ＳＣ−ＦＤＭＡシンボルに対応する循環シフト値を特定し、または、前記循環シフト値に含まれる複数の値のうちの１つを、各ＳＣ−ＦＤＭＡシンボルに対応する循環シフト値として特定する方法、
方法２：
前記ｓＰＵＣＣＨが複数の周波数領域スケジューリングリソースユニットを占用する場合、１つの周波数領域スケジューリングリソースユニットのサイズに基づいてベースシーケンスを生成し、前記循環シフト値に基づいて前記ベースシーケンスの循環シフトを行う方法、
方法３：
前記ｓＰＵＣＣＨが複数の周波数領域スケジューリングリソースユニットを占用する場合、
ベースシーケンスを生成し、前記循環シフト値に基づいて前記ベースシーケンスの循環シフトを行うステップは、
前記複数の周波数領域スケジューリングリソースユニットのサイズの合計に基づいてベースシーケンスを生成し、前記循環シフト値に基づいて前記ベースシーケンスの循環シフトを行うことを含み、
前記変調シンボルおよび循環シフト済みベースシーケンスに基づいて変調シンボルシーケンスを取得し、前記変調シンボルシーケンスをｓＰＵＣＣＨの時間領域と周波数領域リソースにマッピングして伝送するステップは、
前記変調シンボルと循環シフト済みベースシーケンスとを乗算し、変調シンボルシーケンスを得ることと、
前記変調シンボルシーケンスを前記ｓＰＵＣＣＨに占用される複数の周波数領域スケジューリングリソースユニットにマッピングして伝送する方法のうち少なくとも一種の方法を含む請求項１０に記載の方法。
【請求項１２】
前記変調シンボルおよび循環シフト済みベースシーケンスに基づいて変調シンボルシーケンスを取得し、前記変調シンボルシーケンスをｓＰＵＣＣＨの時間領域と周波数領域リソースにマッピングして伝送するステップは、
方法１を採用する場合、
各ＳＣ−ＦＤＭＡシンボルに同一のＡＣＫ／ＮＡＣＫフィードバック情報を運ぶこと、または、
各ＳＣ−ＦＤＭＡシンボルに異なるＡＣＫ／ＮＡＣＫフィードバック情報を運ぶこと、または、
前記変調シンボル、循環シフト済みベースシーケンスおよび時間領域直交スペクトル拡散シーケンスに基づいて、変調シンボルシーケンスを取得し、前記変調シンボルシーケンスをｓＰＵＣＣＨの時間領域および周波数領域リソースにマッピングして伝送することを含み、
方法２を採用する場合、
各周波数領域スケジューリングリソースユニットに同一のＡＣＫ／ＮＡＣＫフィードバック情報を運ぶこと、または、
各周波数領域スケジューリングリソースユニットに異なるＡＣＫ／ＮＡＣＫフィードバック情報を運ぶことを含む請求項１１に記載の方法。
【請求項１３】
各ＳＣ−ＦＤＭＡシンボルに同一の循環シフト値が使用されかつ各ＳＣ−ＦＤＭＡシンボルに同一のＡＣＫ／ＮＡＣＫフィードバック情報が運ばれる場合、
ベースシーケンスを生成し、前記循環シフト値に基づいて前記ベースシーケンスの循環シフトを行うステップは、
ベースシーケンスを生成し、前記循環シフト値に基づいて、前記ベースシーケンスの循環シフトを行って、各ＳＣ−ＦＤＭＡシンボルに対応する循環シフト済みベースシーケンスとすることを含み、
前記変調シンボルおよび循環シフト済みベースシーケンスに基づいて変調シンボルシーケンスを取得し、前記変調シンボルシーケンスをｓＰＵＣＣＨの時間領域と周波数領域リソースにマッピングして伝送するステップは、
前記変調シンボルと循環シフト済みベースシーケンスとを乗算し、１つのＳＣ−ＦＤＭＡシンボルに運ばれる変調シンボルシーケンスを得ることと、
前記１つのＳＣ−ＦＤＭＡシンボルで伝送される変調シンボルシーケンスを複数複製し、それぞれ前記複数のＳＣ−ＦＤＭＡシンボルの各ＳＣ−ＦＤＭＡシンボルにマッピングして伝送することとを含み、
各ＳＣ−ＦＤＭＡシンボルに同一の循環シフト値が使用されかつ各ＳＣ−ＦＤＭＡシンボルに異なるＡＣＫ／ＮＡＣＫフィードバック情報が運ばれる場合、
ベースシーケンスを生成し、前記循環シフト値に基づいて前記ベースシーケンスの循環シフトを行うステップは、
ベースシーケンスを生成し、前記循環シフト値に基づいて、前記ベースシーケンスの循環シフトを行って、各ＳＣ−ＦＤＭＡシンボルに対応する循環シフト済みベースシーケンスとすることを含み、
前記変調シンボルおよび循環シフト済みベースシーケンスに基づいて変調シンボルシーケンスを取得し、前記変調シンボルシーケンスをｓＰＵＣＣＨの時間領域と周波数領域リソースにマッピングして伝送するステップは、
前記変調シンボルのうち、前記複数のＳＣ−ＦＤＭＡシンボルの第ｉ（ｉ＝０，１，…Ａ−１；Ａ：前記複数のＳＣ−ＦＤＭＡシンボルの数）個のＳＣ−ＦＤＭＡシンボルに運ばれている変調シンボルと、循環シフト済みベースシーケンスとを乗算し、前記第ｉ個のＳＣ−ＦＤＭＡシンボルに対応する変調シンボルシーケンスを得ることと、
前記第ｉ個のＳＣ−ＦＤＭＡシンボルに対応する変調シンボルシーケンスを、前記第ｉ個のＳＣ−ＦＤＭＡシンボルにマッピングして伝送することとを含み、
各ＳＣ−ＦＤＭＡシンボルに異なる循環シフト値が使用されかつ各ＳＣ−ＦＤＭＡシンボルに同一のＡＣＫ／ＮＡＣＫフィードバック情報が運ばれる場合、
ベースシーケンスを生成し、前記循環シフト値に基づいて前記ベースシーケンスの循環シフトを行うステップは、
ベースシーケンスを生成し、前記各ＳＣ−ＦＤＭＡシンボルに対応する循環シフト値に基づいて、前記ベースシーケンスの循環シフトを行って、対応するＳＣ−ＦＤＭＡシンボルに対応する循環シフト済みベースシーケンスとすることを含み、
前記変調シンボルおよび循環シフト済みベースシーケンスに基づいて変調シンボルシーケンスを取得し、前記変調シンボルシーケンスをｓＰＵＣＣＨの時間領域と周波数領域リソースにマッピングして伝送するステップは、
前記変調シンボルを、前記各ＳＣ−ＦＤＭＡシンボルに対応する循環シフト値に基づいて循環シフトを行ったベースシーケンスとそれぞれ乗算して、各ＳＣ−ＦＤＭＡシンボルに対応する変調シンボルシーケンスを得ることと、
前記各ＳＣ−ＦＤＭＡシンボルに対応する変調シンボルシーケンスを、それぞれ前記複数のＳＣ−ＦＤＭＡシンボルのうち、対応するＳＣ−ＦＤＭＡシンボルにマッピングして伝送することとを含み、
各ＳＣ−ＦＤＭＡシンボルに異なる循環シフト値が使用されかつ各ＳＣ−ＦＤＭＡシンボルに異なるＡＣＫ／ＮＡＣＫフィードバック情報が運ばれる場合、
ベースシーケンスを生成し、前記循環シフト値に基づいて前記ベースシーケンスの循環シフトを行うステップは、
ベースシーケンスを生成し、前記各ＳＣ−ＦＤＭＡシンボルに対応する循環シフト値に基づいて、前記ベースシーケンスの循環シフトを行って、対応するＳＣ−ＦＤＭＡシンボルに対応する循環シフト済みベースシーケンスとすることを含み、
前記変調シンボルおよび循環シフト済みベースシーケンスに基づいて変調シンボルシーケンスを取得し、前記変調シンボルシーケンスをｓＰＵＣＣＨの時間領域と周波数領域リソースにマッピングして伝送するステップは、
前記変調シンボルのうち、前記複数のＳＣ−ＦＤＭＡシンボルの第ｉ（ｉ＝０，１，…Ａ−１；Ａ：前記複数のＳＣ−ＦＤＭＡシンボルの数）個のＳＣ−ＦＤＭＡシンボルに運ばれている変調シンボルと、前記第ｉ個のＳＣ−ＦＤＭＡシンボルに対応する循環シフト済みベースシーケンスとを乗算し、前記第ｉ個のＳＣ−ＦＤＭＡシンボルに対応する変調シンボルシーケンスを得ることと、
前記第ｉ個のＳＣ−ＦＤＭＡシンボルに対応する変調シンボルシーケンスを、前記第ｉ個のＳＣ−ＦＤＭＡシンボルにマッピングして伝送することとを含み、
前記変調シンボル、循環シフト済みベースシーケンスおよび時間領域直交スペクトル拡散シーケンスに基づいて、変調シンボルシーケンスを取得し、前記変調シンボルシーケンスをｓＰＵＣＣＨの時間領域および周波数領域リソースにマッピングして伝送することは、
各ＳＣ−ＦＤＭＡシンボルに同一の循環シフト値を使用する場合、
ベースシーケンスを生成し、前記循環シフト値に基づいて前記ベースシーケンスの循環シフトを行うステップは、
ベースシーケンスを生成し、前記循環シフト値に基づいて、前記ベースシーケンスの循環シフトを行って、各ＳＣ−ＦＤＭＡシンボルに対応する循環シフト済みベースシーケンスとすることを含み、
前記変調シンボルおよび循環シフト済みベースシーケンスに基づいて変調シンボルシーケンスを取得し、前記変調シンボルシーケンスをｓＰＵＣＣＨの時間領域と周波数領域リソースにマッピングして伝送するステップは、
前記変調シンボルと循環シフト済みベースシーケンスとを乗算し、変調シンボルシーケンスを得ることと、
前記変調シンボルシーケンスと、長さが前記ｓＰＵＣＣＨに占用されるＳＣ−ＦＤＭＡシンボルの数とは同一であり、予め得られた直交シーケンスとを乗算して複数の直交スペクトル拡散済み変調シンボルシーケンスを得ることと、
前記複数の直交スペクトル拡散済み変調シンボルシーケンスを、それぞれ前記ＳＣ−ＦＤＭＡシンボルにマッピングして伝送することとを含み、
各ＳＣ−ＦＤＭＡシンボルに異なる循環シフト値が使用される場合、
ベースシーケンスを生成し、前記循環シフト値に基づいて前記ベースシーケンスの循環シフトを行うステップは、
ベースシーケンスを生成し、前記各ＳＣ−ＦＤＭＡシンボルに対応する循環シフト値に基づいて、前記ベースシーケンスの循環シフトを行って、対応するＳＣ−ＦＤＭＡシンボルに対応する循環シフト済みベースシーケンスとすることを含み、
前記変調シンボルおよび循環シフト済みベースシーケンスに基づいて変調シンボルシーケンスを取得し、前記変調シンボルシーケンスをｓＰＵＣＣＨの時間領域と周波数領域リソースにマッピングして伝送するステップは、
前記変調シンボルと、前記複数のＳＣ−ＦＤＭＡシンボルの第ｉ（ｉ＝０，１，…Ａ−１；Ａ：前記複数のＳＣ−ＦＤＭＡシンボルの数）個のＳＣ−ＦＤＭＡシンボルに対応する循環シフト済みベースシーケンスとを乗算し、前記第ｉ個のＳＣ−ＦＤＭＡシンボルに対応する直交シーケンスのうちの第ｉ個の直交因子と乗算し、前記第ｉ個のＳＣ−ＦＤＭＡシンボルに対応する変調シンボルシーケンスを得ることと、
各ＳＣ−ＦＤＭＡシンボルに対応する変調シンボルシーケンスを、対応するＳＣ−ＦＤＭＡシンボルにマッピングして伝送することとを含み、
各周波数領域スケジューリングリソースユニットに同一のＡＣＫ／ＮＡＣＫフィードバック情報が運ばれる場合、
前記変調シンボルおよび循環シフト済みベースシーケンスに基づいて変調シンボルシーケンスを取得し、前記変調シンボルシーケンスをｓＰＵＣＣＨの時間領域と周波数領域リソースにマッピングして伝送するステップは、
前記変調シンボルと、循環シフト済みベースシーケンスとを乗算し、１つの周波数領域スケジューリングリソースユニットに対応する変調シンボルシーケンスを得ることと、
前記１つの周波数領域スケジューリングリソースユニットに対応する変調シンボルシーケンスを複数複製し、それぞれ前記ｓＰＵＣＣＨに占用される各周波数領域スケジューリングリソースユニットにマッピングして伝送することとを含み、
各周波数領域スケジューリングリソースユニットに異なるＡＣＫ／ＮＡＣＫフィードバック情報が運ばれる場合、
前記変調シンボルおよび循環シフト済みベースシーケンスに基づいて変調シンボルシーケンスを取得し、前記変調シンボルシーケンスをｓＰＵＣＣＨの時間領域と周波数領域リソースにマッピングして伝送するステップは、
前記変調シンボルのうち、それぞれ各周波数領域スケジューリングリソースユニットで運ばれる変調シンボルと、循環シフト済みベースシーケンスとを乗算し、対応する周波数領域スケジューリングリソースユニットに対応する変調シンボルシーケンスを得ることと、
各周波数領域スケジューリングリソースユニットに対応する変調シンボルシーケンスを、それぞれ対応する周波数領域スケジューリングリソースユニットにマッピングして伝送することとを含む請求項１２に記載の方法。
【請求項１４】
ダウンリンク伝送を送信し、端末がｓＰＵＣＣＨ伝送の循環シフト値を取得することに用いられる指示情報を、前記ダウンリンク伝送に対応するダウンリンク制御チャネルに運ぶことに用いられる送信モジュールと、
前記端末が前記循環シフト値に基づいて行うｓＰＵＣＣＨ伝送を受信し、前記ｓＰＵＣＣＨ伝送から前記ダウンリンク伝送のＡＣＫ／ＮＡＣＫフィードバック情報を取得することに用いられる取得モジュールとを含む基地局。
【国際調査報告】
2019528609.tif 000019
2019528609.tif 000020
2019528609.tif 000021
2019528609.tif 000022